(57)【特許請求の範囲】
【請求項１】
プリコーディング情報収集方法であって、
送信側によって、第1のプリコーディング行列に従って第1のパイロット信号をプリコーディングし、プリコーディングされた第1のパイロット信号を受信側に送信するステップであって、前記第1のプリコーディング行列は、現在のデータ送信に使用されるプリコーディング行列と同一である、ステップと、
前記送信側によって、N個の第2のプリコーディング行列に従ってN個の第2のパイロット信号をプリコーディングし、N個のプリコーディングされた第2のパイロット信号を前記受信側に送信するステップであって、Nは、1以上の整数であり、前記第2のパイロット信号をプリコーディングするのに使用される前記第2のプリコーディング行列は、互いに異なり、前記N個の第2のプリコーディング行列は、前記第1のプリコーディング行列とは異なり、前記N個の第2のプリコーディング行列は、前記第1のプリコーディング行列及び前記送信側によってランダムに生成される補正用プリコーディング行列に従って取得される、ステップと、
前記受信側により送信されるプリコーディング・フィードバック情報を前記送信側によって受信するステップと、を含む、
方法。
【請求項２】
前記プリコーディング・フィードバック情報は、前記第1のパイロット信号の信号容量及び前記N個の第2のパイロット信号の各々の信号容量に従って、前記受信側によって前記送信側に送信され、パイロット信号の信号容量を測定する指標は、スループット及び許容最大ユーザ量のうちの少なくとも1つを含む、請求項１に記載の方法。
【請求項３】
前記送信側は、前記受信側に、前記N個のプリコーディングされた第2のパイロット信号を、前記プリコーディングされた第1のパイロット信号が送信されるのと異なる時点に送信するように構成されるか、又は、前記受信側に、前記N個のプリコーディングされた第2のパイロット信号を、前記プリコーディングされた第1のパイロット信号が送信される頻度と異なる頻度で送信するように構成される、請求項１に記載の方法。
【請求項４】
Nが1に等しい場合に、
前記プリコーディング・フィードバック情報は、現在のデータ送信に使用される前記プリコーディング行列が、次のデータ送信に使用されないということを示すのに使用される肯定応答指標である、請求項１に記載の方法。
【請求項５】
プリコーディング情報収集方法であって、
第1のプリコーディング行列に従ってプリコーディングされるとともに送信側により送信されるプリコーディングされた第1のパイロット信号を受信側によって受信し、N個の第2のプリコーディング行列に従ってプリコーディングされるとともに前記送信側により送信されるN個のプリコーディングされた第2のパイロット信号を受信するステップであって、前記N個の第2のプリコーディング行列は、前記第1のプリコーディング行列及び前記送信側によってランダムに生成される補正用プリコーディング行列に従って取得され、Nは、1以上の整数である、ステップと、
前記プリコーディングされた第1のパイロット信号を前記受信側で復調して、第1のパイロット信号を取得し、前記N個のプリコーディングされた第2のパイロット信号を復調して、それぞれ、N個の第2のパイロット信号を取得するステップと、
前記第1のパイロット信号及び前記N個の第2のパイロット信号に従って、前記受信側によって前記送信側にプリコーディング・フィードバック情報を送信するステップと、を含む、
方法。
【請求項６】
前記プリコーディング・フィードバック情報は、前記第1のパイロット信号の信号容量及び前記N個の第2のパイロット信号の各々の信号容量に従って、前記受信側によって前記送信側に送信され、パイロット信号の信号容量を測定する指標は、スループット及び許容最大ユーザ量のうちの少なくとも1つを含む、請求項５に記載の方法。
【請求項７】
前記送信側は、前記受信側に、前記N個のプリコーディングされた第2のパイロット信号を、前記プリコーディングされた第1のパイロット信号が送信されるのと異なる時点に送信するように構成されるか、又は、前記受信側に、前記N個のプリコーディングされた第2のパイロット信号を、前記プリコーディングされた第1のパイロット信号が送信される頻度と異なる頻度で送信するように構成される、請求項５に記載の方法。
【請求項８】
前記第1のパイロット信号及び前記N個の第2のパイロット信号に従って、前記受信側によって前記送信側にプリコーディング・フィードバック情報を送信するステップは、
前記受信側によって、前記第1のパイロット信号の信号品質を取得し、前記N個の第2のパイロット信号の各々の信号品質を取得するステップと、
前記第1のパイロット信号の前記信号品質及び前記N個の第2のパイロット信号の各々の前記信号品質に従って、前記受信側によって前記送信側に前記プリコーディング・フィードバック情報を送信するステップと、を含む、請求項５に記載の方法。
【請求項９】
送信側に適用されるプリコーディング情報収集方法であって、前記送信側と少なくとも1つの受信側との間のデータ送信に使用されるM個のデータ・ストリームが存在し、Mは、1より大きい整数であり、当該方法は、
前記送信側によって、第1のプリコーディング行列に従って第1のパイロット信号グループをプリコーディングし、プリコーディングされた第1のパイロット信号グループを前記受信側に送信するステップであって、前記第1のプリコーディング行列は、互いに異なるM個の第1のプリコーディング・ベクトルを含み、前記第1のパイロット信号グループは、M個の第1のパイロット信号を含み、前記第1のプリコーディング行列は、現在のデータ送信に使用されるプリコーディング行列と同一である、ステップと、
前記送信側によって、I個の第2のプリコーディング行列に従ってI個の第2のパイロット信号グループをそれぞれプリコーディングし、I個のプリコーディングされた第2のパイロット信号グループを前記受信側に送信するステップであって、i番目の第2のプリコーディング行列は、互いに異なるAi個の第2のプリコーディング・ベクトルを含み、i番目の第2のパイロット信号グループは、Ai個の第2のパイロット信号を含み、Iは、1以上の整数であり、Aiは、1以上の整数であり、前記第2のパイロット信号グループをプリコーディングするのに使用される前記第2のプリコーディング行列は、互いに異なり、前記I個の第2のプリコーディング行列は、前記第1のプリコーディング行列とは異なり、前記I個の第2のプリコーディング行列は、前記第1のプリコーディング行列及び前記送信側によってランダムに生成される補正用プリコーディング行列に従って取得される、ステップと、
前記受信側により送信されるプリコーディング・フィードバック情報を前記送信側によって受信するステップと、を含む、
方法。
【請求項１０】
前記プリコーディング・フィードバック情報は、前記第1のパイロット信号グループの信号容量及び前記I個の第2のパイロット信号グループの各々の信号容量に従って、前記受信側によって前記送信側に送信され、パイロット信号グループの信号容量を測定する指標は、スループット及び許容最大ユーザ量のうちの少なくとも1つを含む、請求項９に記載の方法。
【請求項１１】
前記送信側は、前記受信側に、前記I個のプリコーディングされた第2のパイロット信号グループを、前記プリコーディングされた第1のパイロット信号グループが送信されるのと異なる時点に送信するように構成されるか、又は、前記受信側に、前記I個のプリコーディングされた第2のパイロット信号グループを、前記プリコーディングされた第1のパイロット信号グループが送信される頻度と異なる頻度で送信するように構成される、請求項９に記載の方法。
【請求項１２】
iが1に等しい場合に、
前記プリコーディング・フィードバック情報は、現在のデータ送信に使用される前記プリコーディング行列が、次のデータ送信に使用されないということを示すのに使用される肯定応答指標である、請求項９に記載の方法。
【請求項１３】
受信側に適用されるプリコーディング情報収集方法であって、前記受信側と送信側との間のデータ送信に使用されるM個のデータ・ストリームが存在し、Mは、1より大きい整数であり、当該方法は、
第1のプリコーディング行列に従ってプリコーディングされるとともに前記送信側により送信されるプリコーディングされた第1のパイロット信号グループを前記受信側で受信し、I個の第2のプリコーディング行列に従ってプリコーディングされるとともに前記送信側により送信されるI個のプリコーディングされた第2のパイロット信号グループを受信するステップであって、前記I個の第2のプリコーディング行列は、前記第1のプリコーディング行列及び前記送信側によってランダムに生成される補正用プリコーディング行列に従って取得され、Iは、1以上の整数である、ステップと、
前記受信側によって、前記プリコーディングされた第1のパイロット信号グループを復調して、第1のパイロット信号グループを取得し、前記I個のプリコーディングされた第2のパイロット信号グループを復調して、それぞれ、I個の第2のパイロット信号グループを取得するステップと、
前記第1のパイロット信号グループ及び前記I個の第2のパイロット信号グループに従って、前記受信側によって前記送信側にプリコーディング・フィードバック情報を送信するステップと、を含む、
方法。
【請求項１４】
前記プリコーディング・フィードバック情報は、前記第1のパイロット信号グループの信号容量及び前記I個の第2のパイロット信号グループの各々の信号容量に従って、前記受信側によって前記送信側に送信され、パイロット信号グループの信号容量を測定する指標は、スループット及び許容最大ユーザ量のうちの少なくとも1つを含む、請求項１３に記載の方法。
【請求項１５】
前記送信側は、前記受信側に、前記I個のプリコーディングされた第2のパイロット信号グループを、前記プリコーディングされた第1のパイロット信号グループが送信されるのと異なる時点に送信するように構成されるか、又は、前記受信側に、前記I個のプリコーディングされた第2のパイロット信号グループを、前記プリコーディングされた第1のパイロット信号グループが送信される頻度と異なる頻度で送信するように構成される、請求項１３に記載の方法。
【請求項１６】
前記第1のパイロット信号グループは、M個の第1のパイロット信号を含み、i番目の第2のパイロット信号グループは、Ai個の第2のパイロット信号を含み、
前記第1のパイロット信号グループ及び前記I個の第2のパイロット信号グループに従って、前記受信側によって前記送信側にプリコーディング・フィードバック情報を送信するステップは、
前記受信側によって、前記第1のパイロット信号グループの中の前記M個の第1のパイロット信号の信号品質を取得し、前記I個の第2のパイロット信号グループの中の
（外４２）
0006492180.tif 000043
個の第2のパイロット信号の信号品質を取得するステップと、
前記受信側によって、前記第1のパイロット信号の全ての信号品質及び前記第2のパイロット信号の全ての信号品質に従って、B個のパイロット信号を選択し、前記B個のパイロット信号に従って、前記送信側に前記プリコーディング・フィードバック情報を送信するステップであって、Bは、1以上かつ
（外４３）
0006492180.tif 000044
以下の整数である、ステップと、を含む、請求項１３に記載の方法。
【請求項１７】
送信側であって、当該送信側は、プロセッサ、送信機、及び受信機を含み、
前記プロセッサは、第1のプリコーディング行列に従って第1のパイロット信号をプリコーディングするように構成され、前記第1のプリコーディング行列は、現在のデータ送信に使用されるプリコーディング行列と同一であり、
前記送信機は、前記プロセッサによって取得されるプリコーディングされた第1のパイロット信号を受信側に送信するように構成され、
前記プロセッサは、N個の第2のプリコーディング行列に従ってN個の第2のパイロット信号をプリコーディングするようにさらに構成され、Nは、1以上の整数であり、前記第2のパイロット信号をプリコーディングするのに使用される前記第2のプリコーディング行列は、互いに異なり、前記N個の第2のプリコーディング行列は、前記第1のプリコーディング行列とは異なり、前記N個の第2のプリコーディング行列は、前記第1のプリコーディング行列及び前記送信側によってランダムに生成される補正用プリコーディング行列に従って取得され、
前記送信機は、前記プロセッサによって取得されるN個のプリコーディングされた第2のパイロット信号を前記受信側に送信するようにさらに構成され、
前記受信機は、前記受信側によって送信されるプリコーディング・フィードバック情報を受信するように構成される、
送信側。
【請求項１８】
前記プリコーディング・フィードバック情報は、前記第1のパイロット信号の信号容量及び前記N個の第2のパイロット信号の各々の信号容量に従って、前記受信側によって前記送信側に送信され、パイロット信号の信号容量を測定する指標は、スループット及び許容最大ユーザ量のうちの少なくとも1つを含む、請求項１７に記載の送信側。
【請求項１９】
前記送信側は、前記受信側に、前記N個のプリコーディングされた第2のパイロット信号を、前記プリコーディングされた第1のパイロット信号が送信されるのと異なる時点に送信するように構成されるか、又は、前記受信側に、前記N個のプリコーディングされた第2のパイロット信号を、前記プリコーディングされた第1のパイロット信号が送信される頻度と異なる頻度で送信するように構成される、請求項１７に記載の送信側。
【請求項２０】
Nが1に等しい場合に、
前記プリコーディング・フィードバック情報は、現在のデータ送信に使用される前記プリコーディング行列が、次のデータ送信に使用されないということを示すのに使用される肯定応答指標である、請求項１７に記載の送信側。
【請求項２１】
受信側であって、当該受信側は、受信機、プロセッサ、及び送信機を含み、
前記受信機は、第1のプリコーディング行列に従ってプリコーディングされるとともに送信側により送信されるプリコーディングされた第1のパイロット信号を受信し、N個の第2のプリコーディング行列に従ってプリコーディングされるとともに前記送信側により送信されるN個のプリコーディングされた第2のパイロット信号を受信するように構成され、前記N個の第2のプリコーディング行列は、前記第1のプリコーディング行列及び前記送信側によってランダムに生成される補正用プリコーディング行列に従って取得され、Nは、1以上の整数であり、
前記プロセッサは、前記受信機により受信される前記プリコーディングされた第1のパイロット信号を復調して、第1のパイロット信号を取得し、前記受信機により受信される前記N個のプリコーディングされた第2のパイロット信号を復調して、それぞれ、N個の第2のパイロット信号を取得するように構成され、
前記送信機は、前記プロセッサによって取得される前記第1のパイロット信号及び前記N個の第2のパイロット信号に従って、前記送信側にプリコーディング・フィードバック情報を送信するように構成される、
受信側。
【請求項２２】
前記プリコーディング・フィードバック情報は、前記第1のパイロット信号の信号容量及び前記N個の第2のパイロット信号の各々の信号容量に従って、前記受信側によって前記送信側に送信され、パイロット信号の信号容量を測定する指標は、スループット及び許容最大ユーザ量のうちの少なくとも1つを含む、請求項２１に記載の受信側。
【請求項２３】
前記送信側は、前記受信側に、前記N個のプリコーディングされた第2のパイロット信号を、前記プリコーディングされた第1のパイロット信号が送信されるのと異なる時点に送信するように構成されるか、又は、前記受信側に、前記N個のプリコーディングされた第2のパイロット信号を、前記プリコーディングされた第1のパイロット信号が送信される頻度と異なる頻度で送信するように構成される、請求項２１に記載の受信側。
【請求項２４】
前記送信機は、前記第1のパイロット信号の信号品質を取得し、前記N個の第2のパイロット信号の各々の信号品質を取得し、前記第1のパイロット信号の前記信号品質及び前記N個の第2のパイロット信号の各々の前記信号品質に従って、前記送信側に前記プリコーディング・フィードバック情報を送信するように構成される、請求項２１に記載の受信側。
【請求項２５】
送信側であって、当該送信側と少なくとも1つの受信側との間のデータ送信に使用されるM個のデータ・ストリームが存在し、Mは、1より大きい整数であり、当該送信側は、プロセッサ、送信機、及び受信機を含み、
前記プロセッサは、第1のプリコーディング行列に従って第1のパイロット信号グループをプリコーディングするように構成され、前記第1のプリコーディング行列は、互いに異なるM個の第1のプリコーディング・ベクトルを含み、前記第1のパイロット信号グループは、M個の第1のパイロット信号を含み、前記第1のプリコーディング行列は、現在のデータ送信に使用されるプリコーディング行列と同一であり、
前記送信機は、前記プロセッサによって取得されるプリコーディングされた第1のパイロット信号グループを前記受信側に送信するように構成され、
前記プロセッサは、I個の第2のプリコーディング行列に従ってI個の第2のパイロット信号グループをそれぞれプリコーディングするようにさらに構成され、i番目の第2のプリコーディング行列は、互いに異なるAi個の第2のプリコーディング・ベクトルを含み、i番目の第2のパイロット信号グループは、Ai個の第2のパイロット信号を含み、Iは、1以上の整数であり、Aiは、1以上の整数であり、前記第2のパイロット信号グループをプリコーディングするのに使用される前記第2のプリコーディング行列は、互いに異なり、前記I個の第2のプリコーディング行列は、前記第1のプリコーディング行列とは異なり、前記I個の第2のプリコーディング行列は、前記第1のプリコーディング行列及び前記送信側によってランダムに生成される補正用プリコーディング行列に従って取得され、
前記送信機は、前記プロセッサによって取得されるI個のプリコーディングされた第2のパイロット信号グループを前記受信側に送信するようにさらに構成され、
前記受信機は、前記受信側によって送信されるプリコーディング・フィードバック情報を受信するように構成される、
送信側。
【請求項２６】
前記プリコーディング・フィードバック情報は、前記第1のパイロット信号グループの信号容量及び前記I個の第2のパイロット信号グループの各々の信号容量に従って、前記受信側によって前記送信側に送信され、パイロット信号グループの信号容量を測定する指標は、スループット及び許容最大ユーザ量のうちの少なくとも1つを含む、請求項２５に記載の送信側。
【請求項２７】
前記送信側は、前記受信側に、前記I個のプリコーディングされた第2のパイロット信号グループを、前記プリコーディングされた第1のパイロット信号グループが送信されるのと異なる時点に送信するように構成されるか、又は、前記受信側に、前記I個のプリコーディングされた第2のパイロット信号グループを、前記プリコーディングされた第1のパイロット信号グループが送信される頻度と異なる頻度で送信するように構成される、請求項２５に記載の送信側。
【請求項２８】
iが1に等しい場合に、
前記プリコーディング・フィードバック情報は、現在のデータ送信に使用される前記プリコーディング行列が、次のデータ送信に使用されないということを示すのに使用される肯定応答指標である、請求項２５に記載の送信側。
【請求項２９】
受信側であって、当該受信側と送信側との間のデータ送信に使用されるM個のデータ・ストリームが存在し、Mは、1より大きい整数であり、当該受信側は、受信機、プロセッサ、及び送信機を含み、
前記受信機は、第1のプリコーディング行列に従ってプリコーディングされるとともに前記送信側により送信されるプリコーディングされた第1のパイロット信号グループを受信し、I個の第2のプリコーディング行列に従ってプリコーディングされるとともに前記送信側により送信されるI個のプリコーディングされた第2のパイロット信号グループを受信するように構成され、前記I個の第2のプリコーディング行列は、前記第1のプリコーディング行列及び前記送信側によってランダムに生成される補正用プリコーディング行列に従って取得され、Iは、1以上の整数であり、
前記プロセッサは、前記受信機により受信される前記プリコーディングされた第1のパイロット信号グループを復調して、第1のパイロット信号グループを取得し、前記受信機により受信される前記I個のプリコーディングされた第2のパイロット信号グループを復調して、それぞれ、I個の第2のパイロット信号グループを取得するように構成され、
前記送信機は、前記プロセッサによって取得される前記第1のパイロット信号グループ及び前記I個の第2のパイロット信号グループに従って、前記送信側にプリコーディング・フィードバック情報を送信するように構成される、
受信側。
【請求項３０】
前記プリコーディング・フィードバック情報は、前記第1のパイロット信号グループの信号容量及び前記I個の第2のパイロット信号グループの各々の信号容量に従って、前記受信側によって前記送信側に送信され、パイロット信号グループの信号容量を測定する指標は、スループット及び許容最大ユーザ量のうちの少なくとも1つを含む、請求項２９に記載の受信側。
【請求項３１】
前記送信側は、前記受信側に、前記I個のプリコーディングされた第2のパイロット信号グループを、前記プリコーディングされた第1のパイロット信号グループが送信されるのと異なる時点に送信するように構成されるか、又は、前記受信側に、前記I個のプリコーディングされた第2のパイロット信号グループを、前記プリコーディングされた第1のパイロット信号グループが送信される頻度と異なる頻度で送信するように構成される、請求項２９に記載の受信側。
【請求項３２】
前記第1のパイロット信号グループは、M個の第1のパイロット信号を含み、i番目の第2のパイロット信号グループは、Ai個の第2のパイロット信号を含み、
前記送信機は、前記第1のパイロット信号グループの中の前記M個の第1のパイロット信号の信号品質を取得し、前記I個の第2のパイロット信号グループの中の
（外４４）
0006492180.tif 000045
個の第2のパイロット信号の信号品質を取得し、前記第1のパイロット信号の全ての信号品質及び前記第2のパイロット信号の全ての信号品質に従って、B個のパイロット信号を選択し、前記B個のパイロット信号に従って、前記送信側に前記プリコーディング・フィードバック情報を送信するように構成され、Bは、1以上かつ
（外４５）
0006492180.tif 000046
以下の整数である、請求項２９に記載の受信側。
【請求項３３】
コンピュータ実行可能な命令を含むコンピュータ・プログラムであって、前記コンピュータ実行可能な命令は、送信側のプロセッサで実行されると、前記送信側に、プリコーディング情報収集方法を実行させ、前記方法は、
前記送信側によって、第1のプリコーディング行列に従って第1のパイロット信号をプリコーディングし、プリコーディングされた第1のパイロット信号を受信側に送信するステップであって、前記第1のプリコーディング行列は、現在のデータ送信に使用されるプリコーディング行列と同一である、ステップと、
前記送信側によって、N個の第2のプリコーディング行列に従ってN個の第2のパイロット信号をプリコーディングし、N個のプリコーディングされた第2のパイロット信号を前記受信側に送信するステップであって、Nは、1以上の整数であり、前記第2のパイロット信号をプリコーディングするのに使用される前記第2のプリコーディング行列は、互いに異なり、前記N個の第2のプリコーディング行列は、前記第1のプリコーディング行列とは異なり、前記N個の第2のプリコーディング行列は、前記第1のプリコーディング行列及び前記送信側によってランダムに生成される補正用プリコーディング行列に従って取得される、ステップと、
前記受信側により送信されるプリコーディング・フィードバック情報を前記送信側によって受信するステップと、を含む、
コンピュータ・プログラム。
【請求項３４】
コンピュータ実行可能な命令を含むコンピュータ・プログラムであって、前記コンピュータ実行可能な命令は、受信側のプロセッサで実行されると、前記受信側に、プリコーディング情報収集方法を実行させ、前記方法は、
第1のプリコーディング行列に従ってプリコーディングされるとともに送信側により送信されるプリコーディングされた第1のパイロット信号を前記受信側によって受信し、N個の第2のプリコーディング行列に従ってプリコーディングされるとともに前記送信側により送信されるN個のプリコーディングされた第2のパイロット信号を受信するステップであって、前記N個の第2のプリコーディング行列は、前記第1のプリコーディング行列及び前記送信側によってランダムに生成される補正用プリコーディング行列に従って取得され、Nは、1以上の整数である、ステップと、
前記プリコーディングされた第1のパイロット信号を前記受信側で復調して、第1のパイロット信号を取得し、前記N個のプリコーディングされた第2のパイロット信号を復調して、それぞれ、N個の第2のパイロット信号を取得するステップと、
前記第1のパイロット信号及び前記N個の第2のパイロット信号に従って、前記受信側によって前記送信側にプリコーディング・フィードバック情報を送信するステップと、を含む、
コンピュータ・プログラム。
【請求項３５】
コンピュータ実行可能な命令を含むコンピュータ・プログラムであって、前記コンピュータ実行可能な命令は、送信側のプロセッサで実行されると、前記送信側に、プリコーディング情報収集方法を実行させ、前記送信側と少なくとも1つの受信側との間のデータ送信に使用されるM個のデータ・ストリームが存在し、Mは、1より大きい整数であり、前記方法は、
前記送信側によって、第1のプリコーディング行列に従って第1のパイロット信号グループをプリコーディングし、プリコーディングされた第1のパイロット信号グループを前記受信側に送信するステップであって、前記第1のプリコーディング行列は、互いに異なるM個の第1のプリコーディング・ベクトルを含み、前記第1のパイロット信号グループは、M個の第1のパイロット信号を含み、前記第1のプリコーディング行列は、現在のデータ送信に使用されるプリコーディング行列と同一である、ステップと、
前記送信側によって、I個の第2のプリコーディング行列に従ってI個の第2のパイロット信号グループをそれぞれプリコーディングし、I個のプリコーディングされた第2のパイロット信号グループを前記受信側に送信するステップであって、i番目の第2のプリコーディング行列は、互いに異なるAi個の第2のプリコーディング・ベクトルを含み、i番目の第2のパイロット信号グループは、Ai個の第2のパイロット信号を含み、Iは、1以上の整数であり、Aiは、1以上の整数であり、前記第2のパイロット信号グループをプリコーディングするのに使用される前記第2のプリコーディング行列は、互いに異なり、前記I個の第2のプリコーディング行列は、前記第1のプリコーディング行列とは異なり、前記I個の第2のプリコーディング行列は、前記第1のプリコーディング行列及び前記送信側によってランダムに生成される補正用プリコーディング行列に従って取得される、ステップと、
前記受信側により送信されるプリコーディング・フィードバック情報を前記送信側によって受信するステップと、を含む、
コンピュータ・プログラム。
【請求項３６】
コンピュータ実行可能な命令を含むコンピュータ・プログラムであって、前記コンピュータ実行可能な命令は、受信側のプロセッサで実行されると、前記受信側に、プリコーディング情報収集方法を実行させ、前記受信側と送信側との間のデータ送信に使用されるM個のデータ・ストリームが存在し、Mは、1より大きい整数であり、前記方法は、
第1のプリコーディング行列に従ってプリコーディングされるとともに前記送信側により送信されるプリコーディングされた第1のパイロット信号グループを前記受信側で受信し、I個の第2のプリコーディング行列に従ってプリコーディングされるとともに前記送信側により送信されるI個のプリコーディングされた第2のパイロット信号グループを受信するステップであって、前記I個の第2のプリコーディング行列は、前記第1のプリコーディング行列及び前記送信側によってランダムに生成される補正用プリコーディング行列に従って取得され、Iは、1以上の整数である、ステップと、
前記受信側によって、前記プリコーディングされた第1のパイロット信号グループを復調して、第1のパイロット信号グループを取得し、前記I個のプリコーディングされた第2のパイロット信号グループを復調して、それぞれ、I個の第2のパイロット信号グループを取得するステップと、
前記第1のパイロット信号グループ及び前記I個の第2のパイロット信号グループに従って、前記受信側によって前記送信側にプリコーディング・フィードバック情報を送信するステップと、を含む、
コンピュータ・プログラム。
【発明の詳細な説明】
【技術分野】
【０００１】
本発明は、通信分野に関し、特に、プリコーディング情報収集方法及び送信デバイスに関する。
【背景技術】
【０００２】
マルチアンテナ無線通信システムでは、基地局は、通常、プリコーディング行列を使用してデータを送信する。しかしながら、チャネルはリアルタイムに変化し、又は基地局によって取得されるチャネル情報に誤差があるため、プリコーディング行列と実際の送信チャネルとの間の不整合が生ずる。プリコーディング行列に従って送信され、ユーザによって受信されるデータの信号品質は、比較的低い。結果として、無線通信システムの性能は、高くない。
【０００３】
例えば、プリコーディング行列は、基地局によって推定される端末の到来方向(英文正式名称:Direction  Of  Arrival、略してDOA)に従って、計算される。基地局のために構成される複数アンテナ間の間隔が、DOA推定要件を満たさない場合、又は複数アンテナ間でカップリングが発生する場合に、基地局によって推定される端末のDOAに誤差が存在する。例えば、2.6GHzギガヘルツにおいて、4つのアンテナで構成される基地局によって推定される、端末のDOAにおける最大誤差は、最大12度となる可能性がある。このことは、このDOAに従って計算されるプリコーディング行列における誤差につながる。さらに、比較的多数のアンテナが、基地局のために構成されている場合に、プリコーディング行列に従って基地局により形成される3dBビーム幅は、きわめて小さくなる。例えば、プリコーディング行列に従って64個のアンテナで構成される基地局により形成される3dBビーム幅は、約1.5度に過ぎない。したがって、比較的多数のアンテナが基地局のために構成されている場合に、基地局により端末の推定DOAに従って計算されるプリコーディング行列には誤差があり、プリコーディング行列に従って形成される3dBビームのメイン・ローブは、極めて狭い。即ち、プリコーディング行列に従って基地局により形成される3dBビームは、端末をカバーできない可能性がある。その結果、端末によって受信されるデータの信号品質は、比較的低く、無線通信システムの性能低下をもたらす。
【０００４】
したがって、無線通信システムの性能をどのようにして改善するかが、当業者により解決されるべき差し迫った問題である。
【発明の概要】
【０００５】
本発明は、プリコーディング情報収集方法及び送信デバイスを提供し、それによって無線通信システムの性能を改善する。
【０００６】
前述の目的を達成するために、以下の技術的解決手段が、本発明において使用される。
【０００７】
本発明の第1の態様によれば、
プリコーディング情報収集方法であって、
送信側によって、第1のプリコーディング行列に従って第1のパイロット信号をプリコーディングし、プリコーディングされた第1のパイロット信号を受信側に送信するステップであって、前記第1のプリコーディング行列は、現在のデータ送信に使用されるプリコーディング行列と同一であるステップと、
前記送信側によって、N個の第2のプリコーディング行列に従ってN個の第2のパイロット信号をプリコーディングし、N個のプリコーディングされた第2のパイロット信号を前記受信側に送信するステップであって、Nが、1以上の整数であり、前記第2のパイロット信号をプリコーディングするのに使用される前記第2のプリコーディング行列は、互いに異なり、前記N個の第2のプリコーディング行列は、前記第1のプリコーディング行列とは異なる、ステップと、
前記受信側により送信されるプリコーディング・フィードバック情報を前記送信側によって受信するステップと、を含む、プリコーディング情報収集方法が提供される。
【０００８】
本発明の第1の態様に関して、第1の可能な実装において、Nが1に等しい場合に、
前記プリコーディング・フィードバック情報は、現在のデータ送信に使用される前記プリコーディング行列が、次のデータ送信に使用されないということを示すのに使用される肯定応答指標である。
【０００９】
本発明の第1の態様に関して、第2の可能な実装において、Nが1より大きい場合に、
前記プリコーディング・フィードバック情報は、肯定応答指標、及び前記N個の第2のプリコーディング行列のためのインデックスのうちの1つ又は複数であり、前記肯定応答指標は、現在のデータ送信に使用される前記プリコーディング行列が、次のデータ送信に使用されないということを示すのに使用される。
【００１０】
本発明の第1の態様に関して、第3の可能な実装において、Nが1より大きく、かつ前記N個の第2のパイロット信号が異なる場合に、
前記プリコーディング・フィードバック情報は、肯定応答指標、及び前記N個の第2のパイロット信号のためのインデックスのうちの1つ又は複数であり、前記肯定応答指標は、現在のデータ送信に使用される前記プリコーディング行列が、次のデータ送信に使用されないということを示すのに使用される。
【００１１】
本発明の第1の態様から第1の態様の第3の可能な実装のうちのいずれか1つに関して、第4の可能な実装において、前記プリコーディング・フィードバック情報は、現在のデータ送信に使用される前記プリコーディング行列が、次のデータ送信に使用されるということを示すのに使用される否定応答指標である。
【００１２】
本発明の第1の態様に関して、第5の可能な実装において、Nが1より大きい場合に、
前記プリコーディング・フィードバック情報は、前記第1のプリコーディング行列及び前記N個の第2のプリコーディング行列のためのインデックスのうちの1つ又は複数である。
【００１３】
本発明の第1の態様に関して、第6の可能な実装において、Nが1より大きく、かつ前記N個の第2のパイロット信号が異なる場合に、
前記プリコーディング・フィードバック情報は、前記第1のパイロット信号及び前記N個の第2のパイロット信号のためのインデックスのうちの1つ又は複数である。
【００１４】
本発明の第1の態様から第1の態様の第6の可能な実装のうちのいずれか1つに関して、第7の可能な実装において、データは、前記送信側と前記受信側との間で、シングル・ストリーム方式で送信される。
【００１５】
本発明の第2の態様によれば、プリコーディング情報収集方法であって、
送信側により送信されるプリコーディングされた第1のパイロット信号を受信側によって受信し、前記送信側により送信されるN個のプリコーディングされた第2のパイロット信号を受信するステップであって、Nが、1以上の整数である、ステップと、
前記プリコーディングされた第1のパイロット信号を前記受信側で復調して、第1のパイロット信号を取得し、前記N個のプリコーディングされた第2のパイロット信号を復調して、それぞれ、N個の第2のパイロット信号を取得するステップと、
前記第1のパイロット信号及び前記N個の第2のパイロット信号に従って、前記受信側によって前記送信側にプリコーディング・フィードバック情報を送信するステップと、を含む、プリコーディング情報収集方法が提供される。
【００１６】
本発明の第2の態様に関して、第1の可能な実装において、前記第1のパイロット信号及び前記N個の第2のパイロット信号に従って、前記受信側によって前記送信側にプリコーディング・フィードバック情報を送信するステップは、
前記受信側によって、前記第1のパイロット信号の信号品質を取得し、前記N個の第2のパイロット信号の各々の信号品質を取得するステップと、
前記第1のパイロット信号の前記信号品質及び前記N個の第2のパイロット信号の各々の前記信号品質に従って、前記受信側によって前記送信側に前記プリコーディング・フィードバック情報を送信するステップと、を含む。
【００１７】
本発明の第2の態様に関して、第2の可能な実装において、前記第1のパイロット信号及び前記N個の第2のパイロット信号に従って、前記受信側によって前記送信側にプリコーディング・フィードバック情報を送信するステップは、
前記受信側によって、前記第1のパイロット信号の信号容量を取得し、前記N個の第2のパイロット信号の各々の信号容量を取得するステップと、
前記第1のパイロット信号の前記信号容量及び前記N個の第2のパイロット信号の各々の前記信号容量に従って、前記受信側によって前記送信側に前記プリコーディング・フィードバック情報を送信するステップと、を含む。
【００１８】
本発明の第2の態様の第1の可能な実装又は第2の可能な実装に関して、第3の可能な実装において、Nが1に等しい場合に、
前記第1のパイロット信号の前記信号品質が、前記第2のパイロット信号の前記信号品質より低いか又は等しい場合に、或いは、前記第1のパイロット信号の前記信号容量が、前記第2のパイロット信号の前記信号容量より小さいか又は等しい場合に、前記プリコーディング・フィードバック情報は、現在のデータ送信に使用される前記プリコーディング行列が、次に前記送信側がデータを送信するときに使用されないということを示すのに使用される肯定応答指標である。
【００１９】
本発明の第2の態様の第1の可能な実装又は第2の可能な実装に関して、第4の可能な実装において、Nが1より大きい場合に、
前記N個の第2のパイロット信号の中に、前記第1のパイロット信号の前記信号品質より高い信号品質を有する1つ又は複数の第2のパイロット信号が存在するか、又は、前記第1のパイロット信号の前記信号容量より大きい信号容量を有する1つ又は複数の第2のパイロット信号が存在する場合に、前記プリコーディング・フィードバック情報は、肯定応答指標、及び前記1つ又は複数の第2のパイロット信号に使用される1つの第2のプリコーディング行列又は複数の第2のプリコーディング行列のための1つのインデックス又は複数のインデックスであり、前記肯定応答指標は、前記現在のデータ送信に使用される前記プリコーディング行列が、次に前記送信側がデータを送信するときに使用されないということを示すのに使用される。
【００２０】
本発明の第2の態様の第1の可能な実装又は第2の可能な実装に関して、第5の可能な実装において、Nが1より大きく、かつ前記N個の第2のパイロット信号が異なる場合に、
前記N個の第2のパイロット信号の中に、前記第1のパイロット信号の前記信号品質より高い信号品質を有する1つ又は複数の第2のパイロット信号が存在するか、又は、前記第1のパイロット信号の前記信号容量より大きい信号容量を有する1つ又は複数の第2のパイロット信号が存在する場合に、前記プリコーディング・フィードバック情報は、肯定応答指標、及び前記1つ又は複数の第2のパイロット信号のための1つのインデックス又は複数のインデックスであり、前記肯定応答指標は、現在のデータ送信に使用される前記プリコーディング行列が、次に前記送信側がデータを送信するときに使用されないということを示すのに使用される。
【００２１】
本発明の第2の態様の第1の可能な実装から第5の可能な実装のうちのいずれか1つに関して、第6の可能な実装において、前記第1のパイロット信号の前記信号品質が、前記第2のパイロット信号の前記信号品質より高いか又は等しい場合、又は前記第1のパイロット信号の前記信号容量が、前記第2のパイロット信号の前記信号容量より大きいか又は等しい場合に、前記プリコーディング・フィードバック情報は、現在のデータ送信に使用される前記プリコーディング行列が、次に前記送信側がデータを送信するときに使用されるということを示すのに使用される、否定応答指標である。
【００２２】
本発明の第2の態様から第2の態様の第2の可能な実装のうちのいずれか1つに関して、第7の可能な実装において、Nが1より大きい場合に、
前記プリコーディング・フィードバック情報は、前記第1のパイロット信号に使用される第1のプリコーディング行列のためのインデックス及び前記N個の第2のパイロット信号に使用される第2のプリコーディング行列のためのインデックスのうちの1つ又は複数である。
【００２３】
本発明の第2の態様から第2の態様の第2の可能な実装のうちのいずれか1つに関して、第8の可能な実装において、Nが1より大きく、かつ前記N個の第2のパイロット信号が異なる場合に、
前記プリコーディング・フィードバック情報は、前記第1のパイロット信号及び前記N個の第2のパイロット信号のためのインデックスのうちの1つ又は複数である。
【００２４】
本発明の第2の態様から第2の態様の第8の可能な実装のうちのいずれか1つに関して、第9の可能な実装において、データは、前記送信側と前記受信側との間で、シングル・ストリーム方式で送信される。
【００２５】
本発明の第3の態様によれば、送信側に適用されるプリコーディング情報収集方法が提供され、前記送信側と少なくとも1つの受信側との間のデータ送信に使用されるM個のデータ・ストリームが存在し、Mが、1より大きい整数であり、当該方法は、
前記送信側によって、第1のプリコーディング行列に従って第1のパイロット信号グループをプリコーディングし、プリコーディングされた第1のパイロット信号グループを前記受信側に送信するステップであって、前記第1のプリコーディング行列は、互いに異なるM個の第1のプリコーディング・ベクトルを含み、前記第1のパイロット信号グループは、M個の第1のパイロット信号を含み、前記第1のプリコーディング行列は、現在のデータ送信に使用されるプリコーディング行列と同一である、ステップと、
前記送信側によって、i個の第2のプリコーディング行列に従ってi個の第2のパイロット信号グループをそれぞれプリコーディングし、i個のプリコーディングされた第2のパイロット信号グループを前記受信側に送信するステップであって、前記i番目の第2のプリコーディング行列は、互いに異なるAi個の第2のプリコーディング・ベクトルを含み、i番目の第2のパイロット信号グループは、Ai個の第2のパイロット信号を含み、iは、1以上の整数であり、Aiは、1以上の整数であり、前記第2のパイロット信号グループをプリコーディングするのに使用される前記第2のプリコーディング行列は、互いに異なり、前記i個の第2のプリコーディング行列は、前記第1のプリコーディング行列とは異なる、ステップと、
前記受信側により送信されるプリコーディング・フィードバック情報を前記送信側によって受信するステップと、を含む。
【００２６】
本発明の第3の態様に関して、第1の可能な実装において、iが1に等しい場合に、
前記プリコーディング・フィードバック情報は、現在のデータ送信に使用される前記プリコーディング行列が、次のデータ送信に使用されないということを示すのに使用される、肯定応答指標である。
【００２７】
本発明の第3の態様に関して、第2の可能な実装において、iが1より大きい場合に、
前記プリコーディング・フィードバック情報は、肯定応答指標、及び前記i個の第2のプリコーディング行列のためのインデックスのうちの1つ又は複数であり、前記肯定応答指標は、現在のデータ送信に使用される前記プリコーディング行列が、次のデータ送信に使用されないということを示すのに使用される。
【００２８】
本発明の第3の態様に関して、第3の可能な実装において、iが1より大きく、かつ前記i個の第2のパイロット信号グループが異なる場合に、
前記プリコーディング・フィードバック情報は、肯定応答指標、及び前記i個の第2のパイロット信号グループのためのインデックスのうちの1つ又は複数であり、前記肯定応答指標は、現在のデータ送信に使用される前記プリコーディング行列が、次のデータ送信に使用されないということを示すのに使用される。
【００２９】
本発明の第3の態様から第3の態様の第3の可能な実装のうちのいずれか1つに関して、第4の可能な実装において、前記プリコーディング・フィードバック情報は、現在のデータ送信に使用される前記プリコーディング行列が、次のデータ送信に使用されるということを示すのに使用される、否定応答指標である。
【００３０】
本発明の第3の態様に関して、第5の可能な実装において、iが1より大きい場合に、
前記プリコーディング・フィードバック情報は、前記第1のプリコーディング行列及び前記i個の第2のプリコーディング行列のためのインデックスのうちの1つ又は複数である。
【００３１】
本発明の第3の態様に関して、第6の可能な実装において、iが1より大きく、かつ前記i個の第2のパイロット信号グループが異なる場合に、
前記プリコーディング・フィードバック情報は、前記第1のパイロット信号グループ及び前記i個の第2のパイロット信号グループのためのインデックスのうちの1つ又は複数である。
【００３２】
本発明の第3の態様に関して、第7の可能な実装において、前記プリコーディング・フィードバック情報は、前記M個の第1のパイロット信号に使用されるプリコーディング・ベクトル及び
（外１）
0006492180.tif 000002
個の第2のパイロット信号に使用されるプリコーディング・ベクトルのうちの、B個のプリコーディング・ベクトルのためのインデックスであり、Bが、1以上かつ
（外２）
0006492180.tif 000003
以下の整数である。
【００３３】
本発明の第3の態様に関して、第8の可能な実装において、前記プリコーディング・フィードバック情報は、前記M個の第1のパイロット信号及び
（外３）
0006492180.tif 000004
個の第2のパイロット信号のうちのB個のパイロット信号のためのインデックスであり、Bが、1以上かつ
（外４）
0006492180.tif 000005
以下の整数である。
【００３４】
本発明の第4の態様によれば、受信側に適用されるプリコーディング情報収集方法が提供され、前記受信側と送信側との間のデータ送信に使用されるM個のデータ・ストリームが存在し、Mが、1より大きい整数であり、当該方法は、
前記送信側により送信されるプリコーディングされた第1のパイロット信号グループを前記受信側で受信し、前記送信側により送信されるi個のプリコーディングされた第2のパイロット信号グループを受信するステップであって、iが、1以上の整数である、ステップと、
前記受信側によって、前記プリコーディングされた第1のパイロット信号グループを復調して、第1のパイロット信号グループを取得し、前記i個のプリコーディングされた第2のパイロット信号グループを復調して、それぞれ、i個の第2のパイロット信号グループを取得するステップと、
前記第1のパイロット信号グループ及び前記i個の第2のパイロット信号グループに従って、前記受信側によって前記送信側にプリコーディング・フィードバック情報を送信するステップと、を含む。
【００３５】
本発明の第4の態様に関して、第1の可能な実装において、前記第1のパイロット信号グループは、M個の第1のパイロット信号を含み、前記i番目の第2のパイロット信号グループは、Ai個の第2のパイロット信号を含み、
前記第1のパイロット信号グループ及び前記i個の第2のパイロット信号グループに従って、前記受信側によって前記送信側にプリコーディング・フィードバック情報を送信するステップは、
前記受信側によって、前記第1のパイロット信号グループの中の前記M個の第1のパイロット信号の信号品質を取得し、前記i個の第2のパイロット信号グループの中の
（外５）
0006492180.tif 000006
個の第2のパイロット信号の信号品質を取得するステップと、
前記受信側によって、前記第1のパイロット信号の全ての信号品質及び前記第2のパイロット信号の全ての信号品質に従って、B個のパイロット信号を選択し、前記B個のパイロット信号に従って、前記送信側に前記プリコーディング・フィードバック情報を送信するステップであって、Bは、1以上かつ
（外６）
0006492180.tif 000007
以下の整数である、ステップと、を含む。
【００３６】
本発明の第4の態様に関して、第2の可能な実装において、前記第1のパイロット信号グループ及び前記i個の第2のパイロット信号グループに従って、前記受信側によって前記送信側にプリコーディング・フィードバック情報を送信するステップは、
前記受信側によって、前記第1のパイロット信号グループの信号容量を取得し、前記i個の第2のパイロット信号グループの各々の信号容量を取得するステップと、
前記第1のパイロット信号グループの前記信号容量及び前記i個の第2のパイロット信号グループの各々の前記信号容量に従って、前記受信側によって前記送信側に前記プリコーディング・フィードバック情報を送信するステップと、を含む。
【００３７】
本発明の第4の態様の第2の可能な実装に関して、第3の可能な実装において、iが1に等しい場合に、
前記第1のパイロット信号グループの前記信号容量は、前記第2のパイロット信号グループの前記信号容量より小さいか又は等しい場合に、前記プリコーディング・フィードバック情報は、現在のデータ送信に使用される前記プリコーディング行列が、次に前記送信側がデータを送信するときに使用されないということを示すのに使用される、肯定応答指標である。
【００３８】
本発明の第4の態様の第2の可能な実装に関して、第4の可能な実装において、iが1より大きい場合に、
前記i個の第2のパイロット信号グループの中に、前記第1のパイロット信号グループの前記信号容量より大きい信号容量を有する1つ又は複数の第2のパイロット信号グループが存在する場合に、前記プリコーディング・フィードバック情報は、肯定応答指標、及び前記1つ又は複数の第2のパイロット信号グループに使用される1つの第2のプリコーディング行列又は複数の第2のプリコーディング行列のための1つのインデックス又は複数のインデックスであり、前記肯定応答指標は、現在のデータ送信に使用される前記プリコーディング行列が、次に前記送信側がデータを送信するときに使用されないということを示すのに使用される。
【００３９】
本発明の第4の態様の第2の可能な実装に関して、第5の可能な実装において、iが1より大きく、かつ前記i個の第2のパイロット信号グループが異なる場合に、
前記i個の第2のパイロット信号グループの中に、前記第1のパイロット信号グループの前記信号容量より大きい信号容量を有する1つ又は複数の第2のパイロット信号グループが存在する場合に、前記プリコーディング・フィードバック情報は、肯定応答指標、及び前記1つ又は複数の第2のパイロット信号グループのための1つのインデックス又は複数のインデックスであり、前記肯定応答指標は、現在のデータ送信に使用される前記プリコーディング行列が、次に前記送信側がデータを送信するときに使用されないということを示すのに使用される。
【００４０】
本発明の第4の態様の第2の可能な実装から第5の可能な実装のうちのいずれか1つに関して、第6の可能な実装において、前記第1のパイロット信号グループの前記信号容量は、前記第2のパイロット信号グループの前記信号容量より大きいか又は等しい場合に、前記プリコーディング・フィードバック情報は、現在のデータ送信に使用される前記プリコーディング行列が、次に前記送信側がデータを送信するときに使用されるということを示すのに使用される否定応答指標である。
【００４１】
本発明の第4の態様又は第4の態様の第2の可能な実装のいずれかに関して、第7の可能な実装において、iが1より大きい場合に、
前記プリコーディング・フィードバック情報は、前記第1のパイロット信号グループに使用される前記第1のプリコーディング行列のためのインデックス及び前記i個の第2のパイロット信号グループに使用される前記第2のプリコーディング行列のためのインデックスのうちの1つ又は複数である。
【００４２】
本発明の第4の態様又は第4の態様の第2の可能な実装のいずれかに関して、第8の可能な実装において、iが1より大きく、かつ前記i個の第2のパイロット信号グループが異なる場合に、
前記プリコーディング・フィードバック情報は、前記第1のパイロット信号グループ及び前記i個の第2のパイロット信号グループのためのインデックスのうちの1つ又は複数である。
【００４３】
本発明の第4の態様の第1の可能な実装に関して、第9の可能な実装において、
前記プリコーディング・フィードバック情報は、前記M個の第1のパイロット信号に使用されるプリコーディング・ベクトル及び前記
（外７）
0006492180.tif 000008
個の第2のパイロット信号に使用されるプリコーディング・ベクトルのうちの、B個のプリコーディング・ベクトルのためのインデックスである。
【００４４】
本発明の第4の態様の第1の可能な実装に関して、第10の可能な実装において、
前記プリコーディング・フィードバック情報は、前記M個の第1のパイロット信号及び前記
（外８）
0006492180.tif 000009
個の第2のパイロット信号のうちの、B個のパイロット信号のためのインデックスである。
【００４５】
本発明の第5の態様によれば、送信側が提供され、当該送信側は、プロセッサ、送信機、及び受信機を含み、
前記プロセッサは、第1のプリコーディング行列に従って第1のパイロット信号をプリコーディングするように構成され、前記第1のプリコーディング行列は、現在のデータ送信に使用されるプリコーディング行列と同一であり、
前記送信機は、前記プロセッサによって取得されるプリコーディングされた第1のパイロット信号を受信側に送信するように構成され、
前記プロセッサは、N個の第2のプリコーディング行列に従ってN個の第2のパイロット信号をプリコーディングするようにさらに構成され、Nは、1以上の整数であり、前記第2のパイロット信号をプリコーディングするのに使用される前記第2のプリコーディング行列は、互いに異なり、前記N個の第2のプリコーディング行列は、前記第1のプリコーディング行列とは異なり、
前記送信機は、前記プロセッサによって取得されるN個のプリコーディングされた第2のパイロット信号を前記受信側に送信するようにさらに構成され、
前記受信機は、前記受信側によって送信されるプリコーディング・フィードバック情報を受信するように構成される。
【００４６】
本発明の第5の態様に関して、第1の可能な実装において、Nが1に等しい場合に、
前記プリコーディング・フィードバック情報は、現在のデータ送信に使用される前記プリコーディング行列が、次のデータ送信に使用されないということを示すのに使用される、肯定応答指標である。
【００４７】
本発明の第5の態様に関して、第2の可能な実装において、Nが1より大きい場合に、
前記プリコーディング・フィードバック情報は、肯定応答指標、及び前記N個の第2のプリコーディング行列のためのインデックスのうちの1つ又は複数であり、前記肯定応答指標は、現在のデータ送信に使用される前記プリコーディング行列が、次のデータ送信に使用されないということを示すのに使用される。
【００４８】
本発明の第5の態様に関して、第3の可能な実装において、Nが1より大きく、かつ前記N個の第2のパイロット信号が異なる場合に、
前記プリコーディング・フィードバック情報は、肯定応答指標、及び前記N個の第2のパイロット信号のためのインデックスのうちの1つ又は複数であり、前記肯定応答指標は、現在のデータ送信に使用される前記プリコーディング行列が、次のデータ送信に使用されないということを示すのに使用される。
【００４９】
本発明の第5の態様から第5の態様の第3の可能な実装のうちのいずれか1つに関して、第4の可能な実装において、前記プリコーディング・フィードバック情報は、現在のデータ送信に使用される前記プリコーディング行列が、次のデータ送信に使用されるということを示すのに使用される否定応答指標である。
【００５０】
本発明の第5の態様に関して、第5の可能な実装において、Nが1より大きい場合に、
前記プリコーディング・フィードバック情報は、前記第1のプリコーディング行列及び前記N個の第2のプリコーディング行列のためのインデックスのうちの1つ又は複数である。
【００５１】
本発明の第5の態様に関して、第6の可能な実装において、Nが1より大きく、かつ前記N個の第2のパイロット信号が異なる場合に、
前記プリコーディング・フィードバック情報は、前記第1のパイロット信号及び前記N個の第2のパイロット信号のためのインデックスのうちの1つ又は複数である。
【００５２】
本発明の第5の態様から第5の態様の第6の可能な実装のうちのいずれか1つに関して、第7の可能な実装において、データは、前記送信側と前記受信側との間で、シングル・ストリーム方式で送信される。
【００５３】
本発明の第6の態様によれば、受信側が提供され、当該受信側は、受信機、プロセッサ、及び送信機を含み、
前記受信機は、送信側により送信されるプリコーディングされた第1のパイロット信号を受信し、前記送信側により送信されるN個のプリコーディングされた第2のパイロット信号を受信するように構成され、Nは、1以上の整数であり、
前記プロセッサは、前記受信機により受信される前記プリコーディングされた第1のパイロット信号を復調して、第1のパイロット信号を取得し、前記受信機により受信される前記N個のプリコーディングされた第2のパイロット信号を復調して、それぞれ、N個の第2のパイロット信号を取得するように構成され、
前記送信機は、前記プロセッサによって取得される前記第1のパイロット信号及び前記N個の第2のパイロット信号に従って、前記送信側にプリコーディング・フィードバック情報を送信するように構成される。
【００５４】
本発明の第6の態様に関して、第1の可能な実装において、前記送信機は、特に、前記第1のパイロット信号の信号品質を取得し、前記N個の第2のパイロット信号の各々の信号品質を取得し、前記第1のパイロット信号の前記信号品質及び前記N個の第2のパイロット信号の各々の前記信号品質に従って、前記送信側に前記プリコーディング・フィードバック情報を送信するように構成される。
【００５５】
本発明の第6の態様に関して、第2の可能な実装において、前記送信機は、特に、前記第1のパイロット信号の信号容量を取得し、前記N個の第2のパイロット信号の各々の信号容量を取得し、前記第1のパイロット信号の前記信号容量及び前記N個の第2のパイロット信号の各々の前記信号容量に従って、前記送信側に前記プリコーディング・フィードバック情報を送信するように構成される。
【００５６】
本発明の第6の態様の第1の可能な実装又は第2の可能な実装に関して、第3の可能な実装において、Nが1に等しい場合に、
前記第1のパイロット信号の前記信号品質が、前記第2のパイロット信号の前記信号品質より低いか又は等しい場合、或いは、前記第1のパイロット信号の前記信号容量が、前記第2のパイロット信号の前記信号容量より小さいか又は等しい場合に、前記プリコーディング・フィードバック情報は、現在のデータ送信に使用される前記プリコーディング行列が、次に前記送信側がデータを送信するときに使用されないということを示すのに使用される肯定応答指標である。
【００５７】
本発明の第6の態様の第1の可能な実装又は第2の可能な実装に関して、第4の可能な実装において、Nが1より大きい場合に、
前記N個の第2のパイロット信号の中に、前記第1のパイロット信号の前記信号品質より高い信号品質を有する1つ又は複数の第2のパイロット信号が存在するか、又は、前記第1のパイロット信号の前記信号容量より大きい信号容量を有する1つ又は複数の第2のパイロット信号が存在する場合に、前記プリコーディング・フィードバック情報は、肯定応答指標、及び前記1つ又は複数の第2のパイロット信号に使用される1つの第2のプリコーディング行列又は複数の第2のプリコーディング行列のための1つのインデックス又は複数のインデックスであり、前記肯定応答指標は、現在のデータ送信に使用される前記プリコーディング行列が、次に前記送信側がデータを送信するときに使用されないということを示すのに使用される。
【００５８】
本発明の第6の態様の第1の可能な実装又は第2の可能な実装に関して、第5の可能な実装において、Nが1より大きく、かつ前記N個の第2のパイロット信号が異なる場合に、
前記N個の第2のパイロット信号の中に、前記第1のパイロット信号の前記信号品質より高い信号品質を有する1つ又は複数の第2のパイロット信号が存在するか、又は、前記第1のパイロット信号の前記信号容量より大きい信号容量を有する1つ又は複数の第2のパイロット信号が存在する場合に、前記プリコーディング・フィードバック情報は、肯定応答指標、及び前記1つ又は複数の第2のパイロット信号のための1つのインデックス又は複数のインデックスであり、前記肯定応答指標は、現在のデータ送信に使用される前記プリコーディング行列が、次に前記送信側がデータを送信するときに使用されないということを示すのに使用される。
【００５９】
本発明の第6の態様の第1の可能な実装から第5の可能な実装のうちのいずれか1つに関して、第6の可能な実装において、前記第1のパイロット信号の前記信号品質が、前記第2のパイロット信号の前記信号品質より高いか又は等しい場合、或いは、前記第1のパイロット信号の前記信号容量が、前記第2のパイロット信号の前記信号容量より大きいか又は等しい場合に、前記プリコーディング・フィードバック情報は、現在のデータ送信に使用される前記プリコーディング行列が、次に前記送信側がデータを送信するときに使用されるということを示すのに使用される否定応答指標である。
【００６０】
本発明の第6の態様から第6の態様の第2の可能な実装のうちのいずれか1つに関して、第7の可能な実装において、Nが1より大きい場合に、
前記プリコーディング・フィードバック情報は、前記第1のパイロット信号に使用される第1のプリコーディング行列のためのインデックス及び前記N個の第2のパイロット信号に使用される第2のプリコーディング行列のためのインデックスのうちの1つ又は複数である。
【００６１】
本発明の第6の態様から第6の態様の第2の可能な実装のうちのいずれか1つに関して、第8の可能な実装において、Nが1より大きく、かつ前記N個の第2のパイロット信号が異なる場合に、
前記プリコーディング・フィードバック情報は、前記第1のパイロット信号及び前記N個の第2のパイロット信号のためのインデックスのうちの1つ又は複数である。
【００６２】
本発明の第6の態様から第6の態様の第8の可能な実装のうちのいずれか1つに関して、第9の可能な実装において、データは、前記送信側と前記受信側との間で、シングル・ストリーム方式で送信される。
【００６３】
本発明の第7の態様によれば、送信側が提供され、当該送信側と少なくとも1つの受信側との間のデータ送信に使用されるM個のデータ・ストリームが存在し、Mが、1より大きい整数であり、当該送信側は、プロセッサ、送信機、及び受信機を含み、
前記プロセッサは、第1のプリコーディング行列に従って第1のパイロット信号グループをプリコーディングするように構成され、前記第1のプリコーディング行列は、互いに異なるM個の第1のプリコーディング・ベクトルを含み、前記第1のパイロット信号グループが、M個の第1のパイロット信号を含み、前記第1のプリコーディング行列は、現在のデータ送信に使用されるプリコーディング行列と同一であり、
前記送信機は、前記プロセッサによって取得されるプリコーディングされた第1のパイロット信号グループを前記受信側に送信するように構成され、
前記プロセッサは、i個の第2のプリコーディング行列に従ってi個の第2のパイロット信号グループをそれぞれプリコーディングするようにさらに構成され、前記i番目の第2のプリコーディング行列は、互いに異なるAi個の第2のプリコーディング・ベクトルを含み、前記i番目の第2のパイロット信号グループは、Ai個の第2のパイロット信号を含み、iは、1以上の整数であり、Aiは、1以上の整数であり、前記第2のパイロット信号グループをプリコーディングするのに使用される前記第2のプリコーディング行列は、互いに異なり、前記i個の第2のプリコーディング行列は、前記第1のプリコーディング行列とは異なり、
前記送信機は、前記プロセッサによって取得されるi個のプリコーディングされた第2のパイロット信号グループを前記受信側に送信するようにさらに構成され、
前記受信機は、前記受信側によって送信されるプリコーディング・フィードバック情報を受信するように構成される。
【００６４】
本発明の第7の態様に関して、第1の可能な実装において、iが1に等しい場合に、
前記プリコーディング・フィードバック情報は、現在のデータ送信に使用される前記プリコーディング行列が、次のデータ送信に使用されないということを示すのに使用される肯定応答指標である。
【００６５】
本発明の第7の態様に関して、第2の可能な実装において、iが1より大きい場合に、
前記プリコーディング・フィードバック情報は、肯定応答指標、及び前記i個の第2のプリコーディング行列のためのインデックスのうちの1つ又は複数であり、前記肯定応答指標は、現在のデータ送信に使用される前記プリコーディング行列が、次のデータ送信に使用されないということを示すのに使用される。
【００６６】
本発明の第7の態様に関して、第3の可能な実装において、iが1より大きく、かつ前記i個の第2のパイロット信号グループが異なる場合に、
前記プリコーディング・フィードバック情報は、肯定応答指標、及び前記i個の第2のパイロット信号グループのためのインデックスのうちの1つ又は複数であり、前記肯定応答指標は、現在のデータ送信に使用される前記プリコーディング行列が、次のデータ送信に使用されないということを示すのに使用される。
【００６７】
本発明の第7の態様から第7の態様の第3の可能な実装のうちのいずれか1つに関して、第4の可能な実装において、前記プリコーディング・フィードバック情報は、現在のデータ送信に使用される前記プリコーディング行列が、次のデータ送信に使用されるということを示すのに使用される否定応答指標である。
【００６８】
本発明の第7の態様に関して、第5の可能な実装において、iが1より大きい場合に、
前記プリコーディング・フィードバック情報は、前記第1のプリコーディング行列及び前記i個の第2のプリコーディング行列のためのインデックスのうちの1つ又は複数である。
【００６９】
本発明の第7の態様に関して、第6の可能な実装において、iが1より大きく、かつ前記i個の第2のパイロット信号グループが異なる場合に、
前記プリコーディング・フィードバック情報は、前記第1のパイロット信号グループ及び前記i個の第2のパイロット信号グループのためのインデックスのうちの1つ又は複数である。
【００７０】
本発明の第7の態様に関して、第7の可能な実装において、前記プリコーディング・フィードバック情報は、前記M個の第1のパイロット信号に使用されるプリコーディング・ベクトル及び
（外９）
0006492180.tif 000010
個の第2のパイロット信号に使用されるプリコーディング・ベクトルのうちのB個のプリコーディング・ベクトルのためのインデックスであり、Bが、1以上かつ
（外１０）
0006492180.tif 000011
以下の整数である。
【００７１】
本発明の第7の態様に関して、第8の可能な実装において、前記プリコーディング・フィードバック情報は、前記M個の第1のパイロット信号及び
（外１１）
0006492180.tif 000012
個の第2のパイロット信号のうちのB個のパイロット信号のためのインデックスであり、Bが、1以上かつ
（外１２）
0006492180.tif 000013
以下の整数である。
【００７２】
本発明の第8の態様によれば、受信側が提供され、当該受信側と送信側との間のデータ送信に使用されるM個のデータ・ストリームが存在し、Mが、1より大きい整数であり、当該受信側は、受信機、プロセッサ、及び送信機を含み、
前記受信機は、前記送信側により送信されるプリコーディングされた第1のパイロット信号グループを受信し、前記送信側により送信されるi個のプリコーディングされた第2のパイロット信号グループを受信するように構成され、iが、1以上の整数であり、
前記プロセッサは、前記受信機により受信される前記プリコーディングされた第1のパイロット信号グループを復調して、第1のパイロット信号グループを取得し、前記受信機により受信される前記i個のプリコーディングされた第2のパイロット信号グループを復調して、それぞれ、i個の第2のパイロット信号グループを取得するように構成され、
前記送信機は、前記プロセッサによって取得される前記第1のパイロット信号グループ及び前記i個の第2のパイロット信号グループに従って、前記送信側にプリコーディング・フィードバック情報を送信するように構成される。
【００７３】
本発明の第8の態様に関して、第1の可能な実装において、前記第1のパイロット信号グループは、M個の第1のパイロット信号を含み、前記i番目の第2のパイロット信号グループは、Ai個の第2のパイロット信号を含み、
前記送信機は、特に、前記第1のパイロット信号グループの中の前記M個の第1のパイロット信号の信号品質を取得し、前記i個の第2のパイロット信号グループの中の
（外１３）
0006492180.tif 000014
個の第2のパイロット信号の信号品質を取得し、前記第1のパイロット信号の全ての信号品質及び前記第2のパイロット信号の全ての信号品質に従って、B個のパイロット信号を選択し、前記B個のパイロット信号に従って、前記送信側に前記プリコーディング・フィードバック情報を送信するように構成され、Bは、1以上かつ
（外１４）
0006492180.tif 000015
以下の整数である。
【００７４】
本発明の第8の態様に関して、第2の可能な実装において、前記送信機は、特に、前記第1のパイロット信号グループの信号容量を取得し、前記i個の第2のパイロット信号グループの各々の信号容量を取得し、前記第1のパイロット信号グループの前記信号容量及び前記i個の第2のパイロット信号グループの各々の前記信号容量に従って、前記送信側に前記プリコーディング・フィードバック情報を送信するように構成される。
【００７５】
本発明の第8の態様の第2の可能な実装に関して、第3の可能な実装において、iが1に等しい場合に、
前記第1のパイロット信号グループの前記信号容量は、前記第2のパイロット信号グループの前記信号容量より小さいか又は等しい場合に、前記プリコーディング・フィードバック情報は、現在のデータ送信に使用される前記プリコーディング行列が、次に前記送信側がデータを送信するときに使用されないということを示すのに使用される肯定応答指標である。
【００７６】
本発明の第8の態様の第2の可能な実装に関して、第4の可能な実装において、iが1より大きい場合に、
前記i個の第2のパイロット信号グループの中に、前記第1のパイロット信号グループの前記信号容量より大きい信号容量を有する1つ又は複数の第2のパイロット信号グループが存在する場合に、前記プリコーディング・フィードバック情報は、肯定応答指標、及び前記1つ又は複数の第2のパイロット信号グループに使用される1つの第2のプリコーディング行列又は複数の第2のプリコーディング行列のための1つのインデックス又は複数のインデックスであり、前記肯定応答指標は、現在のデータ送信に使用される前記プリコーディング行列が、次に前記送信側がデータを送信するときに使用されないということを示すのに使用される。
【００７７】
本発明の第8の態様の第2の可能な実装に関して、第5の可能な実装において、iが1より大きく、かつ前記i個の第2のパイロット信号グループが異なる場合に、
前記i個の第2のパイロット信号グループの中に、前記第1のパイロット信号グループの前記信号容量より大きい信号容量を有する1つ又は複数の第2のパイロット信号グループが存在する場合に、前記プリコーディング・フィードバック情報は、肯定応答指標、及び前記1つ又は複数の第2のパイロット信号グループのための1つのインデックス又は複数のインデックスであり、前記肯定応答指標は、現在のデータ送信に使用される前記プリコーディング行列が、次に前記送信側がデータを送信するときに使用されないということを示すのに使用される。
【００７８】
本発明の第8の態様の第2の可能な実装から第5の可能な実装のうちのいずれか1つに関して、第6の可能な実装において、前記第1のパイロット信号グループの前記信号容量は、前記第2のパイロット信号グループの前記信号容量より大きいか又は等しい場合に、前記プリコーディング・フィードバック情報は、現在のデータ送信に使用される前記プリコーディング行列が、次に前記送信側がデータを送信するときに使用されるということを示すのに使用される否定応答指標である。
【００７９】
本発明の第8の態様又は第8の態様の第2の可能な実装のいずれかに関して、第7の可能な実装において、iが1より大きい場合に、
前記プリコーディング・フィードバック情報は、前記第1のパイロット信号グループに使用される前記第1のプリコーディング行列のためのインデックス及び前記i個の第2のパイロット信号グループに使用される前記第2のプリコーディング行列のためのインデックスのうちの1つ又は複数である。
【００８０】
本発明の第8の態様又は第8の態様の第2の可能な実装のいずれかに関して、第8の可能な実装において、iが1より大きく、かつ前記i個の第2のパイロット信号グループが異なる場合に、
前記プリコーディング・フィードバック情報は、前記第1のパイロット信号グループ及び前記i個の第2のパイロット信号グループのためのインデックスのうちの1つ又は複数である。
【００８１】
本発明の第8の態様の第1の可能な実装に関して、第9の可能な実装において、前記プリコーディング・フィードバック情報は、前記M個の第1のパイロット信号に使用されるプリコーディング・ベクトル及び前記
（外１５）
0006492180.tif 000016
個の第2のパイロット信号に使用されるプリコーディング・ベクトルのうちの、B個のプリコーディング・ベクトルのためのインデックスである。
【００８２】
本発明の第8の態様の第1の可能な実装に関して、第10の可能な実装において、前記プリコーディング・フィードバック情報は、前記M個の第1のパイロット信号及び前記
（外１６）
0006492180.tif 000017
個の第2のパイロット信号のうちの、B個のパイロット信号のためのインデックスである。
【００８３】
本発明の実施形態により提供されるプリコーディング情報収集方法及び送信デバイスによれば、送信側は、受信側に対し、第1のプリコーディング行列を使用してプリコーディングされた第1のパイロット信号、及びN個の第2のプリコーディング行列を使用してプリコーディングされたN個の第2のパイロット信号を送信し、受信側によって送信されるプリコーディング・フィードバック情報を受信する。このことにより、受信側によって送信され、送信側がデータを送信するためのプリコーディング行列を助言するのに使用されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【００８４】
先行技術又は本発明の実施形態における技術的解決手段をより明確に説明するために、以下の記載は、実施形態又は先行技術を説明するために必要な添付図面を簡潔に説明する。以下の説明における添付図面は、本発明のいくつかの実施形態を示したものでに過ぎず、当業者は、これらの添付図面から創造的努力なしに他の図面をさらに導き出すことができることは明らかである。
【図面の簡単な説明】
【００８５】
【図１】本発明の実施形態による、プリコーディング情報収集方法のフローチャートである。
【図２】本発明の別の実施形態による、プリコーディング情報収集方法のフローチャートである。
【図３】本発明のさらに別の実施形態による、プリコーディング情報収集方法のフローチャートである。
【図４】本発明の別の実施形態による、プリコーディング情報収集方法のフローチャートである。
【図５】本発明の別の実施形態による、プリコーディング情報収集方法のフローチャートである。
【図６】本発明の別の実施形態による、プリコーディング情報収集方法のフローチャートである。
【図７】本発明の別の実施形態による、プリコーディング情報収集方法のフローチャートである。
【図８】本発明の別の実施形態による、プリコーディング情報収集方法のフローチャートである。
【図９】本発明の別の実施形態による、別のプリコーディング情報収集方法のフローチャートである。
【図１０】本発明の実施形態による、送信側の概略構成図である。
【図１１】本発明の別の実施形態による、受信側の概略構成図である。
【図１２】本発明の別の実施形態による、送信側の概略構成図である。
【図１３】本発明の別の実施形態による、受信側の概略構成図である。
【発明を実施するための形態】
【００８６】
以下の記載は、本発明の実施形態における添付図面を参照して本発明の実施形態における技術的解決手段を明確かつ完全に説明する。説明される実施形態は、本発明の実施形態のうちの全てではなく、いくつかに過ぎないことは明らかである。当業者により、本発明の実施形態に基づいて創造的努力なしに得られる全ての他の実施形態は、本発明の保護範囲内に入るものとする。
【００８７】
さらに、「システム」及び「ネットワーク」という用語は、本明細書では交換可能に使用され得る。本明細書中の「及び/又は」という用語は、関連する対象物を説明するための対応関係のみを説明し、3つの関係性が存在し得ることを表す。例えば、A及び/又はBは、以下の3つの場合、Aのみが存在する場合、A及びBの両方が存在する場合、並びに、Bのみが存在する場合を表し得る。さらに、本明細書中の記号「/」は、通常、関連する対象物間の「又は」の関係性を示す。
【００８８】
本発明の実施形態において提供されるプリコーディング情報収集方法は、マルチアンテナ通信システムに適用される。マルチアンテナ通信システムは、送信側及び受信側を含む。可能な実装において、データは、送信側と受信側との間で、シングル・ストリーム方式で送信される。別の可能な実装において、データは、送信側と少なくとも1つの受信側との間で、マルチストリーム方式で送信される。当業者による理解を容易にするために、下記は、前述の2つの実装を別々に説明する。詳細は以下の通りである。
【００８９】
本発明の実施形態は、プリコーディング情報収集方法を提供する。図1に示されるように、方法は、以下のステップを含んでもよい。
【００９０】
S101:送信側は、第1のプリコーディング行列に従って第1のパイロット信号をプリコーディングし、プリコーディングされた第1のパイロット信号を受信側に送信する。
【００９１】
第1のプリコーディング行列は、現在のデータ送信に使用されるプリコーディング行列と同一である。
【００９２】
S102:送信側は、N個の第2のプリコーディング行列に従ってN個の第2のパイロット信号をプリコーディングし、N個のプリコーディングされた第2のパイロット信号を受信側に送信する。
【００９３】
Nは、1以上の整数であり、第2のパイロット信号をプリコーディングするのに使用される第2のプリコーディング行列は、互いに異なり、N個の第2のプリコーディング行列は、第1のプリコーディング行列とは異なる。
【００９４】
S103:送信側は、受信側によって送信されるプリコーディング・フィードバック情報を受信する。
【００９５】
プリコーディング・フィードバック情報は、受信側が、送信側に次のデータ送信に使用するように助言する、プリコーディング行列に関する情報として理解されてもよい。
【００９６】
本発明の本実施形態により提供されるプリコーディング情報収集方法によれば、送信側は、受信側に対し、第1のプリコーディング行列を使用してプリコーディングされた第1のパイロット信号、及びN個の第2のプリコーディング行列を使用してプリコーディングされたN個の第2のパイロット信号を送信し、受信側によって送信されるプリコーディング・フィードバック情報を受信する。このことにより、受信側によって送信され、送信側がデータを送信するためのプリコーディング行列を助言するのに使用されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【００９７】
さらに、第2のプリコーディング行列の数量Nが、S102において、1に等しい場合に、送信側によりS103において受信されるプリコーディング・フィードバック情報は、肯定応答指標である。
【００９８】
肯定応答指標は、現在のデータ送信に使用されるプリコーディング行列が、次のデータ送信に使用されないということを示すのに使用される。
【００９９】
さらに、第2のプリコーディング行列の数量Nが、S102において、1に等しい場合に、送信側によりS103において受信されるプリコーディング・フィードバック情報は、肯定応答指標、及びN個の第2のプリコーディング行列のためのインデックスのうちの1つ又は複数である。
【０１００】
さらに、第2のプリコーディング行列の数量Nが、S102において、1に等しく、かつN個の第2のパイロット信号が異なる場合に、送信側によりS103において受信されるプリコーディング・フィードバック情報は、肯定応答指標、及びN個の第2のパイロット信号のためのインデックスのうちの1つ又は複数である。
【０１０１】
さらに、送信側によりS103において受信されるプリコーディング・フィードバック情報は、否定応答指標である。
【０１０２】
否定応答指標は、現在のデータ送信に使用されるプリコーディング行列が、次のデータ送信に使用されるということを示すのに使用される。
【０１０３】
さらに、第2のプリコーディング行列の数量Nが、S102において、1より大きい場合に、送信側によりS103において受信されるプリコーディング・フィードバック情報は、第1のプリコーディング行列及びN個の第2のプリコーディング行列のためのインデックスのうちの1つ又は複数である。
【０１０４】
さらに、第2のプリコーディング行列の数量Nが、S102において、1より大きく、かつN個の第2のパイロット信号が異なる場合に、送信側によりS103において受信されるプリコーディング・フィードバック情報は、第1のパイロット信号及びN個の第2のパイロット信号のためのインデックスのうちの1つ又は複数である。
【０１０５】
さらに、本発明の本実施形態では、データが、送信側と受信側との間で、シングル・ストリーム方式で送信される。
【０１０６】
本発明の別の実施形態は、プリコーディング情報収集方法を提供する。図2に示されるように、方法は、以下のステップを含んでもよい。
【０１０７】
S201:受信側は、送信側によって送信されるプリコーディングされた第1のパイロット信号を受信し、送信側によって送信されるN個のプリコーディングされた第2のパイロット信号を受信する。
【０１０８】
Nは、1以上の整数である。
【０１０９】
S202:受信側は、プリコーディングされた第1のパイロット信号を復調して、第1のパイロット信号を取得し、N個のプリコーディングされた第2のパイロット信号を復調して、それぞれ、N個の第2のパイロット信号を取得する。
【０１１０】
S203:受信側は、第1のパイロット信号及びN個の第2のパイロット信号に従って、送信側にプリコーディング・フィードバック情報を送信する。
【０１１１】
本発明の本実施形態により提供されるプリコーディング情報収集方法によれば、送信側により送信される、プリコーディングされた第1のパイロット信号及びN個のプリコーディングされた第2のパイロット信号を受信した後、受信側は、プリコーディングされた第1のパイロット信号を復調して、第1のパイロット信号を取得し、N個のプリコーディングされた第2のパイロット信号を復調して、それぞれ、N個の第2のパイロット信号を取得し、送信側に対し、取得された第1のパイロット信号及びN個の第2のパイロット信号に従って、送信側がデータを送信するためのプリコーディング行列を助言するのに使用されるプリコーディング・フィードバック情報を送信する。このことにより、受信側によって送信されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【０１１２】
さらに、可能な実装において、S203は、具体的には以下の通りであってもよい。受信側は、第1のパイロット信号の信号品質を取得し、N個の第2のパイロット信号の各々の信号品質を取得し、取得された第1のパイロット信号の信号品質及び取得されたN個の第2のパイロット信号の各々の信号品質に従って、送信側にプリコーディング・フィードバック情報を送信する。
【０１１３】
例えば、パイロット信号の信号品質を測定する指標は、受信信号レベル、信号の信号対干渉雑音比(英文正式名称:Signal  to  Interference  plus  Noise  Ratio、略してSINR)などであってもよい。受信側によって第1のパイロット信号の信号品質及び第2のパイロット信号の信号品質を取得するプロセスは、パイロット信号の信号品質を測定する指標が、信号のSINRである例を用いて説明される。受信側は、第1のパイロット信号によって占有されるリソースエレメントにおける第1のパイロット信号の電力PRS及び干渉信号電力PIを個別に測定し、システム雑音電力PNを測定し、次いでPRS/(PI＋PN)に従って第1のパイロット信号のSINRを測定できる。同様に、受信側は、第1のパイロット信号の信号品質を取得するプロセスに関連して、第2のパイロット信号の信号品質を取得できる。
【０１１４】
さらに、別の可能な実装において、S203は、具体的には以下の通りであってもよい。受信側は、第1のパイロット信号の信号容量を取得し、N個の第2のパイロット信号の各々の信号容量を取得し、取得された第1のパイロット信号の信号容量及び取得されたN個の第2のパイロット信号の各々の信号容量に従って、送信側にプリコーディング・フィードバック情報を送信する。
【０１１５】
例えば、パイロット信号の信号容量を測定する指標は、スループット、許容最大ユーザ量などであってもよい。受信側によって第1のパイロット信号の信号容量及び第2のパイロット信号の信号容量を取得するプロセスは、パイロット信号の信号容量を測定する指標が、スループットである例を用いて説明される。受信側は、第1のパイロット信号の受信レベル又はSINRなどの指標を用いて、第1のパイロット信号のスループットを取得することができる。同様に、受信側は、第1のパイロット信号の信号容量を取得するプロセスに関連して、第2のパイロット信号の信号容量を取得できる。
【０１１６】
さらに、Nが1に等しい場合に、第1のパイロット信号の信号品質が、第2のパイロット信号の信号品質より低いか又は等しいと、受信側が判断する場合、又は、第1のパイロット信号の信号容量が、第2のパイロット信号の信号容量より小さいか又は等しいと、受信側が判断する場合、受信側によって送信側に送信されるプリコーディング・フィードバック情報は、肯定応答指標である。
【０１１７】
肯定応答指標は、現在のデータ送信に使用されるプリコーディング行列が、次に送信側がデータを送信するときに使用されないということを示すのに使用される。
【０１１８】
さらに、Nが1より大きい場合に、N個の第2のパイロット信号の中に、第1のパイロット信号の信号品質より高い信号品質を有する1つ又は複数の第2のパイロット信号が存在すると、受信側が判断する場合、又は、N個の第2のパイロット信号の中に、第1のパイロット信号の信号容量より大きい信号容量を有する1つ又は複数の第2のパイロット信号が存在すると、受信側が判断する場合、受信側によって送信側に送信されるプリコーディング・フィードバック情報は、肯定応答指標、及び1つ又は複数の第2のパイロット信号に使用される1つの第2のプリコーディング行列又は複数の第2のプリコーディング行列のための1つのインデックス又は複数のインデックスである。
【０１１９】
肯定応答指標は、現在のデータ送信に使用されるプリコーディング行列が、次に送信側がデータを送信するときに使用されないということを示すのに使用される。
【０１２０】
さらに、Nが1より大きく、かつN個の第2のパイロット信号が異なる場合に、N個の第2のパイロット信号の中に、第1のパイロット信号の信号品質より高い信号品質を有する1つ又は複数の第2のパイロット信号が存在すると、受信側が判断する場合、又は、N個の第2のパイロット信号の中に、第1のパイロット信号の信号容量より大きい信号容量を有する1つ又は複数の第2のパイロット信号が存在すると、受信側が判断する場合、受信側によって送信側に送信されるプリコーディング・フィードバック情報は、肯定応答指標、及び1つ又は複数の第2のパイロット信号のための1つのインデックス又は複数のインデックスである。
【０１２１】
さらに、第1のパイロット信号の信号品質が、第2のパイロット信号の信号品質より高いか又は等しいと、受信側が判断する場合、又は、第1のパイロット信号の信号容量が、第2のパイロット信号の信号容量より大きいか又は等しいと、受信側が判断する場合、受信側によって送信側に送信されるプリコーディング・フィードバック情報は、否定応答指標である。
【０１２２】
否定応答指標は、現在のデータ送信に使用されるプリコーディング行列が、次に送信側がデータを送信するときに使用されるということを示すのに使用される。
【０１２３】
さらに、Nが1より大きい場合に、受信側によって送信側に送信されるプリコーディング・フィードバック情報が、第1のパイロット信号に使用される第1のプリコーディング行列のためのインデックス及びN個の第2のパイロット信号に使用される第2のプリコーディング行列のためのインデックスのうちの1つ又は複数である。
【０１２４】
さらに、Nが1より大きく、かつN個の第2のパイロット信号が異なる場合に、プリコーディング・フィードバック情報は、第1のパイロット信号及びN個の第2のパイロット信号のためのインデックスのうちの1つ又は複数である。
【０１２５】
さらに、本発明の本実施形態では、データが、送信側と受信側との間で、シングル・ストリーム方式で送信される。
【０１２６】
本発明の別の実施形態は、プリコーディング情報収集方法を提供する。方法の特定の実装プロセスは、第2のパイロット信号の数量Nが1に等しい例を用いて詳細に説明される。図3に示されるように、方法は、以下のステップを含んでもよい。
【０１２７】
S301:送信側は、第1のプリコーディング行列に従って第1のパイロット信号をプリコーディングし、プリコーディングされた第1のパイロット信号を受信側に送信する。
【０１２８】
第1のプリコーディング行列は、現在のデータ送信に使用されるプリコーディング行列と同一である。
【０１２９】
S302:送信側は、第2のプリコーディング行列に従って第2のパイロット信号をプリコーディングし、プリコーディングされた第2のパイロット信号を受信側に送信する。
【０１３０】
例えば、第2のプリコーディング行列は、補正用プリコーディング行列及び第1のプリコーディング行列に従って取得されてもよい。例えば、第2のプリコーディング行列は、補正用プリコーディング行列及び第1のプリコーディング行列の和に等しい。補正用プリコーディング行列は、送信側によってランダムに生成される。生成された補正用プリコーディング行列の分布が、予め設定された範囲内にある確率は、0より大きい。例えば、生成された補正用プリコーディング行列の分布は、一定特徴を有する一様分布であってもよく、ガウス分布であってもよく、又は特徴が変化する一様分布であってもよい。
【０１３１】
送信側は、プリコーディングされた第2のパイロット信号を受信側に対して、プリコーディングされた第1のパイロット信号が送信されるのと同じ時点に送信してもよく、プリコーディングされた第2のパイロット信号を受信側に対して、プリコーディングされた第1のパイロット信号が送信されるのと異なる時点に送信してもよく、又は、プリコーディングされた第2のパイロット信号を受信側に対して、プリコーディングされた第1のパイロット信号が送信される頻度と異なる頻度で送信してもよいことに、留意すべきである。
【０１３２】
S303:受信側は、送信側によって送信されるプリコーディングされた第1のパイロット信号を受信し、送信側によって送信されるプリコーディングされた第2のパイロット信号を受信する。
【０１３３】
S304:受信側は、プリコーディングされた第1のパイロット信号を復調して、第1のパイロット信号を取得し、プリコーディングされた第2のパイロット信号を復調して、第2のパイロット信号を取得する。
【０１３４】
S305:受信側は、第1のパイロット信号及び第2のパイロット信号に従って、送信側にプリコーディング・フィードバック情報を送信する。
【０１３５】
可能な実装において、S305は、具体的には、S305a1及びS305a2を含んでもよい。
【０１３６】
S305a1:受信側は、第1のパイロット信号の信号品質を取得し、第2のパイロット信号の信号品質を取得する。
【０１３７】
S305a2:受信側は、第1のパイロット信号の信号品質及び第2のパイロット信号の信号品質に従って、送信側にプリコーディング・フィードバック情報を送信する。
【０１３８】
別の可能な実装において、S305は、具体的には、S305b1及びS305b2を含んでもよい。
【０１３９】
S305b1:受信側は、第1のパイロット信号の信号容量を取得し、第2のパイロット信号の信号容量を取得する。
【０１４０】
S305b2:受信側は、第1のパイロット信号の信号容量及び第2のパイロット信号の信号容量に従って、送信側にプリコーディング・フィードバック情報を送信する。
【０１４１】
上記にかかわらず、受信側は、代替的には、第1のパイロット信号の干渉量及び第2のパイロット信号の干渉量に従って、送信側にプリコーディング・フィードバック情報を送信してもよい。本発明の本実施形態において、受信側が第1のパイロット信号及び第2のパイロット信号に従って送信側にプリコーディング・フィードバック情報を送信する特定の実装に対して、本明細書ではいかなる限定も課されない。対応する選択は、実際の適用シナリオにより必要なものとして行われてもよい。
【０１４２】
下記は、受信側が、第1のパイロット信号の信号品質及び第2のパイロット信号の信号品質に従って、送信側にプリコーディング・フィードバック情報を送信する例を用いて、受信側によって送信側に送信される、プリコーディング・フィードバック情報の具体的な内容を説明する。第1のパイロット信号の信号品質及び第2のパイロット信号の信号品質を取得した後、受信側は、第1のパイロット信号の信号品質を第2のパイロット信号の信号品質と比較する。第1のパイロット信号の信号品質が、第2のパイロット信号の信号品質より低いか又は等しいと、受信側が判断する場合、受信側によって送信側に送信されるプリコーディング・フィードバック情報は、肯定応答指標である。第1のパイロット信号の信号品質が、第2のパイロット信号の信号品質より高いか又は等しいと、受信側が判断する場合、受信側によって送信側に送信されるプリコーディング・フィードバック情報は、否定応答指標である。
【０１４３】
肯定応答指標は、現在のデータ送信に使用されるプリコーディング行列が、次に送信側がデータを送信するときに使用されないということを示すのに使用される。肯定応答指標は、送信側が、現在のデータ送信に使用されるプリコーディング行列を更新する必要があるということを示すのに使用されることも、理解されてもよい。否定応答指標は、現在のデータ送信に使用されるプリコーディング行列が、次に送信側がデータを送信するときに使用されるということを示すのに使用される。例えば、受信側によって送信側に送信されるプリコーディング・フィードバック情報に含まれる1つのビットがある。例えば、0は、否定応答指標を表し、1は、肯定応答指標を表す。
【０１４４】
第1のパイロット信号の信号容量及び第2のパイロット信号の信号容量に従って、受信側によって送信側にプリコーディング・フィードバック情報を送信するプロセスについては、第1のパイロット信号の信号品質及び第2のパイロット信号の信号品質に従って、受信側によって送信側にプリコーディング・フィードバック情報を送信するプロセスに対して参照が行われてもよいことに留意すべきである。さらなる詳細は、本明細書では説明されない。
【０１４５】
S306:送信側は、受信側によって送信されるプリコーディング・フィードバック情報を受信する。
【０１４６】
送信側によって受信されるプリコーディング・フィードバック情報は、肯定応答指標であってもよく、又は否定応答指標であってもよい。例えば、送信側によって受信されるプリコーディング・フィードバック情報が1であるとき、送信側は、受信されたプリコーディング・フィードバック情報に従って、現在のデータ送信に使用されるプリコーディング行列が次のデータ送信に使用されないことを受信側が助言しているということを知ることができる。即ち、送信側は、プリコーディング・フィードバック情報に従って、送信側が現在のデータ送信に使用されるプリコーディング行列を更新する必要があることを知ることができる。
【０１４７】
送信側が、受信側によって送信されたプリコーディング・フィードバック情報を受信した後、送信側は、受信されたプリコーディング・フィードバック情報に従って、次のデータ送信に使用されるプリコーディング行列を決定することができる。例えば、送信側によって受信されるプリコーディング・フィードバック情報が、肯定応答指標であるとき、送信側は、次のデータ送信に使用されるプリコーディング行列が、第2のプリコーディング行列であると決定する。送信側によって受信されるプリコーディング・フィードバック情報が、否定応答指標であるとき、送信側は、次のデータ送信に使用されるプリコーディング行列が、第1のプリコーディング行列であると決定する。
【０１４８】
実際の適用では、受信側によって送信されるプリコーディング・フィードバック情報を受信することに加えて、送信側は、複数の他の受信側によって送信されるプリコーディング・フィードバック情報をさらに受信してもよく、受信された複数のプリコーディング・フィードバック情報を包括的に考慮することにより、他の受信側に対して起こす干渉が最も軽微な1つのプリコーディング行列を、受信側との次のデータ送信に使用されるプリコーディング行列として決定してもよい。例えば、受信された複数のプリコーディング・フィードバック情報を包括的に考慮することにより送信側によって決定される、次のデータ送信に使用されるプリコーディング行列は、第2のプリコーディング行列である。
【０１４９】
送信側が、次のデータ送信に使用されるプリコーディング行列を決定した後、送信側は、決定されたプリコーディング行列に従って、データを送信することができる。同時に、受信側が、送信側によって送信されるデータを正確に復調し得ることを保証するために、送信側は、また、送信されたデータを復調するのに使用されるパイロット信号を送信する必要がある。それによって、可能な実装において、送信側は、第3のパイロット信号を第3のプリコーディング行列に従ってプリコーディングし、プリコーディングされた第3のパイロット信号を受信側に送信する。別の可能な実装において、無線チャネル環境がリアルタイムに変化するため、送信側は、また、次の時点に送信側によって決定されたプリコーディング行列における誤差が最も小さいかどうかを判断する必要がある。即ち、送信側は、また、次の時点に送信側によって決定されたプリコーディング行列が、実際のデータ送信チャネルに最も適合するかどうかを判断する必要がある。言い換えると、送信側は、第4のパイロット信号を第4のプリコーディング行列に従ってプリコーディングし、プリコーディングされた第4のパイロット信号を受信側に送信する。
【０１５０】
第3のプリコーディング行列は、受信側からのプリコーディング・フィードバック情報に従って、送信側によって決定されるプリコーディング行列であり、第4のプリコーディング行列は、第3のプリコーディング行列とは異なる。例えば、第4のプリコーディング行列は、補正用プリコーディング行列及び第3のプリコーディング行列に従って取得されてもよい。例えば、第4のプリコーディング行列は、補正用プリコーディング行列及び第3のプリコーディング行列の和に等しい。
【０１５１】
送信側は、プリコーディングされた第4のパイロット信号を受信側に対して、プリコーディングされた第3のパイロット信号が送信されるのと同じ時点に送信してもよく、プリコーディングされた第4のパイロット信号を受信側に対して、プリコーディングされた第3のパイロット信号が送信されるのと異なる時点に送信してもよく、又は、プリコーディングされた第4のパイロット信号を受信側に対して、プリコーディングされた第3のパイロット信号が送信される頻度と異なる頻度で送信してもよいことに、留意すべきである。
【０１５２】
本発明の本実施形態により提供されるプリコーディング情報収集方法によれば、送信側は、受信側に対し、第1のプリコーディング行列を使用してプリコーディングされた第1のパイロット信号、及びN個の第2のプリコーディング行列を使用してプリコーディングされたN個の第2のパイロット信号を送信し、受信側によって送信されるプリコーディング・フィードバック情報を受信する。このことにより、受信側によって送信され、送信側がデータを送信するためのプリコーディング行列を助言するのに使用されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【０１５３】
さらに、送信側は、受信されるプリコーディング・フィードバック情報に従って、次のデータ送信に使用されるプリコーディング行列を常に調整する。このことが、次のデータ送信に使用されるプリコーディング行列の誤差を徐々に減少させ、無線通信システムの性能をさらに改善することができる。
【０１５４】
本発明の別の実施形態は、図4に示されるプリコーディング情報収集方法を提供する。第1の適用シナリオでは、本発明の本実施形態によって提供されるプリコーディング情報収集方法の特定の実装プロセスが、第2のパイロット信号の数量Nが1より大きく、プリコーディング・フィードバック情報が、肯定応答指標及びN個の第2のプリコーディング行列のためのインデックスのうちの1つ又は複数であるか、又はプリコーディング・フィードバック情報が否定応答指標である例を用いて、詳細に説明される。この適用シナリオでは、方法は、以下のステップを含んでもよい。
【０１５５】
S401:送信側は、第1のプリコーディング行列に従って第1のパイロット信号をプリコーディングし、プリコーディングされた第1のパイロット信号を受信側に送信する。
【０１５６】
第1のプリコーディング行列は、現在のデータ送信に使用されるプリコーディング行列と同一である。
【０１５７】
S402:送信側は、N個の第2のプリコーディング行列に従ってN個の第2のパイロット信号をプリコーディングし、N個のプリコーディングされた第2のパイロット信号を受信側に送信する。
【０１５８】
Nは、1より大きい整数であり、第2のパイロット信号をプリコーディングするのに使用される第2のプリコーディング行列は、互いに異なり、N個の第2のプリコーディング行列は、第1のプリコーディング行列とは異なる。N個の第2のパイロット信号は、同一であってもよく、又は異なっていてもよい。具体的には、送信側は、1番目の第2のパイロット信号を1番目の第2のプリコーディング行列に従ってプリコーディングし、1番目のプリコーディングされた第2のパイロット信号を受信側に送信する。送信側は、2番目の第2のパイロット信号を2番目の第2のプリコーディング行列に従ってプリコーディングし、2番目のプリコーディングされた第2のパイロット信号を受信側に送信する。類推により、送信側は、N番目の第2のパイロット信号をN番目の第2のプリコーディング行列に従ってプリコーディングし、N番目のプリコーディングされた第2のパイロット信号を受信側に送信する。例えば、異なる第2のプリコーディング行列は、異なる補正用プリコーディング行列及び第1のプリコーディング行列に従って取得されてもよい。例えば、1番目の第2のプリコーディング行列は、1番目の補正用プリコーディング行列及び第1のプリコーディング行列の和に等しい。2番目の第2のプリコーディング行列は、2番目の補正用プリコーディング行列及び第1のプリコーディング行列の和に等しい。類推により、N番目の第2のプリコーディング行列は、N番目の補正用プリコーディング行列及び第1のプリコーディング行列の和に等しい。N個の補正用プリコーディング行列は、送信側によってランダムに生成され、N個の補正用プリコーディング行列の分布が、予め設定された範囲内にある確率は、0より大きい。例えば、N個の補正用プリコーディング行列の分布は、一定特徴を有する一様分布であってもよく、ガウス分布であってもよく、又は特徴が変化する一様分布であってもよい。
【０１５９】
送信側は、N個のプリコーディングされた第2のパイロット信号を受信側に対して、プリコーディングされた第1のパイロット信号が送信されるのと同じ時点に送信してもよく、N個のプリコーディングされた第2のパイロット信号を受信側に対して、プリコーディングされた第1のパイロット信号が送信されるのと異なる時点に送信してもよく、又は、N個のプリコーディングされた第2のパイロット信号を受信側に対して、プリコーディングされた第1のパイロット信号が送信される頻度と異なる頻度で送信してもよいことに、留意すべきである。
【０１６０】
S403:受信側は、送信側によって送信されるプリコーディングされた第1のパイロット信号を受信し、送信側によって送信されるN個のプリコーディングされた第2のパイロット信号を受信する。
【０１６１】
S404:受信側は、プリコーディングされた第1のパイロット信号を復調して、第1のパイロット信号を取得し、N個のプリコーディングされた第2のパイロット信号を復調して、それぞれ、N個の第2のパイロット信号を取得する。
【０１６２】
S405:受信側は、第1のパイロット信号及びN個の第2のパイロット信号に従って、送信側にプリコーディング・フィードバック情報を送信する。
【０１６３】
可能な実装において、S405は、具体的には、S405a1及びS405a2を含んでもよい。
【０１６４】
S405a1:受信側は、第1のパイロット信号の信号品質を取得し、N個の第2のパイロット信号の各々の信号品質を取得する。
【０１６５】
S405a2:受信側は、第1のパイロット信号の信号品質及びN個の第2のパイロット信号の各々の信号品質に従って、送信側にプリコーディング・フィードバック情報を送信する。
【０１６６】
別の可能な実装において、S405は、具体的には、S405b1及びS405b2を含んでもよい。
【０１６７】
S405b1:受信側は、第1のパイロット信号の信号容量を取得し、N個の第2のパイロット信号の各々の信号容量を取得する。
【０１６８】
S405b2:受信側は、第1のパイロット信号の信号容量及びN個の第2のパイロット信号の各々の信号容量に従って、送信側にプリコーディング・フィードバック情報を送信する。
【０１６９】
上記にかかわらず、受信側は、代替的には、第1のパイロット信号の干渉量及びN個の第2のパイロット信号の干渉量に従って、送信側にプリコーディング・フィードバック情報を送信してもよい。本発明の本実施形態において、受信側が第1のパイロット信号及びN個の第2のパイロット信号に従って送信側にプリコーディング・フィードバック情報を送信する特定の実装に対して、本明細書ではいかなる限定も課されない。対応する選択は、実際の適用シナリオにより必要なものとして行われてもよい。
【０１７０】
下記は、受信側が、第1のパイロット信号の信号品質及びN個の第2のパイロット信号の各々の信号品質に従って、送信側にプリコーディング・フィードバック情報を送信する例を用いて、受信側によって送信側に送信される、プリコーディング・フィードバック情報の具体的な内容を説明する。
【０１７１】
第1のパイロット信号の信号品質及びN個の第2のパイロット信号の各々の信号品質を取得した後、受信側は、第1のパイロット信号の信号品質をN個の第2のパイロット信号の各々の信号品質と比較する。N個の第2のパイロット信号の中に、第1のパイロット信号の信号品質より高い信号品質を有する1つ又は複数の第2のパイロット信号が存在すると、受信側が判断する場合、受信側によって送信側に送信されるプリコーディング・フィードバック情報は、肯定応答指標、及び1つ又は複数の第2のパイロット信号に使用される1つの第2のプリコーディング行列又は複数の第2のプリコーディング行列のための1つのインデックス又は複数のインデックスである。第1のパイロット信号の信号品質が、第2のパイロット信号の信号品質より高いか又は等しいと、受信側が判断する場合、受信側によって送信側に送信されるプリコーディング・フィードバック情報は、否定応答指標である。
【０１７２】
肯定応答指標は、現在のデータ送信に使用されるプリコーディング行列が、次に送信側がデータを送信するときに使用されないということを示すのに使用される。肯定応答指標は、送信側が、現在のデータ送信に使用されるプリコーディング行列を更新する必要があるということを示すのに使用されることも、理解されてもよい。否定応答指標は、現在のデータ送信に使用されるプリコーディング行列が、次に送信側がデータを送信するときに使用されるということを示すのに使用される。例えば、0は、否定応答指標を表し、1は、肯定応答指標を表す。Nが7に等しい場合に、第1のパイロット信号をプリコーディングするのに使用される第1のプリコーディング行列のためのインデックスは、000であり、N個の第2のパイロット信号(1番目の第2のパイロット信号から7番目の第2のパイロット信号まで)をプリコーディングするのに使用される第2のプリコーディング行列のためのインデックスは、それぞれ、001、010、011、100、101、110、及び111であると定義されてもよい。7個の第2のパイロット信号のうちの1番目の信号品質及び7個の第2のパイロット信号のうちの7番目の信号品質が、いずれも第1のパイロット信号の信号品質より高いと、受信側が判断する場合、受信側によって送信側に送信されるプリコーディング・フィードバック情報は、1、001、及び111である。第1のパイロット信号の信号品質が、7個の第2のパイロット信号それぞれの信号品質より高いと、受信側が判断する場合、送信側に送信されるプリコーディング・フィードバック情報は、0である。
【０１７３】
第1のパイロット信号の信号容量及びN個の第2のパイロット信号の信号容量に従って、受信側によって送信側にプリコーディング・フィードバック情報を送信するプロセスについては、第1のパイロット信号の信号品質及びN個の第2のパイロット信号の信号品質に従って、受信側によって送信側にプリコーディング・フィードバック情報を送信するプロセスに対して参照が行われてもよいことに留意すべきである。さらなる詳細は、本明細書では説明されない。
【０１７４】
S406:送信側は、受信側によって送信されるプリコーディング・フィードバック情報を受信する。
【０１７５】
プリコーディング・フィードバック情報は、肯定応答指標、及びN個の第2のプリコーディング行列のためのインデックスのうちの1つ又は複数であってもよく、又は否定応答指標であってもよい。例えば、送信側によって受信されるプリコーディング・フィードバック情報が、1、001、及び111であるとき、受信されたプリコーディング・フィードバック情報に従って、送信側は、現在のデータ送信に使用されるプリコーディング行列が次のデータ送信に使用されないことを受信側が助言しているということを知ることができるだけでなく、受信側によって助言される、次のデータ送信に使用されるプリコーディング行列は、インデックスが001及び111である第2のプリコーディング行列であるということも知ることができる。即ち、送信側は、受信されたプリコーディング・フィードバック情報に従って、現在のデータ送信に使用されるプリコーディング行列が更新される必要があることを知ることができる。
【０１７６】
送信側が、受信側によって送信されたプリコーディング・フィードバック情報を受信した後、送信側は、受信されたプリコーディング・フィードバック情報に従って、次のデータ送信に使用されるプリコーディング行列を決定することができる。例えば、送信側によって受信されるプリコーディング・フィードバック情報が、肯定応答指標及びN個の第2のプリコーディング行列のためのインデックスのうちの1つ又は複数であるとき、送信側は、次のデータ送信に使用されるプリコーディング行列が、インデックスに対応する第2のプリコーディング行列であると決定する。送信側によって受信されるプリコーディング・フィードバック情報が、否定応答指標であるとき、送信側は、次のデータ送信に使用されるプリコーディング行列が、第1のプリコーディング行列であると決定する。
【０１７７】
実際の適用では、受信側によって送信されるプリコーディング・フィードバック情報を受信することに加えて、送信側は、複数の他の受信側によって送信されるプリコーディング・フィードバック情報をさらに受信してもよく、受信された複数のプリコーディング・フィードバック情報を包括的に考慮することにより、他の受信側に対して起こす干渉が最も軽微な1つのプリコーディング行列を、受信側との次のデータ送信に使用されるプリコーディング行列として決定してもよい。例えば、受信された複数のプリコーディング・フィードバック情報を包括的に考慮することにより送信側によって決定される、次のデータ送信に使用されるプリコーディング行列は、001に対応する第2のプリコーディング行列である。
【０１７８】
送信側が、次のデータ送信に使用されるプリコーディング行列を決定した後、送信側は、決定されたプリコーディング行列に従って、データを送信することができる。同時に、受信側が、送信側によって送信されるデータを正確に復調し得ることを保証するために、送信側は、また、送信されたデータを復調するのに使用されるパイロット信号を送信する必要がある。したがって、可能な実装において、送信側は、第3のパイロット信号を第3のプリコーディング行列に従ってプリコーディングし、プリコーディングされた第3のパイロット信号を受信側に送信する。別の可能な実装において、無線チャネル環境がリアルタイムに変化するため、送信側は、また、次の時点に送信側によって決定されたプリコーディング行列における誤差が最も小さいかどうかを判断する必要がある。即ち、送信側は、また、次の時点に送信側によって決定されたプリコーディング行列が、実際のデータ送信チャネルに最も適合するかどうかを判断する必要がある。言い換えると、送信側は、N個の第4のパイロット信号をN個の第4のプリコーディング行列に従ってプリコーディングし、N個のプリコーディングされた第4のパイロット信号を受信側に送信する。
【０１７９】
第3のプリコーディング行列は、受信側からのプリコーディング・フィードバック情報に従って、送信側によって決定されるプリコーディング行列であり、第4のパイロット信号をプリコーディングするのに使用される第4のプリコーディング行列は、互いに異なり、N個の第4のプリコーディング行列は、第3のプリコーディング行列とは異なる。
【０１８０】
送信側は、N個のプリコーディングされた第4のパイロット信号を受信側に対して、プリコーディングされた第3のパイロット信号が送信されるのと同じ時点に送信してもよく、N個のプリコーディングされた第4のパイロット信号を受信側に対して、プリコーディングされた第3のパイロット信号が送信されるのと異なる時点に送信してもよく、又は、N個のプリコーディングされた第4のパイロット信号を受信側に対して、プリコーディングされた第3のパイロット信号が送信される頻度と異なる頻度で送信してもよいことに、留意すべきである。
【０１８１】
第2の適用シナリオでは、本発明の本実施形態に従って図4に示されるプリコーディング情報収集方法の特定の実装プロセスが、第2のパイロット信号の数量Nが1より大きく、N個の第2のパイロット信号が異なり、プリコーディング・フィードバック情報が、肯定応答指標及びN個の第2のパイロット信号のためのインデックスのうちの1つ又は複数であるか、或いはプリコーディング・フィードバック情報が否定応答指標である例を用いて、詳細に説明される。この適用シナリオでは、方法は、以下のステップを含んでもよい。
【０１８２】
S501:送信側は、第1のプリコーディング行列に従って第1のパイロット信号をプリコーディングし、プリコーディングされた第1のパイロット信号を受信側に送信する。
【０１８３】
第1のプリコーディング行列は、現在のデータ送信に使用されるプリコーディング行列と同一である。
【０１８４】
S502:送信側は、N個の第2のプリコーディング行列に従ってN個の第2のパイロット信号をプリコーディングし、N個のプリコーディングされた第2のパイロット信号を受信側に送信する。
【０１８５】
Nは、1より大きい整数であり、第2のパイロット信号をプリコーディングするのに使用される第2のプリコーディング行列は、互いに異なり、N個の第2のプリコーディング行列は、第1のプリコーディング行列とは異なる。
【０１８６】
S503:受信側は、送信側によって送信されるプリコーディングされた第1のパイロット信号を受信し、送信側によって送信されるN個のプリコーディングされた第2のパイロット信号を受信する。
【０１８７】
S504:受信側は、プリコーディングされた第1のパイロット信号を復調して、第1のパイロット信号を取得し、N個のプリコーディングされた第2のパイロット信号を復調して、それぞれ、N個の第2のパイロット信号を取得する。
【０１８８】
S505:受信側は、第1のパイロット信号及びN個の第2のパイロット信号に従って、送信側にプリコーディング・フィードバック情報を送信する。
【０１８９】
可能な実装において、S505は、具体的には、S505a1及びS505a2を含んでもよい。
【０１９０】
S505a1:受信側は、第1のパイロット信号の信号品質を取得し、N個の第2のパイロット信号の各々の信号品質を取得する。
【０１９１】
S505a2:受信側は、第1のパイロット信号の信号品質及びN個の第2のパイロット信号の各々の信号品質に従って、送信側にプリコーディング・フィードバック情報を送信する。
【０１９２】
別の可能な実装において、S505は、具体的には、S505b1及びS505b2を含んでもよい。
【０１９３】
S505b1:受信側は、第1のパイロット信号の信号容量を取得し、N個の第2のパイロット信号の各々の信号容量を取得する。
【０１９４】
S505b2:受信側は、第1のパイロット信号の信号容量及びN個の第2のパイロット信号の各々の信号容量に従って、送信側にプリコーディング・フィードバック情報を送信する。
【０１９５】
上記にかかわらず、受信側は、代替的には、第1のパイロット信号の干渉量及びN個の第2のパイロット信号の干渉量に従って、送信側にプリコーディング・フィードバック情報を送信してもよい。本発明の本実施形態において、受信側が第1のパイロット信号及びN個の第2のパイロット信号に従って送信側にプリコーディング・フィードバック情報を送信する特定の実装に対して、本明細書ではいかなる限定も課されない。対応する選択は、実際の適用シナリオにより必要なものとして行われてもよい。
【０１９６】
下記は、受信側が、第1のパイロット信号の信号品質及びN個の第2のパイロット信号の各々の信号品質に従って、送信側にプリコーディング・フィードバック情報を送信する例を用いて、受信側によって送信側に送信される、プリコーディング・フィードバック情報の具体的な内容を説明する。第1のパイロット信号の信号品質及びN個の第2のパイロット信号の各々の信号品質を取得した後、受信側は、第1のパイロット信号の信号品質をN個の第2のパイロット信号の各々の信号品質と比較する。N個の第2のパイロット信号の中に、第1のパイロット信号の信号品質より高い信号品質を有する1つ又は複数の第2のパイロット信号が存在すると、受信側が判断する場合、受信側によって送信側に送信されるプリコーディング・フィードバック情報は、肯定応答指標、及び1つ又は複数の第2のパイロット信号のための1つのインデックス又は複数のインデックスである。第1のパイロット信号の信号品質が、第2のパイロット信号の信号品質より高いか又は等しいと、受信側が判断する場合、受信側によって送信側に送信されるプリコーディング・フィードバック情報は、否定応答指標である。
【０１９７】
肯定応答指標は、現在のデータ送信に使用されるプリコーディング行列が、次に送信側がデータを送信するときに使用されないということを示すのに使用される。肯定応答指標は、送信側が、現在のデータ送信に使用されるプリコーディング行列を更新する必要があるということを示すのに使用されることも、理解されてもよい。否定応答指標は、現在のデータ送信に使用されるプリコーディング行列が、次に送信側がデータを送信するときに使用されるということを示すのに使用される。例えば、0は、否定応答指標を表し、1は、肯定応答指標を表す。Nが7に等しい場合に、第1のパイロット信号のためのインデックスは、0’0’0’であり、N個の第2のパイロット信号(1番目の第2のパイロット信号から7番目の第2のパイロット信号まで)のためのインデックスは、それぞれ、0’0’1’、0’1’0’、0’1’1’、1’0’0’、1’0’1’、1’1’0’、及び1’1’1’であると定義されてもよい。7個の第2のパイロット信号のうちの1番目の信号品質及び7個の第2のパイロット信号のうちの7番目の信号品質が、いずれも第1のパイロット信号の信号品質より高いと、受信側が判断する場合、受信側によって送信側に送信されるプリコーディング・フィードバック情報は、1、0’0’1’、及び1’1’1’である。第1のパイロット信号の信号品質が、7個の第2のパイロット信号それぞれの信号品質より高いと、受信側が判断する場合、送信側に送信されるプリコーディング・フィードバック情報は、0である。
【０１９８】
第1のパイロット信号の信号容量及びN個の第2のパイロット信号の信号容量に従って、受信側によって送信側にプリコーディング・フィードバック情報を送信するプロセスについては、第1のパイロット信号の信号品質及びN個の第2のパイロット信号の信号品質に従って、受信側によって送信側にプリコーディング・フィードバック情報を送信するプロセスに対して参照が行われてもよいことに留意すべきである。さらなる詳細は、本明細書では説明されない。
【０１９９】
S506:送信側は、受信側によって送信されるプリコーディング・フィードバック情報を受信する。
【０２００】
プリコーディング・フィードバック情報は、肯定応答指標、及びN個の第2のパイロット信号のためのインデックスのうちの1つ又は複数であってもよく、又は否定応答指標であってもよい。例えば、送信側によって受信されるプリコーディング・フィードバック情報が、1、0’0’1’、及び1’1’1’であるとき、受信されたプリコーディング・フィードバック情報に従って、送信側は、現在のデータ送信に使用されるプリコーディング行列が次のデータ送信に使用されないということを受信側が助言しているということを知ることができるだけでなく、受信側によって助言される、次のデータ送信に使用されるプリコーディング行列は、インデックスが0’0’1’及び1’1’1’である第2のパイロット信号に使用される第2のプリコーディング行列であるということも知ることができる。即ち、送信側は、受信されたプリコーディング・フィードバック情報に従って、現在のデータ送信に使用されるプリコーディング行列が更新される必要があるということを知ることができる。
【０２０１】
送信側が、受信側によって送信されたプリコーディング・フィードバック情報を受信した後、送信側は、受信されたプリコーディング・フィードバック情報に従って、次のデータ送信に使用されるプリコーディング行列を決定することができる。例えば、送信側によって受信されるプリコーディング・フィードバック情報が、肯定応答指標及びN個の第2のプリコーディング行列のためのインデックスのうちの1つ又は複数であるとき、送信側は、次のデータ送信に使用されるプリコーディング行列が、インデックスに対応する第2のパイロット信号に使用される第2のプリコーディング行列であると決定する。送信側によって受信されるプリコーディング・フィードバック情報が、否定応答指標であるとき、送信側は、次のデータ送信に使用されるプリコーディング行列が、第1のプリコーディング行列であると決定する。
【０２０２】
実際の適用では、受信側によって送信されるプリコーディング・フィードバック情報を受信することに加えて、送信側は、複数の他の受信側によって送信されるプリコーディング・フィードバック情報をさらに受信してもよく、受信された複数のプリコーディング・フィードバック情報を包括的に考慮することにより、他の受信側に対して起こす干渉が最も軽微な1つのプリコーディング行列を、受信側との次のデータ送信に使用されるプリコーディング行列として決定してもよい。例えば、受信された複数のプリコーディング・フィードバック情報を包括的に考慮することにより送信側によって決定される、次のデータ送信に使用されるプリコーディング行列は、インデックスが0’0’1’である第2のパイロット信号に使用される第2のプリコーディング行列である。
【０２０３】
本発明の本実施形態におけるS501〜S506の説明について、本発明の前述の実施形態におけるS401〜S406の説明に対し参照が行われてもよいことに留意すべきである。さらなる詳細は、本発明の本実施形態において、本明細書では説明されない
【０２０４】
第4の適用シナリオでは、本発明の実施形態に従って図4に示されるプリコーディング情報収集方法の特定の実装プロセスが、第2のパイロット信号の数量Nが1より大きく、プリコーディング・フィードバック情報が、第1のプリコーディング行列及びN個の第2のプリコーディング行列のためのインデックスのうちの1つ又は複数であるか、又はプリコーディング・フィードバック情報が、第1のパイロット信号及びN個の第2のパイロット信号のためのインデックスのうちの1つ又は複数である例を用いて、詳細に説明される。この適用シナリオでは、方法は、以下のステップを含んでもよい。
【０２０５】
S601:送信側は、第1のプリコーディング行列に従って第1のパイロット信号をプリコーディングし、プリコーディングされた第1のパイロット信号を受信側に送信する。
【０２０６】
第1のプリコーディング行列は、現在のデータ送信に使用されるプリコーディング行列と同一である。
【０２０７】
S602:送信側は、N個の第2のプリコーディング行列に従ってN個の第2のパイロット信号をプリコーディングし、N個のプリコーディングされた第2のパイロット信号を受信側に送信する。
【０２０８】
Nは、1より大きい整数であり、第2のパイロット信号をプリコーディングするのに使用される第2のプリコーディング行列は、互いに異なり、N個の第2のプリコーディング行列は、第1のプリコーディング行列とは異なる。
【０２０９】
S603:受信側は、送信側によって送信されるプリコーディングされた第1のパイロット信号を受信し、送信側によって送信されるN個のプリコーディングされた第2のパイロット信号を受信する。
【０２１０】
S604:受信側は、プリコーディングされた第1のパイロット信号を復調して、第1のパイロット信号を取得し、N個のプリコーディングされた第2のパイロット信号を復調して、それぞれ、N個の第2のパイロット信号を取得する。
【０２１１】
S605:受信側は、第1のパイロット信号及びN個の第2のパイロット信号に従って、送信側にプリコーディング・フィードバック情報を送信する。
【０２１２】
可能な実装において、S605は、具体的には、S605a1及びS605a2を含んでもよい。
【０２１３】
S605a1:受信側は、第1のパイロット信号の信号品質を取得し、N個の第2のパイロット信号の各々の信号品質を取得する。
【０２１４】
S605a2:受信側は、第1のパイロット信号の信号品質及びN個の第2のパイロット信号の各々の信号品質に従って、送信側にプリコーディング・フィードバック情報を送信する。
【０２１５】
別の可能な実装において、S605は、具体的には、S605b1及びS605b2を含んでもよい。
【０２１６】
S605b1:受信側は、第1のパイロット信号の信号容量を取得し、N個の第2のパイロット信号の各々の信号容量を取得する。
【０２１７】
S605b2:受信側は、第1のパイロット信号の信号容量及びN個の第2のパイロット信号の各々の信号容量に従って、送信側にプリコーディング・フィードバック情報を送信する。
【０２１８】
上記にかかわらず、受信側は、代替的には、第1のパイロット信号の干渉量及びN個の第2のパイロット信号の干渉量に従って、送信側にプリコーディング・フィードバック情報を送信してもよい。本発明の本実施形態において、受信側が第1のパイロット信号及びN個の第2のパイロット信号に従って送信側にプリコーディング・フィードバック情報を送信する特定の実装に対して、本明細書ではいかなる限定も課されない。対応する選択は、実際の適用シナリオにより必要なものとして行われてもよい。
【０２１９】
下記は、受信側が、第1のパイロット信号の信号品質及びN個の第2のパイロット信号の各々の信号品質に従って、送信側にプリコーディング・フィードバック情報を送信する例を用いて、受信側によって送信側に送信される、プリコーディング・フィードバック情報の具体的な内容を説明する。
【０２２０】
第1のパイロット信号の信号品質及びN個の第2のパイロット信号の各々の信号品質を取得した後、可能な実装において、取得された第1のパイロット信号の信号品質及び取得されたN個の第2のパイロット信号の各々の信号品質に従って、受信側によって送信側に送信されるプリコーディング・フィードバック情報は、第1のパイロット信号に使用される第1のプリコーディング行列のためのインデックス及びN個の第2のパイロット信号に使用される第2のプリコーディング行列のためのインデックスのうちの1つ又は複数である。
【０２２１】
全てのパイロット信号は、同一であってもよく、又は異なっていてもよい。例えば、S405において定義されるパイロット信号に使用されるプリコーディング行列のためのインデックスが、ここでも例として用いられる。受信側の選択方針が、より良好な信号品質を有する2つのパイロット信号を選択することであり、かつ、受信側によって選択される、より良好な信号品質を有する2つのパイロット信号が、第1のパイロット信号、及び1番目の第2のパイロット信号である場合、受信側によって送信側に送信されるプリコーディング・フィードバック情報は、000及び001である。
【０２２２】
第1のパイロット信号の信号品質及びN個の第2のパイロット信号の各々の信号品質を取得した後、別の可能な実装において、全てのパイロット信号が異なる(第1のパイロット信号が、N個の第2のパイロット信号と異なり、N個の第2のパイロット信号が異なる)とき、取得された第1のパイロット信号の信号品質及び取得されたN個の第2のパイロット信号の各々の信号品質に従って、受信側によって送信側に送信されるプリコーディング・フィードバック情報は、第1のパイロット信号及びN個の第2のパイロット信号のためのインデックスのうちの1つ又は複数である。
【０２２３】
例えば、S505において定義されるパイロット信号のためのインデックスが、ここでも例として用いられる。受信側の選択方針が、より良好な信号品質を有する2つのパイロット信号を選択することであり、かつ、受信側によって選択される、より良好な信号品質を有する2つのパイロット信号が、第1のパイロット信号、及び1番目の第2のパイロット信号である場合、受信側によって送信側に送信されるプリコーディング・フィードバック情報は、0’0’0’及び0’0’1’である。
【０２２４】
第1のパイロット信号の信号容量及びN個の第2のパイロット信号の信号容量に従って、受信側によって送信側にプリコーディング・フィードバック情報を送信するプロセスについては、第1のパイロット信号の信号品質及びN個の第2のパイロット信号の信号品質に従って、受信側によって送信側にプリコーディング・フィードバック情報を送信するプロセスに対して参照が行われてもよいことに留意すべきである。さらなる詳細は、本明細書では説明されない。
【０２２５】
S606:送信側は、受信側によって送信されるプリコーディング・フィードバック情報を受信する。
【０２２６】
可能な実装において、送信側によって受信されるプリコーディング・フィードバック情報は、第1のプリコーディング行列及びN個の第2のプリコーディング行列のためのインデックスのうちの1つ又は複数である。
【０２２７】
例えば、送信側によって受信されるプリコーディング・フィードバック情報が、000、及び001であるとき、プリコーディング・フィードバック情報に従って、送信側は、現在のデータ送信に使用されるプリコーディング行列が次のデータ送信に使用されないということを受信側が助言しているということを知ることができるだけでなく、受信側によって助言される、次のデータ送信に使用されるプリコーディング行列は、インデックスが000及び001であるプリコーディング行列であるということも知ることができる。送信側が、受信されたプリコーディング・フィードバック情報に従って、現在のデータ送信に使用されるプリコーディング行列が更新される必要があるということを知ることができることも、理解されてもよい。送信側による、現在のデータ送信に使用されるプリコーディング行列を更新するプロセスでは、複数の受信側によって送信され、受信されたプリコーディング・フィードバック情報が、包括的に考慮されて、他の受信側に対して起こす干渉が最も軽微な1つのプリコーディング行列が選択されてもよい。例えば、送信側は、受信された複数のプリコーディング・フィードバック情報を包括的に考慮することによって、次のデータ送信に使用されるプリコーディング行列を、インデックスが001である第2のプリコーディング行列に更新する。
【０２２８】
別の可能な実装において、送信側によって受信されるプリコーディング・フィードバック情報は、第1のパイロット信号及びN個の第2のパイロット信号のためのインデックスのうちの1つ又は複数である。
【０２２９】
例えば、送信側によって受信されるプリコーディング・フィードバック情報が、0’0’1’、及び1’1’1’であるとき、プリコーディング・フィードバック情報に従って、送信側は、現在のデータ送信に使用されるプリコーディング行列が次のデータ送信に使用されないことを受信側が助言しているということを知ることができるだけでなく、受信側によって助言される、次のデータ送信に使用されるプリコーディング行列は、インデックスが0’0’1’及び1’1’1’であるパイロット信号に使用されるプリコーディング行列であるということも知ることができる。送信側が、受信されたプリコーディング・フィードバック情報に従って、現在のデータ送信に使用されるプリコーディング行列が更新される必要があることを知ることができることも、理解されてもよい。
【０２３０】
送信側が、受信側によって送信されたプリコーディング・フィードバック情報を受信した後、送信側は、受信されたプリコーディング・フィードバック情報に従って、次のデータ送信に使用されるプリコーディング行列を決定することができる。例えば、送信側によって受信されるプリコーディング・フィードバック情報が、第1のプリコーディング行列及びN個の第2のプリコーディング行列のためのインデックスのうちの1つ又は複数であるとき、送信側は、次のデータ送信に使用されるプリコーディング行列が、インデックスに対応するプリコーディング行列であると決定する。送信側によって受信されるプリコーディング・フィードバック情報が、第1のパイロット信号及びN個の第2のパイロット信号のためのインデックスのうちの1つ又は複数であるとき、送信側は、次のデータ送信に使用されるプリコーディング行列が、インデックスに対応するパイロット信号に使用されるプリコーディング行列であると決定する。
【０２３１】
実際の適用では、受信側によって送信されるプリコーディング・フィードバック情報を受信することに加えて、送信側は、複数の他の受信側によって送信されるプリコーディング・フィードバック情報をさらに受信してもよく、受信された複数のプリコーディング・フィードバック情報を包括的に考慮することにより、他の受信側に対して起こす干渉が最も軽微な1つのプリコーディング行列を、受信側との次のデータ送信に使用されるプリコーディング行列として決定してもよい。例えば、受信された複数のプリコーディング・フィードバック情報を包括的に考慮することにより送信側によって決定される、次のデータ送信に使用されるプリコーディング行列は、インデックスが0’0’1’である第2のパイロット信号に使用される第2のプリコーディング行列である。
【０２３２】
本発明の本実施形態におけるS601〜S606の説明について、本発明の前述の実施形態におけるS401〜S406の説明に対し参照が行われてもよいことに留意すべきである。さらなる詳細は、本発明の本実施形態において、本明細書では説明されない。
【０２３３】
本発明の本実施形態により提供されるプリコーディング情報収集方法によれば、送信側は、受信側に対し、第1のプリコーディング行列を使用してプリコーディングされた第1のパイロット信号、及びN個の第2のプリコーディング行列を使用してプリコーディングされたN個の第2のパイロット信号を送信し、受信側によって送信されるプリコーディング・フィードバック情報を受信する。このことにより、受信側によって送信され、送信側がデータを送信するためのプリコーディング行列を助言するのに使用されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【０２３４】
さらに、送信側は、受信されるプリコーディング・フィードバック情報に従って、次のデータ送信に使用されるプリコーディング行列を常に調整する。このことが、次のデータ送信に使用されるプリコーディング行列の誤差を徐々に減少させ、無線通信システムの性能をさらに改善することができる。
【０２３５】
本発明の別の実施形態は、送信側に適用されるプリコーディング情報収集方法を提供する。送信側と少なくとも1つの受信側との間のデータ送信に使用されるM個のデータ・ストリームが存在し、Mは、1より大きい整数である。図5に示されるように、方法は、以下を含んでもよい。
【０２３６】
S701:送信側は、第1のプリコーディング行列に従って第1のパイロット信号グループをプリコーディングし、プリコーディングされた第1のパイロット信号グループを受信側に送信する。
【０２３７】
第1のプリコーディング行列は、互いに異なるM個の第1のプリコーディング・ベクトルを含み、第1のパイロット信号グループは、M個の第1のパイロット信号を含み、第1のプリコーディング行列は、現在のデータ送信に使用されるプリコーディング行列と同一である。
【０２３８】
S702:送信側は、i個の第2のプリコーディング行列に従ってi個の第2のパイロット信号グループをそれぞれプリコーディングし、i個のプリコーディングされた第2のパイロット信号グループを受信側に送信する。
【０２３９】
i番目の第2のプリコーディング行列は、互いに異なるAi個の第2のプリコーディング・ベクトルを含み、i番目の第2のパイロット信号グループは、Ai個の第2のパイロット信号を含み、iは、1以上の整数であり、Aiは、1以上の整数であり、第2のパイロット信号グループをプリコーディングするのに使用される第2のプリコーディング行列は、互いに異なり、i個の第2のプリコーディング行列は、第1のプリコーディング行列とは異なる。
【０２４０】
S703:送信側は、受信側によって送信されるプリコーディング・フィードバック情報を受信する。
【０２４１】
プリコーディング・フィードバック情報は、受信側が、送信側に次のデータ送信に使用するように助言する、プリコーディング行列に関する情報として理解されてもよい。
【０２４２】
さらに、S702においてiが1に等しい場合に、S703において、受信側によって送信され、送信側によって受信されるプリコーディング・フィードバック情報は、肯定応答指標である。
【０２４３】
肯定応答指標は、現在のデータ送信に使用されるプリコーディング行列が、次のデータ送信に使用されないということを示すのに使用される。
【０２４４】
さらに、S702においてiが1より大きい場合に、S703において、受信側によって送信され、送信側によって受信されるプリコーディング・フィードバック情報は、肯定応答指標、及びi個の第2のプリコーディング行列のためのインデックスのうちの1つ又は複数である。
【０２４５】
肯定応答指標は、現在のデータ送信に使用されるプリコーディング行列が、次のデータ送信に使用されないということを示すのに使用される。
【０２４６】
さらに、S702においてiが1より大きく、かつi個の第2のパイロット信号グループが異なる場合に、S703において、受信側によって送信され、送信側によって受信されるプリコーディング・フィードバック情報は、肯定応答指標、及びi個の第2のパイロット信号グループのためのインデックスのうちの1つ又は複数である。
【０２４７】
肯定応答指標は、現在のデータ送信に使用されるプリコーディング行列が、次のデータ送信に使用されないということを示すのに使用される。
【０２４８】
さらに、S703において、受信側によって送信され、送信側によって受信されるプリコーディング・フィードバック情報は、否定応答指標である。
【０２４９】
否定応答指標は、現在のデータ送信に使用されるプリコーディング行列が、次のデータ送信に使用されるということを示すのに使用される。
【０２５０】
さらに、S702においてiが1より大きい場合に、S703において、受信側によって送信され、送信側によって受信されるプリコーディング・フィードバック情報は、第1のプリコーディング行列及びi個の第2のプリコーディング行列のためのインデックスのうちの1つ又は複数である。
【０２５１】
さらに、S702においてiが1より大きく、かつi個の第2のパイロット信号グループが異なる場合に、S703において、受信側によって送信され、送信側によって受信されるプリコーディング・フィードバック情報は、第1のパイロット信号グループ及びi個の第2のパイロット信号グループのためのインデックスのうちの1つ又は複数である。
【０２５２】
さらに、S703において、受信側によって送信され、送信側によって受信されるプリコーディング・フィードバック情報は、M個の第1のパイロット信号に使用されるプリコーディング・ベクトル及び
（外１７）
0006492180.tif 000018
個の第2のパイロット信号に使用されるプリコーディング・ベクトルのうちの、B個のプリコーディング・ベクトルのためのインデックスである。
【０２５３】
Bは、1以上かつ
（外１８）
0006492180.tif 000019
以下の整数である。
【０２５４】
さらに、S703において、受信側によって送信され、送信側によって受信されるプリコーディング・フィードバック情報は、M個の第1のパイロット信号及び
（外１９）
0006492180.tif 000020
個の第2のパイロット信号のうちの、B個のパイロット信号のためのインデックスである。
【０２５５】
Bは、1以上かつ
（外２０）
0006492180.tif 000021
以下の整数である。
【０２５６】
本発明の本実施形態により提供されるプリコーディング情報収集方法によれば、送信側は、受信側に対し、第1のプリコーディング行列を使用してプリコーディングされた第1のパイロット信号グループ、及びi個の第2のプリコーディング行列を使用してプリコーディングされたi個の第2のパイロット信号グループを送信し、受信側によって送信されるプリコーディング・フィードバック情報を受信する。このことにより、受信側によって送信され、送信側がデータを送信するためのプリコーディング行列を助言するのに使用されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【０２５７】
本発明の別の実施形態は、受信側に適用されるプリコーディング情報収集方法を提供する。受信側と送信側との間のデータ送信に使用されるM個のデータ・ストリームが存在し、Mは、1より大きい整数である。図6に示されるように、方法は、以下のステップを含んでもよい。
【０２５８】
S801:受信側は、送信側によって送信されるプリコーディングされた第1のパイロット信号グループを受信し、送信側によって送信されるi個のプリコーディングされた第2のパイロット信号グループを受信する。
【０２５９】
ここで、iは、1以上の整数である。
【０２６０】
S802:受信側は、プリコーディングされた第1のパイロット信号グループを復調して、第1のパイロット信号グループを取得し、i個のプリコーディングされた第2のパイロット信号グループを復調して、それぞれ、i個の第2のパイロット信号グループを取得する。
【０２６１】
S803:受信側は、第1のパイロット信号グループ及びi個の第2のパイロット信号グループに従って、送信側にプリコーディング・フィードバック情報を送信する。
【０２６２】
受信側が、送信側により送信された、プリコーディングされた第1のパイロット信号グループ及びi個のプリコーディングされた第2のパイロット信号グループを受信した後、受信側は、プリコーディングされた第1のパイロット信号グループを復調して、第1のパイロット信号グループを取得し、i個のプリコーディングされた第2のパイロット信号グループを復調して、i個の第2のパイロット信号をそれぞれ取得し、取得された第1のパイロット信号グループ及びi個の第2のパイロット信号グループに従って、プリコーディング・フィードバック情報を送信側にさらに送信する。
【０２６３】
本発明の本実施形態により提供されるプリコーディング情報収集方法によれば、送信側により送信された、プリコーディングされた第1のパイロット信号グループ及びi個のプリコーディングされた第2のパイロット信号グループを受信した後、受信側は、プリコーディングされた第1のパイロット信号グループを復調して、第1のパイロット信号グループを取得し、i個のプリコーディングされた第2のパイロット信号グループを復調して、それぞれ、i個の第2のパイロット信号グループを取得し、送信側に対し、取得された第1のパイロット信号グループ及びi個の第2のパイロット信号グループに従って、送信側がデータを送信するためのプリコーディング行列を助言するのに使用されるプリコーディング・フィードバック情報を送信する。このことが、受信側によって送信されるプリコーディング・フィードバック情報に従って、データ送信に使用されるプリコーディング行列を、送信側が適応的に調整することを可能にし、データ送信に使用されるプリコーディング行列を実際のデータ送信チャネルにさらに適合させる。このようにして、無線通信システムの性能が改善される。
【０２６４】
さらに、可能な実装において、第1のパイロット信号グループは、M個の第1のパイロット信号を含み、i番目の第2のパイロット信号グループは、Ai個の第2のパイロット信号を含む。この場合、S803は、具体的には、以下の通りであってもよい。受信側は、第1のパイロット信号グループ内のM個の第1のパイロット信号の信号品質を受信し、i個の第2のパイロット信号グループの中の
（外２１）
0006492180.tif 000022
個の第2のパイロット信号の信号品質を取得し、取得された第1のパイロット信号の全ての信号品質及び第2のパイロット信号の全ての信号品質に従って、B個のパイロット信号を選択し、B個のパイロット信号に従って、プリコーディング・フィードバック情報を送信側にさらに送信する。
【０２６５】
Bは、1以上かつ
（外２２）
0006492180.tif 000023
以下の整数である。例えば、パイロット信号の信号品質を測定する指標は、受信信号レベル、信号のSINRなどであってもよい。受信側によって第1のパイロット信号の信号品質及び第2のパイロット信号の信号品質を取得するプロセスは、パイロット信号の信号品質を測定する指標が、信号のSINRである例を用いて説明される。受信側は、第1のパイロット信号によって占有されるリソースエレメント上の第1のパイロット信号の電力PRS及び干渉信号電力PIを個別に測定し、システム雑音電力PNを測定し、次いでPRS/(PI＋PN)に従って第1のパイロット信号のSINRを取得できる。同様に、受信側は、第1のパイロット信号の信号品質を取得するプロセスに関連して、第2のパイロット信号の信号品質を取得できる。
【０２６６】
さらに、別の可能な実装において、S803は、具体的には以下の通りであってもよい。受信側は、第1のパイロット信号グループの信号容量を取得し、i個の第2のパイロット信号グループの各々の信号容量を取得し、取得された第1のパイロット信号グループの信号容量及び取得されたi個の第2のパイロット信号グループの各々の信号容量に従って、送信側にプリコーディング・フィードバック情報を送信する。
【０２６７】
例えば、パイロット信号の信号容量を測定する指標は、スループット、許容最大ユーザ量などであってもよい。受信側によって第1のパイロット信号グループの信号容量及び第2のパイロット信号グループの信号容量を取得するプロセスは、パイロット信号の信号容量を測定する指標が、スループットである例を用いて説明される。受信側は、第1のパイロット信号の受信レベル又はSINRなどの指標に従って、各第1のパイロット信号のスループットを取得することができる。同様に、受信側は、第1のパイロット信号グループの信号容量を取得するプロセスに関連して、第2のパイロット信号グループの信号容量を取得できる。
【０２６８】
さらに、受信側が、パイロット信号の信号容量に従って、送信側にプリコーディング・フィードバック情報を送信するとき、第1の可能な実装において、iが1に等しい場合に、第1のパイロット信号グループの信号容量が、第2のパイロット信号グループの信号容量より小さいか又は等しいと、受信側が判断する場合、受信側によって送信側に送信されるプリコーディング・フィードバック情報は、肯定応答指標である。
【０２６９】
肯定応答指標は、現在のデータ送信に使用されるプリコーディング行列が、次に送信側がデータを送信するときに使用されないということを示すのに使用される。
【０２７０】
さらに、第2の可能な実装において、iが1より大きい場合に、i個の第2のパイロット信号グループの中に、第1のパイロット信号グループの信号容量より大きい信号容量を有する、1つ又は複数の第2のパイロット信号グループが存在すると、受信側が判断する場合、受信側によって送信側に送信されるプリコーディング・フィードバック情報は、肯定応答指標、及び1つ又は複数の第2のパイロット信号グループに使用される第2のプリコーディング行列のためのインデックスである。
【０２７１】
肯定応答指標は、現在のデータ送信に使用されるプリコーディング行列が、次に送信側がデータを送信するときに使用されないということを示すのに使用される。
【０２７２】
さらに、第3の可能な実装において、iが1より大きく、かつi個の第2のパイロット信号グループが異なる場合に、i個の第2のパイロット信号グループの中に、第1のパイロット信号グループの信号容量より大きい信号容量を有する、1つ又は複数の第2のパイロット信号グループが存在すると、受信側が判断する場合、受信側によって送信側に送信されるプリコーディング・フィードバック情報は、肯定応答指標、及び1つ又は複数の第2のパイロット信号グループのためのインデックスである。
【０２７３】
肯定応答指標は、現在のデータ送信に使用されるプリコーディング行列が、次に送信側がデータを送信するときに使用されないということを示すのに使用される。
【０２７４】
さらに、第4の可能な実装において、第1のパイロット信号グループの信号容量が、第2のパイロット信号グループの信号容量より大きいか又は等しいと、受信側が判断する場合、受信側によって送信側に送信されるプリコーディング・フィードバック情報は、否定応答指標である。
【０２７５】
否定応答指標は、現在のデータ送信に使用されるプリコーディング行列が、次に送信側がデータを送信するときに使用されるということを示すのに使用される。
【０２７６】
さらに、iが1より大きい場合に、受信側によって送信側に送信されるプリコーディング・フィードバック情報は、第1のパイロット信号グループに使用される第1のプリコーディング行列のためのインデックス及びi個の第2のパイロット信号グループに使用される第2のプリコーディング行列のためのインデックスのうちの1つ又は複数である。
【０２７７】
さらに、iが1より大きく、かつi個の第2のパイロット信号グループが異なる場合に、受信側によって送信側に送信されるプリコーディング・フィードバック情報は、第1のパイロット信号グループ及びi個の第2のパイロット信号グループのためのインデックスのうちの1つ又は複数である。
【０２７８】
さらに、受信側が、パイロット信号の信号品質に従って、送信側にプリコーディング・フィードバック情報を送信するとき、可能な実装において、受信側によって送信側に送信されるプリコーディング・フィードバック情報は、M個の第1のパイロット信号に使用されるプリコーディング・ベクトル及び
（外２３）
0006492180.tif 000024
個の第2のパイロット信号に使用されるプリコーディング・ベクトルのうちの、B個のプリコーディング・ベクトルのためのインデックスである。
【０２７９】
さらに、別の可能な実装において、受信側によって送信側に送信されるプリコーディング・フィードバック情報は、M個の第1のパイロット信号及び
（外２４）
0006492180.tif 000025
個の第2のパイロット信号のうちの、B個のパイロット信号のためのインデックスである。
【０２８０】
本発明の別の実施形態は、マルチアンテナ通信システムに適用される、プリコーディング情報収集方法を提供する。システムは、送信側及び受信側を含む。送信側と少なくとも1つの受信側との間のデータ送信に使用されるM個のデータ・ストリームが存在し、Mは、1より大きい整数である。図7に示されるように、方法は、以下のステップを含んでもよい。
【０２８１】
S901:送信側は、第1のプリコーディング行列に従って第1のパイロット信号グループをプリコーディングし、プリコーディングされた第1のパイロット信号グループを受信側に送信する。
【０２８２】
第1のプリコーディング行列は、互いに異なるM個の第1のプリコーディング・ベクトルを含み、第1のパイロット信号グループは、M個の第1のパイロット信号を含み、第1のプリコーディング行列は、現在のデータ送信に使用されるプリコーディング行列と同一である。
【０２８３】
S902:送信側は、i個の第2のプリコーディング行列に従ってi個の第2のパイロット信号グループをそれぞれプリコーディングし、i個のプリコーディングされた第2のパイロット信号グループを受信側に送信する。
【０２８４】
i番目の第2のプリコーディング行列は、互いに異なるAi個の第2のプリコーディング・ベクトルを含み、i番目の第2のパイロット信号グループは、Ai個の第2のパイロット信号を含み、iは、1以上の整数であり、Aiは、1以上の整数であり、第2のパイロット信号グループをプリコーディングするのに使用される第2のプリコーディング行列は、互いに異なり、i個の第2のプリコーディング行列は、第1のプリコーディング行列とは異なる。例えば、iが2に等しく、かつAiが2に等しい場合に、i個の第2のプリコーディング行列にそれぞれ従って、i個の第2のパイロット信号グループを送信側によってプリコーディングするプロセスは、送信側によって、1番目の第2のプリコーディング行列に含まれる1番目の第2のプリコーディング・ベクトルに従って、1番目の第2のパイロット信号グループに含まれる1つの第2のパイロット信号をプリコーディングすること、及び1番目の第2のプリコーディング行列に含まれる2番目の第2のプリコーディング・ベクトルに従って、1番目の第2のパイロット信号グループに含まれる他の第2のパイロット信号をプリコーディングすることと、同様に、送信側によって、2番目の第2のプリコーディング行列に含まれる1番目の第2のプリコーディング・ベクトルに従って、2番目の第2のパイロット信号グループに含まれる1つの第2のパイロット信号をプリコーディングすること、及び2番目の第2のプリコーディング行列に含まれる2番目の第2のプリコーディング・ベクトルに従って、2番目の第2のパイロット信号グループに含まれる他の第2のパイロット信号をプリコーディングすることと、であってもよい。
【０２８５】
送信側は、i個のプリコーディングされた第2のパイロット信号グループを受信側に対して、プリコーディングされた第1のパイロット信号グループが送信されるのと同じ時点に送信してもよく、i個のプリコーディングされた第2のパイロット信号グループを受信側に対して、プリコーディングされた第3のパイロット信号グループが送信されるのと異なる時点に送信してもよく、又は、i個のプリコーディングされた第2のパイロット信号グループを受信側に対して、プリコーディングされた第1のパイロット信号グループが送信される頻度と異なる頻度で送信してもよいことに、留意すべきである。
【０２８６】
S903:受信側は、送信側によって送信されるプリコーディングされた第1のパイロット信号グループを受信し、送信側によって送信されるi個のプリコーディングされた第2のパイロット信号グループを受信する。
【０２８７】
S904:受信側は、プリコーディングされた第1のパイロット信号グループを復調して、第1のパイロット信号グループを取得し、i個のプリコーディングされた第2のパイロット信号グループを復調して、それぞれ、i個の第2のパイロット信号グループを取得する。
【０２８８】
S905:受信側は、第1のパイロット信号グループの中のM個の第1のパイロット信号の信号品質を取得し、i個の第2のパイロット信号グループの中の
（外２５）
0006492180.tif 000026
個の第2のパイロット信号の信号品質を取得する。
【０２８９】
S906；受信側は、第1のパイロット信号の全ての信号品質及び第2のパイロット信号の全ての信号品質に従って、B個のパイロット信号を選択し、B個のパイロット信号に従って、送信側にプリコーディング・フィードバック情報を送信する。
【０２９０】
Bは、1以上かつ
（外２６）
0006492180.tif 000027
以下の整数である。可能な実装において、受信側によって送信側に送信されるプリコーディング・フィードバック情報は、M個の第1のパイロット信号に使用されるプリコーディング・ベクトル及び
（外２７）
0006492180.tif 000028
個の第2のパイロット信号に使用されるプリコーディング・ベクトルのうちの、B個のプリコーディング・ベクトルのためのインデックスである。
【０２９１】
例えば、Mが2に等しく、iが2に等しく、かつAiが2に等しい場合に、第1のパイロット信号グループに含まれる2つの第1のパイロット信号(1番目の第1のパイロット信号及び2番目の第1のパイロット信号)をプリコーディングするのに使用される第1のプリコーディング・ベクトルのためのインデックスは、それぞれ000及び001であり、1番目の第2のパイロット信号グループに含まれる2つの第2のパイロット信号(1番目の第2のパイロット信号及び2番目の第2のパイロット信号)をプリコーディングするのに使用される第2のプリコーディング・ベクトルのためのインデックスは、それぞれ010及び011であり、2番目の第2のパイロット信号グループに含まれる2つの第2のパイロット信号(1番目の第2のパイロット信号及び2番目の第2のパイロット信号)をプリコーディングするのに使用される第2のプリコーディング・ベクトルのためのインデックスは、それぞれ100及び101であると定義されてもよい。受信側の選択方針が、より良好な信号品質を有する2つのパイロット信号を選択することであり、かつ、1番目の第2のパイロット信号グループに含まれる2つの第2のパイロット信号が、より良好な品質を有すると、受信側が判断する場合、受信側によって送信側に送信されるプリコーディング・フィードバック情報は、010及び011である。
【０２９２】
別の可能な実装において、
（外２８）
0006492180.tif 000029
個のパイロット信号が異なる場合に、受信側によって送信側に送信されるプリコーディング・フィードバック情報は、M個の第1のパイロット信号及び
（外２９）
0006492180.tif 000030
個の第2のパイロット信号のうちの、B個のパイロット信号のためのインデックスである。
【０２９３】
例えば、Mが2に等しく、iが2に等しく、かつAiが2に等しい場合に、第1のパイロット信号グループに含まれる2つの第1のパイロット信号(1番目の第1のパイロット信号及び2番目の第1のパイロット信号)のためのインデックスは、0’0’0’及び0’0’1’であり、1番目の第2のパイロット信号グループに含まれる2つの第2のパイロット信号(1番目の第2のパイロット信号及び2番目の第2のパイロット信号)のためのインデックスは、それぞれ0’1’0’及び0’1’1’であり、2番目の第2のパイロット信号グループに含まれる2つの第2のパイロット信号(1番目の第2のパイロット信号及び2番目の第2のパイロット信号)のためのインデックスは、それぞれ1’0’0’及び1’0’1’であると定義されてもよい。受信側の選択方針が、より良好な信号品質を有する2つのパイロット信号を選択することであり、かつ、1番目の第2のパイロット信号グループに含まれる2つの第2のパイロット信号が、より良好な信号品質を有すると、受信側が判断する場合、受信側によって送信側に送信されるプリコーディング・フィードバック情報は、0’1’0’及び0’1’1’である。
【０２９４】
受信側は、代替的には、第1のパイロット信号グループの干渉量及びi個の第2のパイロット信号グループの干渉量に従って、送信側にプリコーディング・フィードバック情報を送信してもよいことに留意すべきである。本発明の本実施形態において、受信側が第1のパイロット信号グループ及びi個の第2のパイロット信号グループに従って送信側にプリコーディング・フィードバック情報を送信する特定の実装に対して、本明細書ではいかなる限定も課されない。対応する選択は、実際の適用シナリオにより必要なものとして行われてもよい。
【０２９５】
S907:送信側は、受信側によって送信されるプリコーディング・フィードバック情報を受信する。
【０２９６】
送信側によって受信されるプリコーディング・フィードバック情報は、M個の第1のパイロット信号に使用されるプリコーディング・ベクトル及び
（外３０）
0006492180.tif 000031
個の第2のパイロット信号に使用されるプリコーディング・ベクトルのうちの、B個のプリコーディング・ベクトルのためのインデックスであってもよく、又は、M個の第1のパイロット信号及び
（外３１）
0006492180.tif 000032
個の第2のパイロット信号のうちの、B個のパイロット信号のためのインデックスであってもよい。例えば、送信側によって受信されるプリコーディング・フィードバック情報が、010及び011であるとき、受信側によって助言される、次のデータ送信に使用されるプリコーディング行列が、インデックスが010及び011であるプリコーディング・ベクトルを含むプリコーディング行列であるということを、送信側は知ることができる。送信側によって受信されるプリコーディング・フィードバック情報が、0’1’0’及び0’1’1’であるとき、受信側によって助言される、次のデータ送信に使用されるプリコーディング行列が、インデックスが0’1’0’及び0’1’1’であるパイロット信号に使用されるプリコーディング・ベクトルを含むプリコーディング行列であることを、送信側は知ることができる。
【０２９７】
送信側が、受信側によって送信されたプリコーディング・フィードバック情報を受信した後、送信側は、受信されたプリコーディング・フィードバック情報に従って、次のデータ送信に使用されるプリコーディング行列を決定することができる。例えば、送信側によって受信されるプリコーディング・フィードバック情報が、M個の第1のパイロット信号に使用されるプリコーディング・ベクトル及び
（外３２）
0006492180.tif 000033
個の第2のパイロット信号に使用されるプリコーディング・ベクトルのうちの、B個のプリコーディング・ベクトルのためのインデックスであるとき、次のデータ送信に使用されるプリコーディング行列が、インデックスに対応するB個のプリコーディング・ベクトルを含むプリコーディング行列であることを送信側が決定し、送信側によって受信されるプリコーディング・フィードバック情報が、M個の第1のパイロット信号及び
（外３３）
0006492180.tif 000034
個の第2のパイロット信号のうちの、B個のパイロット信号のためのインデックスであるとき、次のデータ送信に使用されるプリコーディング行列が、インデックスに対応するB個のパイロット信号に使用されるプリコーディング・ベクトルを含むプリコーディング行列であると送信側が決定する。
【０２９８】
実際の適用では、受信側によって送信されるプリコーディング・フィードバック情報を受信することに加えて、送信側は、複数の他の受信側によって送信されるプリコーディング・フィードバック情報をさらに受信してもよく、受信された複数のプリコーディング・フィードバック情報を包括的に考慮することにより、他の受信側に対して起こす干渉が最も軽微な1つのプリコーディング行列を、受信側との次のデータ送信に使用されるプリコーディング行列として決定してもよい。例えば、送信側によって決定される、次のデータ送信に使用されるプリコーディング行列は、インデックスが010及び011であるプリコーディング・ベクトルを含むプリコーディング行列である。
【０２９９】
送信側が、次のデータ送信に使用されるプリコーディング行列を決定した後、送信側は、決定されたプリコーディング行列に従って、データを送信することができる。同時に、受信側が、送信側によって送信されるデータを正確に復調し得ることを保証するために、送信側は、また、送信されたデータを復調するのに使用されるパイロット信号を送信する必要がある。したがって、可能な実装において、送信側は、第3のパイロット信号グループを第3のプリコーディング行列に従ってプリコーディングし、プリコーディングされた第3のパイロット信号グループを受信側に送信する。別の可能な実装において、無線チャネル環境がリアルタイムに変化するため、送信側は、また、次の時点に送信側によって決定されたプリコーディング行列における誤差が最も小さいかどうかを判断する必要がある。即ち、送信側は、また、次の時点に送信側によって決定されたプリコーディング行列が、実際のデータ送信チャネルに最も適合するかどうかを判断する必要がある。言い換えると、送信側は、i個の第4のパイロット信号グループをi個の第4のプリコーディング行列に従ってプリコーディングし、i個のプリコーディングされた第4のパイロット信号グループを受信側に送信する。
【０３００】
第3のプリコーディング行列は、受信側からのプリコーディング・フィードバック情報に従って、送信側により決定されるプリコーディング行列であり、第3のパイロット信号グループに含まれる第3のパイロット信号の数量は、第3のプリコーディング行列に含まれる第3のプリコーディング・ベクトルの数量に等しく、第3のパイロット信号をプリコーディングするのに使用される第3のプリコーディング・ベクトルは、互いに異なる。i番目の第4のプリコーディング行列は、互いに異なるAi個の第4のプリコーディング・ベクトルを含み、i番目の第4のパイロット信号グループは、Ai個の第4のパイロット信号を含み、iは、1以上の整数であり、Aiは、1以上の整数であり、第4のパイロット信号グループに使用される第4のプリコーディング行列は、互いに異なり、i個の第4のプリコーディング行列は、第3のプリコーディング行列とは異なる。例えば、第3のプリコーディング行列は、受信側によって送信されるB個のプリコーディング・ベクトルを用いた再構成によって得られるプリコーディング行列である。第1の可能な実装において、第1のプリコーディング行列に含まれる第1のプリコーディング・ベクトルの数量が、i個の第2のプリコーディング行列それぞれに含まれる第2のプリコーディング・ベクトルの数量と同じであるとき、第2のプリコーディング行列に含まれる第2のプリコーディング・ベクトルは、第1のプリコーディング行列に含まれる第1のプリコーディング・ベクトルと1対1の対応関係にある。この場合、フィードバック情報に従って、送信側により第3のプリコーディング行列を再構成するプロセスは、送信側によって、インデックスに対応するB個のプリコーディング・ベクトルに対応する第1のプリコーディング・ベクトルを、インデックスに対応するB個のプリコーディング・ベクトルに更新することと、更新された第1のプリコーディング・ベクトル及び更新されていない第1のプリコーディング・ベクトルを使用して、第3のプリコーディング行列を再構成することと、であってもよい。第2の可能な実装において、第1のプリコーディング行列に含まれる第1のプリコーディング・ベクトルの数量が、i個の第2のプリコーディング行列それぞれに含まれる第2のプリコーディング・ベクトルの数量とは異なる場合に、フィードバック情報に従って、送信側により第3のプリコーディング行列を再構成するプロセスは、送信側によって、インデックスに対応するB個のプリコーディング・ベクトルを用いて、第3のプリコーディング行列を再形成することであってもよい。例えば、送信側は、インデックスが010及び011であるプリコーディング・ベクトルを含むプリコーディング行列に従って、第3のパイロット信号グループをプリコーディングしてもよく、プリコーディングされた第3のパイロット信号グループを受信側に送信する。この場合、送信側と少なくとも1つの受信側との間のデータ送信に使用されるデータ・ストリームの数量が、第3のプリコーディング行列に含まれる第3のプリコーディング・ベクトルの数量に等しい。即ち、送信側と少なくとも1つの受信側との間のデータ送信に使用されるデータ・ストリームの数量は、2である。
【０３０１】
送信側は、i個のプリコーディングされた第4のパイロット信号グループを受信側に対して、プリコーディングされた第3のパイロット信号グループが送信されるのと同じ時点に送信してもよく、i個のプリコーディングされた第4のパイロット信号グループを受信側に対して、プリコーディングされた第3のパイロット信号グループが送信されるのと異なる時点に送信してもよく、又は、i個のプリコーディングされた第4のパイロット信号グループを受信側に対して、プリコーディングされた第3のパイロット信号グループが送信される頻度と異なる頻度で送信してもよいことに、留意すべきである。
【０３０２】
本発明の本実施形態により提供されるプリコーディング情報収集方法によれば、送信側は、受信側に対し、第1のプリコーディング行列を使用してプリコーディングされた第1のパイロット信号グループ、及びi個の第2のプリコーディング行列を使用してプリコーディングされたi個の第2のパイロット信号グループを送信し、受信側によって送信されるプリコーディング・フィードバック情報を受信する。このことが、受信側によって送信され、送信側がデータを送信するためのプリコーディング行列を助言するのに使用されるプリコーディング・フィードバック情報に従って、データ送信に使用されるプリコーディング行列を、送信側が適応的に調整することを可能にし、データ送信に使用されるプリコーディング行列を実際のデータ送信チャネルにさらに適合させる。このようにして、無線通信システムの性能が改善される。
【０３０３】
さらに、送信側は、受信されるプリコーディング・フィードバック情報に従って、次のデータ送信に使用されるプリコーディング行列を常に調整する。このことにより、次のデータ送信に使用されるプリコーディング行列の誤差を徐々に減少させ、無線通信システムの性能をさらに改善することが可能となる。
【０３０４】
本発明の別の実施形態は、マルチアンテナ通信システムに適用される、プリコーディング情報収集方法を提供する。システムは、送信側及び受信側を含む。送信側と少なくとも1つの受信側との間のデータ送信に使用されるM個のデータ・ストリームが存在し、Mは、1より大きい整数である。第1の適用シナリオでは、本発明の本実施形態によって提供される方法の特定の実装プロセスが、第2のパイロット信号グループの数量iが1に等しい例を用いて、詳細に説明される。図8に示されるように、方法は、以下のステップを含んでもよい。
【０３０５】
S1001:送信側は、第1のプリコーディング行列に従って第1のパイロット信号グループをプリコーディングし、プリコーディングされた第1のパイロット信号グループを受信側に送信する。
【０３０６】
S1002:送信側は、第2のプリコーディング行列に従って第2のパイロット信号グループをプリコーディングし、プリコーディングされた第2のパイロット信号グループを受信側に送信する。
【０３０７】
S1003:受信側は、送信側によって送信されるプリコーディングされた第1のパイロット信号グループを受信し、送信側によって送信されるプリコーディングされた第2のパイロット信号グループを受信する。
【０３０８】
S1004:受信側は、プリコーディングされた第1のパイロット信号グループを復調して、第1のパイロット信号グループを取得し、プリコーディングされた第2のパイロット信号グループを復調して、それぞれ、第2のパイロット信号グループを取得する。
【０３０９】
S1005:受信側は、第1のパイロット信号グループの信号容量を取得し、第2のパイロット信号グループの各々の信号容量を取得する。
【０３１０】
S1006:受信側は、第1のパイロット信号グループの信号容量及び第2のパイロット信号グループの各々の信号容量に従って、送信側にプリコーディング・フィードバック情報を送信する。
【０３１１】
第1のパイロット信号グループの信号容量が、第2のパイロット信号グループの信号容量より小さいか又は等しいと、受信側が判断する場合、受信側によって送信側に送信されるプリコーディング・フィードバック情報は、肯定応答指標である。第1のパイロット信号グループの信号容量が、第2のパイロット信号グループの信号容量より大きいか又は等しいと、受信側が判断する場合、受信側によって送信側に送信されるプリコーディング・フィードバック情報は、否定応答指標である。
【０３１２】
肯定応答指標は、現在のデータ送信に使用されるプリコーディング行列が、次に送信側がデータを送信するときに使用されないということを示すのに使用される。否定応答指標は、現在のデータ送信に使用されるプリコーディング行列が、次に送信側がデータを送信するときに使用されるということを示すのに使用される。例えば、受信側によって送信側に送信されるプリコーディング・フィードバック情報に含まれる1つのビットがある。例えば、0は、否定応答指標を表し、1は、肯定応答指標を表す。
【０３１３】
受信側は、代替的には、第1のパイロット信号グループの干渉量及びi個の第2のパイロット信号グループの干渉量に従って、送信側にプリコーディング・フィードバック情報を送信してもよいことに留意すべきである。本発明の本実施形態において、受信側が第1のパイロット信号グループ及びi個の第2のパイロット信号グループに従って送信側にプリコーディング・フィードバック情報を送信する特定の実装に対して、本明細書ではいかなる限定も課されない。対応する選択は、実際の適用シナリオにより必要なものとして行われてもよい。
【０３１４】
S1007:送信側は、受信側によって送信されるプリコーディング・フィードバック情報を受信する。
【０３１５】
送信側によって受信されるプリコーディング・フィードバック情報は、肯定応答指標であってもよく、又は否定応答指標であってもよい。例えば、送信側によって受信されるプリコーディング・フィードバック情報が1であるとき、現在のデータ送信に使用されるプリコーディング行列が次のデータ送信に使用されないということを受信側が助言しているということを、送信側は知ることができる。即ち、送信側は、現在のデータ送信に使用されるプリコーディング行列が更新される必要があるということを知ることができる。
【０３１６】
送信側が、受信側によって送信されたプリコーディング・フィードバック情報を受信した後、送信側は、受信されたプリコーディング・フィードバック情報に従って、次のデータ送信に使用されるプリコーディング行列を決定することができる。例えば、送信側によって受信されるプリコーディング・フィードバック情報が、肯定応答指標であるとき、送信側は、次のデータ送信に使用されるプリコーディング行列が、第2のプリコーディング行列であると決定する。送信側によって受信されるプリコーディング・フィードバック情報が、否定応答指標であるとき、送信側は、次のデータ送信に使用されるプリコーディング行列が、第1のプリコーディング行列であると決定する。
【０３１７】
実際の適用では、受信側によって送信されるプリコーディング・フィードバック情報を受信することに加えて、送信側は、複数の他の受信側によって送信されるプリコーディング・フィードバック情報をさらに受信してもよく、受信された複数のプリコーディング・フィードバック情報を包括的に考慮することにより、他の受信側に対して起こす干渉が最も軽微な1つのプリコーディング行列を、受信側との次のデータ送信に使用されるプリコーディング行列として決定してもよい。例えば、送信側によって決定される、次のデータ送信に使用されるプリコーディング行列は、第2のプリコーディング行列である。
【０３１８】
本発明の本実施形態におけるS1001〜S1007の説明について、本発明の前述の実施形態におけるS901〜S907の説明に対し参照が行われてもよいことに留意すべきである。さらなる詳細は、本発明の本実施形態において、本明細書では説明されない。
【０３１９】
第2の適用シナリオでは、本発明の本実施形態によって提供されるプリコーディング情報収集方法の特定の実装プロセスが、第2のパイロット信号グループの数量iが1より大きい例を用いて、詳細に説明される。図9に示されるように、方法は、以下のステップを含んでもよい。
【０３２０】
S1101:送信側は、第1のプリコーディング行列に従って第1のパイロット信号グループをプリコーディングし、プリコーディングされた第1のパイロット信号グループを受信側に送信する。
【０３２１】
S1102:送信側は、i個の第2のプリコーディング行列に従ってi個の第2のパイロット信号グループをそれぞれプリコーディングし、i個のプリコーディングされた第2のパイロット信号グループを受信側に送信する。
【０３２２】
i個の第2のパイロット信号グループは、同一であってもよく、又は異なっていてもよい。
【０３２３】
S1103:受信側は、送信側によって送信されるプリコーディングされた第1のパイロット信号グループを受信し、送信側によって送信されるi個のプリコーディングされた第2のパイロット信号グループを受信する。
【０３２４】
S1104:受信側は、プリコーディングされた第1のパイロット信号グループを復調して、第1のパイロット信号グループを取得し、i個のプリコーディングされた第2のパイロット信号グループを復調して、それぞれ、i個の第2のパイロット信号グループを取得する。
【０３２５】
S1105:受信側は、第1のパイロット信号グループの信号容量を取得し、i個の第2のパイロット信号グループの各々の信号容量を取得する。
【０３２６】
S1106:受信側は、第1のパイロット信号グループの信号容量及びi個の第2のパイロット信号グループの各々の信号容量に従って、送信側にプリコーディング・フィードバック情報を送信する。
【０３２７】
可能な実装において、i個の第2のパイロット信号グループの中に、第1のパイロット信号グループの信号容量より大きい信号容量を有する、1つ又は複数の第2のパイロット信号グループが存在すると、受信側が判断する場合、受信側によって送信側に送信されるプリコーディング・フィードバック情報は、肯定応答指標、及び1つ又は複数の第2のパイロット信号グループに使用される第2のプリコーディング行列のためのインデックスである。第1のパイロット信号グループの信号容量が、第2のパイロット信号グループの信号容量より大きいか又は等しいと、受信側が判断する場合、受信側によって送信側に送信されるプリコーディング・フィードバック情報は、否定応答指標である。
【０３２８】
肯定応答指標は、現在のデータ送信に使用されるプリコーディング行列が、次に送信側がデータを送信するときに使用されないということを示すのに使用される。否定応答指標は、現在のデータ送信に使用されるプリコーディング行列が、次に送信側がデータを送信するときに使用されるということを示すのに使用される。例えば、iが2に等しい場合に、3つのパイロット信号グループが存在するため、第1のパイロット信号グループをプリコーディングするのに使用される第1のプリコーディング行列のためのインデックスは、00であり、2つの第2のパイロット信号グループ(1番目の第2のパイロット信号グループ及び2番目の第2のパイロット信号グループ)をプリコーディングするのに使用される第2のプリコーディング行列のためのインデックスは、それぞれ、01及び10であると定義されてもよい。受信側の選択方針が、最大信号容量を有するパイロット信号グループを選択することであり、かつ、2番目の第2のパイロット信号グループが最大信号容量を有すると、受信側が判断する場合、受信側によって送信側に送信されるプリコーディング・フィードバック情報は、1及び10である。
【０３２９】
別の可能な実装において、受信側によって送信側に送信されるプリコーディング・フィードバック情報は、第1のパイロット信号グループに使用される第1のプリコーディング行列のためのインデックス及びi個の第2のパイロット信号グループに使用される第2のプリコーディング行列のためのインデックスのうちの1つ又は複数である。
【０３３０】
例えば、iが2に等しい場合に、3つのパイロット信号グループが存在するため、第1のパイロット信号グループをプリコーディングするのに使用される第1のプリコーディング行列のためのインデックスは、00であり、2つの第2のパイロット信号グループ(1番目の第2のパイロット信号グループ及び2番目の第2のパイロット信号グループ)をプリコーディングするのに使用される第2のプリコーディング行列のためのインデックスは、それぞれ、01及び10であると定義されてもよい。受信側の選択方針が、最大信号容量を有するパイロット信号グループを選択することであり、かつ、2番目の第2のパイロット信号グループが最大信号容量を有すると、受信側が判断する場合、受信側によって送信側に送信されるプリコーディング・フィードバック情報は、10である。
【０３３１】
受信側は、代替的には、第1のパイロット信号グループの干渉量及びi個の第2のパイロット信号グループの干渉量に従って、送信側にプリコーディング・フィードバック情報を送信してもよいことに留意すべきである。本発明の本実施形態において、受信側が第1のパイロット信号グループ及びi個の第2のパイロット信号グループに従って送信側にプリコーディング・フィードバック情報を送信する特定の実装に対して、本明細書ではいかなる限定も課されない。対応する選択は、実際の適用シナリオにより必要なものとして行われてもよい。
【０３３２】
S1107:送信側は、受信側によって送信されるプリコーディング・フィードバック情報を受信する。
【０３３３】
送信側によって受信されるプリコーディング・フィードバック情報は、肯定応答指標、又は1つ又は複数の第2のパイロット信号グループに使用される第2のプリコーディング行列のためのインデックスであってもよく、否定応答指標であってもよく、又は第1のパイロット信号に使用される第1のプリコーディング行列のためのインデックス及びi個の第2のパイロット信号グループに使用される第2のプリコーディング行列のためのインデックスのうちの1つ又は複数であってもよい。送信側によって受信されるプリコーディング・フィードバック情報が、1及び10であるとき、受信されたプリコーディング・フィードバック情報に従って、送信側は、現在のデータ送信に使用されるプリコーディング行列が次のデータ送信に使用されないということを、受信側が助言していると明確に知ることができるだけでなく、受信側によって助言される、次のデータ送信に使用されるプリコーディング行列は、インデックスが10である第2のプリコーディング行列であるということも知ることができる。送信側によって受信されるプリコーディング・フィードバック情報が0であるとき、送信側は、受信されたプリコーディング・フィードバック情報に従って、現在のデータ送信に使用されるプリコーディング行列が次のデータ送信に使用されるということを受信側が助言しているということを知ることができる。送信側によって受信されるプリコーディング・フィードバック情報が10であるとき、送信側は、受信されたプリコーディング・フィードバック情報に従って、受信側によって助言される、次のデータ送信に使用されるプリコーディング行列は、インデックスが10である第2のプリコーディング行列であるということを知ることができる。
【０３３４】
送信側が、受信側によって送信されたプリコーディング・フィードバック情報を受信した後、送信側は、受信されたプリコーディング・フィードバック情報に従って、次のデータ送信に使用されるプリコーディング行列を決定することができる。例えば、送信側によって受信されるプリコーディング・フィードバック情報は、肯定応答指標、及び1つ又は複数の第2のパイロット信号グループに使用される1つの第2のプリコーディング行列又は複数の第2のプリコーディング行列のための1つのインデックス又は複数のインデックスであるとき、送信側は、次のデータ送信に使用されるプリコーディング行列が、インデックスに対応する第2のプリコーディング行列であると決定する。送信側によって受信されるプリコーディング・フィードバック情報が、否定応答指標であるとき、送信側は、次のデータ送信に使用されるプリコーディング行列が、第1のプリコーディング行列であると決定する。送信側によって受信されるプリコーディング・フィードバック情報が、第1のパイロット信号グループに使用される第1のプリコーディング行列のためのインデックス及びi個の第2のパイロット信号グループに使用される第2のプリコーディング行列のためのインデックスのうちの1つ又は複数であるとき、送信側は、次のデータ送信に使用されるプリコーディング行列が、インデックスに対応するプリコーディング行列であると決定する。
【０３３５】
実際の適用では、受信側によって送信されるプリコーディング・フィードバック情報を受信することに加えて、送信側は、複数の他の受信側によって送信されるプリコーディング・フィードバック情報をさらに受信してもよく、受信された複数のプリコーディング・フィードバック情報を包括的に考慮することにより、他の受信側に対して起こす干渉が最も軽微な1つのプリコーディング行列を、受信側との次のデータ送信に使用されるプリコーディング行列として決定してもよい。例えば、送信側によって決定される、次のデータ送信に使用されるプリコーディング行列は、インデックスが10である第2のプリコーディング行列である。
【０３３６】
本発明の本実施形態におけるS1101〜S1107の説明について、本発明の前述の実施形態におけるS901〜S907の説明に対し参照が行われてもよいことに留意すべきである。さらなる詳細は、本発明の本実施形態において、本明細書では説明されない。
【０３３７】
第3の適用シナリオでは、本発明の本実施形態によって提供されるプリコーディング情報収集方法の特定の実装プロセスが、図9に示されるプリコーディング情報収集方法のフローチャートの例をやはり用いて、詳細に説明される。図9では、第2のパイロット信号グループの数量iが、1より大きく、かつ第2のパイロット信号グループが異なる。適用シナリオでは、方法は、以下のステップを含んでもよい。
【０３３８】
S1201:送信側は、第1のプリコーディング行列に従って第1のパイロット信号グループをプリコーディングし、プリコーディングされた第1のパイロット信号グループを受信側に送信する。
【０３３９】
S1202:送信側は、i個の第2のプリコーディング行列に従ってi個の第2のパイロット信号グループをそれぞれプリコーディングし、i個のプリコーディングされた第2のパイロット信号グループを受信側に送信する。
【０３４０】
S1203:受信側は、送信側によって送信されるプリコーディングされた第1のパイロット信号グループを受信し、送信側によって送信されるi個のプリコーディングされた第2のパイロット信号グループを受信する。
【０３４１】
S1204:受信側は、プリコーディングされた第1のパイロット信号グループを復調して、第1のパイロット信号グループを取得し、i個のプリコーディングされた第2のパイロット信号グループを復調して、それぞれ、i個の第2のパイロット信号グループを取得する。
【０３４２】
S1205:受信側は、第1のパイロット信号グループの信号容量を取得し、i個の第2のパイロット信号グループの各々の信号容量を取得する。
【０３４３】
S1206:受信側は、第1のパイロット信号グループの信号容量及びi個の第2のパイロット信号グループの各々の信号容量に従って、送信側にプリコーディング・フィードバック情報を送信する。
【０３４４】
さらに、可能な実装において、i個の第2のパイロット信号グループの中に、第1のパイロット信号グループの信号容量より大きい信号容量を有する、1つ又は複数の第2のパイロット信号グループが存在すると、受信側が判断する場合、受信側によって送信側に送信されるプリコーディング・フィードバック情報は、肯定応答指標、及び1つ又は複数の第2のパイロット信号グループのためのインデックスである。第1のパイロット信号グループの信号容量が、第2のパイロット信号グループの信号容量より大きいか又は等しいと、受信側が判断する場合、受信側によって送信側に送信されるプリコーディング・フィードバック情報は、否定応答指標である。
【０３４５】
肯定応答指標は、現在のデータ送信に使用されるプリコーディング行列が、次に送信側がデータを送信するときに使用されないということを示すのに使用される。否定応答指標は、現在のデータ送信に使用されるプリコーディング行列が、次に送信側がデータを送信するときに使用されるということを示すのに使用される。例えば、iが2に等しい場合に、3つのパイロット信号グループが存在するため、第1のパイロット信号グループのためのインデックスが、0’0’であり、2つの第2のパイロット信号グループ(1番目の第2のパイロット信号グループ及び2番目の第2のパイロット信号グループ)のためのインデックスが、それぞれ、0’1’及び1’0’であると、定義されてもよい。受信側の選択方針が、最大信号容量を有するパイロット信号グループを選択することであり、かつ、2番目の第2のパイロット信号グループが最大信号容量を有すると、受信側が判断する場合、受信側によって送信側に送信されるプリコーディング・フィードバック情報は、1及び1’0’である。
【０３４６】
別の可能な実装において、受信側によって送信側に送信されるプリコーディング・フィードバック情報は、第1のパイロット信号グループ及びi個の第2のパイロット信号グループのためのインデックスのうちの1つ又は複数である。
【０３４７】
例えば、iが2に等しい場合に、3つのパイロット信号グループが存在するため、第1のパイロット信号グループのためのインデックスが、0’0’であり、2つの第2のパイロット信号グループ(1番目の第2のパイロット信号グループ及び2番目の第2のパイロット信号グループ)のためのインデックスが、それぞれ、0’1’及び1’0’であると、定義されてもよい。受信側の選択方針が、最大信号容量を有するパイロット信号グループを選択することであり、かつ、2番目の第2のパイロット信号グループが最大信号容量を有すると、受信側が判断する場合、受信側によって送信側に送信されるプリコーディング・フィードバック情報は、1’0’である。
【０３４８】
受信側は、代替的には、第1のパイロット信号グループの干渉量及びi個の第2のパイロット信号グループの干渉量に従って、送信側にプリコーディング・フィードバック情報を送信してもよいことに留意すべきである。本発明の本実施形態において、受信側が第1のパイロット信号グループ及びi個の第2のパイロット信号グループに従って送信側にプリコーディング・フィードバック情報を送信する特定の実装に対して、本明細書ではいかなる限定も課されない。対応する選択は、実際の適用シナリオにより必要なものとして行われてもよい。
【０３４９】
S1207:送信側は、受信側によって送信されるプリコーディング・フィードバック情報を受信する。
【０３５０】
送信側によって受信されるプリコーディング・フィードバック情報は、肯定応答指標、又は1つ又は複数の第2のパイロット信号グループのためのインデックスであってもよく、否定応答指標であってもよく、又は第1のパイロット信号グループのためのインデックス及びi個の第2のパイロット信号グループのためのインデックスのうちの1つ又は複数であってもよい。送信側によって受信されるプリコーディング・フィードバック情報が、1及び1’0’であるとき、受信されたプリコーディング・フィードバック情報に従って、送信側は、現在のデータ送信に使用されるプリコーディング行列が次のデータ送信に使用されないということを、受信側が助言しているということを明確に知ることができるだけでなく、受信側によって助言される、次のデータ送信に使用されるプリコーディング行列は、インデックスが1’0’である第2のパイロット信号グループに使用される第2のプリコーディング行列であるということも知ることができる。送信側によって受信されるプリコーディング・フィードバック情報が0であるとき、送信側は、受信されたプリコーディング・フィードバック情報に従って、現在のデータ送信に使用されるプリコーディング行列が次のデータ送信に使用されるということを受信側が助言しているということを知ることができる。送信側によって受信されるプリコーディング・フィードバック情報が1’0’であるとき、送信側は、受信されたプリコーディング・フィードバック情報に従って、受信側によって助言される、次のデータ送信に使用されるプリコーディング行列は、インデックスが1’0’である第2のパイロット信号グループに使用される第2のプリコーディング行列であるということを知ることができる。
【０３５１】
送信側が、受信側によって送信されたプリコーディング・フィードバック情報を受信した後、送信側は、受信されたプリコーディング・フィードバック情報に従って、次のデータ送信に使用されるプリコーディング行列を決定することができる。例えば、送信側によって受信されるプリコーディング・フィードバック情報は、肯定応答指標、及び1つ又は複数の第2のパイロット信号グループのための1つのインデックス又は複数のインデックスであるとき、送信側は、次のデータ送信に使用されるプリコーディング行列が、インデックスに対応する第2のパイロット信号グループに使用される第2のプリコーディング行列であると決定する。送信側によって受信されるプリコーディング・フィードバック情報が、否定応答指標であるとき、送信側は、次のデータ送信に使用されるプリコーディング行列が、第1のプリコーディング行列であると決定する。送信側によって受信されるプリコーディング・フィードバック情報が、第1のパイロット信号グループのためのインデックス及びi個の第2のパイロット信号グループのためのインデックスのうちの1つ又は複数であるとき、送信側は、次のデータ送信に使用されるプリコーディング行列が、インデックスに対応するパイロット信号グループに使用されるプリコーディング行列であると決定する。
【０３５２】
実際の適用では、受信側によって送信されるプリコーディング・フィードバック情報を受信することに加えて、送信側は、複数の他の受信側によって送信されるプリコーディング・フィードバック情報をさらに受信してもよく、受信された複数のプリコーディング・フィードバック情報を包括的に考慮することにより、他の受信側に対して起こす干渉が最も軽微な1つのプリコーディング行列を、受信側との次のデータ送信に使用されるプリコーディング行列として決定してもよい。例えば、送信側によって決定される、次のデータ送信に使用されるプリコーディング行列は、インデックスが1’0’である第2のパイロット信号グループに使用される第2のプリコーディング行列である。
【０３５３】
本発明の本実施形態におけるS1201〜S1207の説明について、本発明の前述の実施形態におけるS901〜S907の説明に対し参照が行われてもよいことに留意すべきである。さらなる詳細は、本発明の本実施形態において、本明細書では説明されない。
【０３５４】
本発明の本実施形態により提供されるプリコーディング情報収集方法によれば、送信側は、受信側に対し、第1のプリコーディング行列を使用してプリコーディングされた第1のパイロット信号グループ、及びi個の第2のプリコーディング行列を使用してプリコーディングされたi個の第2のパイロット信号グループを送信し、受信側によって送信されるプリコーディング・フィードバック情報を受信する。このことにより、受信側によって送信され、送信側がデータを送信するためのプリコーディング行列を助言するのに使用されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【０３５５】
さらに、送信側は、受信されるプリコーディング・フィードバック情報に従って、次のデータ送信に使用されるプリコーディング行列を常に調整する。このことが、次のデータ送信に使用されるプリコーディング行列の誤差を徐々に減少させ、無線通信システムの性能をさらに改善することができる。
【０３５６】
本発明の別の実施形態は、送信側を提供する。図10に示されるように、送信側は、プロセッサ1301、送信機1302、及び受信機1303を含む。
【０３５７】
プロセッサ1301は、第1のプリコーディング行列に従って第1のパイロット信号をプリコーディングするように構成される。第1のプリコーディング行列は、現在のデータ送信に使用されるプリコーディング行列と同一である。
【０３５８】
送信機1302は、受信側に、プロセッサ1301によって取得されるプリコーディングされた第1のパイロット信号を送信するように構成される。
【０３５９】
プロセッサ1301は、N個の第2のプリコーディング行列に従ってN個の第2のパイロット信号をプリコーディングするようにさらに構成される。Nは、1以上の整数であり、第2のパイロット信号をプリコーディングするのに使用される第2のプリコーディング行列は、互いに異なり、N個の第2のプリコーディング行列は、第1のプリコーディング行列とは異なる。
【０３６０】
具体的には、プロセッサ1301は、1番目の第2のパイロット信号を1番目の第2のプリコーディング行列に従ってプリコーディングし、プロセッサ1301は、2番目の第2のパイロット信号を2番目の第2のプリコーディング行列に従ってプリコーディングし、類推により、プロセッサ1301は、N番目の第2のパイロット信号をN番目の第2のプリコーディング行列に従ってプリコーディングする。例えば、異なる第2のプリコーディング行列は、異なる補正用プリコーディング行列及び第1のプリコーディング行列に従って取得されてもよい。例えば、1番目の第2のプリコーディング行列は、1番目の補正用プリコーディング行列及び第1のプリコーディング行列の和に等しい。2番目の第2のプリコーディング行列は、2番目の補正用プリコーディング行列及び第1のプリコーディング行列の和に等しい。類推により、N番目の第2のプリコーディング行列は、N番目の補正用プリコーディング行列及び第1のプリコーディング行列の和に等しい。N個の補正用プリコーディング行列は、プロセッサ1301によってランダムに生成され、N個の補正用プリコーディング行列の分布が、予め設定された範囲内にある確率は、0より大きい。例えば、N個の補正用プリコーディング行列の分布は、一定特徴を有する一様分布であってもよく、ガウス分布であってもよく、又は特徴が変化する一様分布であってもよい。
【０３６１】
送信機1302は、受信側に、プロセッサ1301によって取得されるN個のプリコーディングされた第2のパイロット信号を送信するようにさらに構成される。
【０３６２】
送信機1302は、プリコーディングされた第2のパイロット信号を受信側に対して、プリコーディングされた第1のパイロット信号が送信されるのと同じ時点に送信してもよく、プリコーディングされた第2のパイロット信号を受信側に対して、プリコーディングされた第1のパイロット信号が送信されるのと異なる時点に送信してもよく、又は、プリコーディングされた第2のパイロット信号を受信側に対して、プリコーディングされた第1のパイロット信号が送信される頻度と異なる頻度で送信してもよいことに、留意すべきである。
【０３６３】
受信機1303は、受信側によって送信されるプリコーディング・フィードバック情報を受信するように構成される。
【０３６４】
プリコーディング・フィードバック情報は、受信側が、送信側に次のデータ送信に使用するように助言する、プリコーディング行列に関する情報として理解されてもよい。
【０３６５】
本発明の本実施形態では、さらに、Nが1に等しい場合に、
プリコーディング・フィードバック情報は、現在のデータ送信に使用されるプリコーディング行列が、次のデータ送信に使用されないということを示すのに使用される、肯定応答指標である。
【０３６６】
本発明の本実施形態では、さらに、Nが1より大きい場合に、
プリコーディング・フィードバック情報は、肯定応答指標、及びN個の第2のプリコーディング行列のためのインデックスのうちの1つ又は複数であり、肯定応答指標は、現在のデータ送信に使用されるプリコーディング行列が、次のデータ送信に使用されないということを示すのに使用される。
【０３６７】
本発明の本実施形態では、さらに、Nが1より大きく、かつN個の第2のパイロット信号が異なる場合に、
プリコーディング・フィードバック情報は、肯定応答指標、及びN個の第2のパイロット信号のためのインデックスのうちの1つ又は複数であり、肯定応答指標は、現在のデータ送信に使用されるプリコーディング行列が、次のデータ送信に使用されないということを示すのに使用される。
【０３６８】
本発明の本実施形態では、さらに、プリコーディング・フィードバック情報は、現在のデータ送信に使用されるプリコーディング行列が、次のデータ送信に使用されるということを示すのに使用される、否定応答指標である。
【０３６９】
本発明の本実施形態では、さらに、Nが1より大きい場合に、
プリコーディング・フィードバック情報は、第1のプリコーディング行列及びN個の第2のプリコーディング行列のためのインデックスのうちの1つ又は複数である。
【０３７０】
本発明の本実施形態では、さらに、Nが1より大きく、かつN個の第2のパイロット信号が異なる場合に、
プリコーディング・フィードバック情報は、第1のパイロット信号及びN個の第2のパイロット信号のためのインデックスのうちの1つ又は複数である。
【０３７１】
本発明の本実施形態では、さらに、データは、送信側と受信側との間で、シングル・ストリーム方式で送信される。
【０３７２】
受信機1303が、受信側によって送信されたプリコーディング・フィードバック情報を受信した後、プロセッサ1301は、受信されたプリコーディング・フィードバック情報に従って、次のデータ送信に使用されるプリコーディング行列を決定し、決定されたプリコーディング行列に従ってデータを送信することができる。
【０３７３】
実際の適用では、受信側によって送信されるプリコーディング・フィードバック情報を受信することに加えて、受信機1303は、複数の他の受信側によって送信されるプリコーディング・フィードバック情報をさらに受信してもよい。この場合、プロセッサ1301は、受信された複数のプリコーディング・フィードバック情報を包括的に考慮することによって、他の受信側に対して起こす干渉が最も軽微な1つのプリコーディング行列を、受信側との次のデータ送信に使用されるプリコーディング行列として決定する必要がある。
【０３７４】
本発明の本実施形態により提供される送信側は、受信側に対し、第1のプリコーディング行列を使用してプリコーディングされた第1のパイロット信号、及びN個の第2のプリコーディング行列を使用してプリコーディングされたN個の第2のパイロット信号を送信し、受信側によって送信されるプリコーディング・フィードバック情報を受信する。このことにより、受信側によって送信され、送信側がデータを送信するためのプリコーディング行列を助言するのに使用されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【０３７５】
さらに、送信側は、受信されるプリコーディング・フィードバック情報に従って、次のデータ送信に使用されるプリコーディング行列を常に調整する。このことが、次のデータ送信に使用されるプリコーディング行列の誤差を徐々に減少させ、無線通信システムの性能をさらに改善することができる。
【０３７６】
本発明の別の実施形態は、受信側を提供する。図11に示されるように、受信側は、受信機1401、プロセッサ1402、及び送信機1403を含む。
【０３７７】
受信機1401は、送信側によって送信されるプリコーディングされた第1のパイロット信号を受信し、送信側によって送信されるN個のプリコーディングされた第2のパイロット信号を受信するように構成される。Nは、1以上の整数である。
【０３７８】
プロセッサ1402は、受信機1401により受信されるプリコーディングされた第1のパイロット信号を復調して、第1のパイロット信号を取得し、受信機1401により受信されるN個のプリコーディングされた第2のパイロット信号を復調して、それぞれ、N個の第2のパイロット信号を取得するように構成される。
【０３７９】
送信機1403は、プロセッサによって取得される第1のパイロット信号及びN個の第2のパイロット信号に従って、送信側にプリコーディング・フィードバック情報を送信するように構成される。
【０３８０】
本発明の本実施形態では、さらに、送信機1403は、特に、第1のパイロット信号の信号品質を取得し、N個の第2のパイロット信号の各々の信号品質を取得し、第1のパイロット信号の信号品質及びN個の第2のパイロット信号の各々の信号品質に従って、送信側にプリコーディング・フィードバック情報を送信するように、構成される。
【０３８１】
本発明の本実施形態では、さらに、送信機1403は、特に、第1のパイロット信号の信号容量を取得し、N個の第2のパイロット信号の各々の信号容量を取得し、第1のパイロット信号の信号容量及びN個の第2のパイロット信号の各々の信号容量に従って、送信側にプリコーディング・フィードバック情報を送信するように、構成される。
【０３８２】
上記にかかわらず、送信機1403は、代替的には、第1のパイロット信号の干渉量及び第2のパイロット信号の干渉量に従って、送信側にプリコーディング・フィードバック情報を送信してもよい。本発明の本実施形態において、送信機1403が第1のパイロット信号及びN個の第2のパイロット信号に従って送信側にプリコーディング・フィードバック情報を送信する特定の実装に対して、本明細書ではいかなる限定も課されない。対応する選択は、実際の適用シナリオにより必要なものとして行われてもよい。
【０３８３】
本発明の本実施形態では、さらに、Nが1に等しい場合に、
第1のパイロット信号の信号品質が、第2のパイロット信号の信号品質より低いか又は等しい場合、又は第1のパイロット信号の信号容量が、第2のパイロット信号の信号容量より小さいか又は等しい場合に、プリコーディング・フィードバック情報は、現在のデータ送信に使用されるプリコーディング行列が、次に送信側がデータを送信するときに使用されないということを示すのに使用される、肯定応答指標である。
【０３８４】
本発明の本実施形態では、さらに、Nが1より大きい場合に、
N個の第2のパイロット信号の中に、第1のパイロット信号の信号品質より高い信号品質を有する1つ又は複数の第2のパイロット信号、又は、第1のパイロット信号の信号容量より大きい信号容量を有する1つ又は複数の第2のパイロット信号が存在する場合、プリコーディング・フィードバック情報は、肯定応答指標、及び1つ又は複数の第2のパイロット信号に使用される1つの第2のプリコーディング行列又は複数の第2のプリコーディング行列のための1つのインデックス又は複数のインデックスであり、肯定応答指標は、現在のデータ送信に使用されるプリコーディング行列が、次に送信側がデータを送信するときに使用されないということを示すのに使用される。
【０３８５】
本発明の本実施形態では、さらに、Nが1より大きく、かつN個の第2のパイロット信号が異なる場合に、
N個の第2のパイロット信号の中に、第1のパイロット信号の信号品質より高い信号品質を有する1つ又は複数の第2のパイロット信号、又は、第1のパイロット信号の信号容量より大きい信号容量を有する1つ又は複数の第2のパイロット信号が存在する場合、プリコーディング・フィードバック情報は、肯定応答指標、及び1つ又は複数の第2のパイロット信号のための1つのインデックス又は複数のインデックスであり、肯定応答指標は、現在のデータ送信に使用されるプリコーディング行列が、次に送信側がデータを送信するときに使用されないということを示すのに使用される。
【０３８６】
本発明の本実施形態では、さらに、第1のパイロット信号の信号品質が、第2のパイロット信号の信号品質より高いか又は等しい場合、又は第1のパイロット信号の信号容量が、第2のパイロット信号の信号容量より大きいか又は等しい場合に、プリコーディング・フィードバック情報は、現在のデータ送信に使用されるプリコーディング行列が、次に送信側がデータを送信するときに使用されるということを示すのに使用される、否定応答指標である。
【０３８７】
本発明の本実施形態では、さらに、Nが1より大きい場合に、
プリコーディング・フィードバック情報が、第1のパイロット信号に使用される第1のプリコーディング行列のためのインデックス及びN個の第2のパイロット信号に使用される第2のプリコーディング行列のためのインデックスのうちの1つ又は複数である。
【０３８８】
本発明の本実施形態では、さらに、Nが1より大きく、かつN個の第2のパイロット信号が異なる場合に、
プリコーディング・フィードバック情報は、第1のパイロット信号及びN個の第2のパイロット信号のためのインデックスのうちの1つ又は複数である。
【０３８９】
本発明の本実施形態では、さらに、データは、送信側と受信側との間で、シングル・ストリーム方式で送信される。
【０３９０】
送信側により送信される、プリコーディングされた第1のパイロット信号及びN個のプリコーディングされた第2のパイロット信号を受信した後、本発明の本実施形態により提供される受信側は、プリコーディングされた第1のパイロット信号を復調して、第1のパイロット信号を取得し、N個のプリコーディングされた第2のパイロット信号を復調して、それぞれ、N個の第2のパイロット信号を取得し、送信側に対し、取得された第1のパイロット信号及びN個の第2のパイロット信号に従って、送信側がデータを送信するためのプリコーディング行列を助言するために用いられるプリコーディング・フィードバック情報を送信する。このことにより、受信側によって送信されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【０３９１】
本発明の別の実施形態は、送信側を提供する。送信側と少なくとも1つの受信側との間のデータ送信に使用されるM個のデータ・ストリームが存在し、Mは、1より大きい整数である。図12に示されるように、送信側は、プロセッサ1501、送信機1502、及び受信機1503を含む。
【０３９２】
プロセッサ1501は、第1のプリコーディング行列に従って第1のパイロット信号グループをプリコーディングするように構成される。第1のプリコーディング行列は、互いに異なるM個の第1のプリコーディング・ベクトルを含み、第1のパイロット信号グループは、M個の第1のパイロット信号を含み、第1のプリコーディング行列は、現在のデータ送信に使用されるプリコーディング行列と同一である。
【０３９３】
送信機1502は、受信側に、プロセッサ1501によって取得されるプリコーディングされた第1のパイロット信号グループを送信するように構成される。
【０３９４】
プロセッサ1501は、i個の第2のプリコーディング行列に従ってi個の第2のパイロット信号グループをそれぞれプリコーディングするようにさらに構成される。i番目の第2のプリコーディング行列は、互いに異なるAi個の第2のプリコーディング・ベクトルを含み、i番目の第2のパイロット信号グループは、Ai個の第2のパイロット信号を含み、iは、1以上の整数であり、Aiは、1以上の整数であり、第2のパイロット信号グループをプリコーディングするのに使用される第2のプリコーディング行列は、互いに異なり、i個の第2のプリコーディング行列は、第1のプリコーディング行列とは異なる。
【０３９５】
送信機1502は、受信側に、プロセッサ1501によって取得されるi個のプリコーディングされた第2のパイロット信号グループを送信するようにさらに構成される。
【０３９６】
送信機1502は、プリコーディングされた第2のパイロット信号を受信側に対して、プリコーディングされた第1のパイロット信号が送信されるのと同じ時点に送信してもよく、プリコーディングされた第2のパイロット信号を受信側に対して、プリコーディングされた第1のパイロット信号が送信されるのと異なる時点に送信してもよく、又は、プリコーディングされた第2のパイロット信号を受信側に対して、プリコーディングされた第1のパイロット信号が送信される頻度と異なる頻度で送信してもよいことに、留意すべきである。
【０３９７】
受信機1503は、受信側によって送信されるプリコーディング・フィードバック情報を受信するように構成される。
【０３９８】
プリコーディング・フィードバック情報は、受信側が、送信側に次のデータ送信に使用するように助言する、プリコーディング行列に関する情報として理解されてもよい。
【０３９９】
本発明の本実施形態では、さらに、iが1に等しい場合に、
プリコーディング・フィードバック情報は、現在のデータ送信に使用されるプリコーディング行列が、次のデータ送信に使用されないということを示すのに使用される、肯定応答指標である。
【０４００】
本発明の本実施形態では、さらに、iが1より大きい場合に、
プリコーディング・フィードバック情報は、肯定応答指標、及びi個の第2のプリコーディング行列のためのインデックスのうちの1つ又は複数であり、肯定応答指標は、現在のデータ送信に使用されるプリコーディング行列が、次のデータ送信に使用されないということを示すのに使用される。
【０４０１】
本発明の本実施形態では、さらに、iが1より大きく、かつi個の第2のパイロット信号グループが異なる場合に、
プリコーディング・フィードバック情報は、肯定応答指標、及びi個の第2のパイロット信号グループのためのインデックスのうちの1つ又は複数であり、肯定応答指標は、現在のデータ送信に使用されるプリコーディング行列が、次のデータ送信に使用されないということを示すのに使用される。
【０４０２】
本発明の本実施形態では、さらに、プリコーディング・フィードバック情報は、現在のデータ送信に使用されるプリコーディング行列が、次のデータ送信に使用されるということを示すのに使用される、否定応答指標である。
【０４０３】
本発明の本実施形態では、さらに、iが1より大きい場合に、
プリコーディング・フィードバック情報は、第1のプリコーディング行列及びi個の第2のプリコーディング行列のためのインデックスのうちの1つ又は複数である。
【０４０４】
本発明の本実施形態では、さらに、iが1より大きく、かつi個の第2のパイロット信号グループが異なる場合に、
プリコーディング・フィードバック情報は、第1のパイロット信号グループ及びi個の第2のパイロット信号グループのためのインデックスのうちの1つ又は複数である。
【０４０５】
本発明の本実施形態では、さらに、プリコーディング・フィードバック情報は、M個の第1のパイロット信号に使用されるプリコーディング・ベクトル及び
（外３４）
0006492180.tif 000035
個の第2のパイロット信号に使用されるプリコーディング・ベクトルのうちの、B個のプリコーディング・ベクトルのためのインデックスである。Bは、1以上かつ
（外３５）
0006492180.tif 000036
以下の整数である。
【０４０６】
本発明の本実施形態では、さらに、プリコーディング・フィードバック情報は、M個の第1のパイロット信号及び
（外３６）
0006492180.tif 000037
個の第2のパイロット信号のうちの、B個のパイロット信号のためのインデックスである。Bは、1以上かつ
（外３７）
0006492180.tif 000038
以下の整数である。
【０４０７】
受信機1503が、受信側によって送信されたプリコーディング・フィードバック情報を受信した後、プロセッサ1501は、受信されたプリコーディング・フィードバック情報に従って、次のデータ送信に使用されるプリコーディング行列を決定し、決定されたプリコーディング行列に従ってデータを送信することができる。
【０４０８】
実際の適用では、受信側によって送信されるプリコーディング・フィードバック情報を受信することに加えて、受信機1503は、複数の他の受信側によって送信されるプリコーディング・フィードバック情報をさらに受信してもよい。この場合、プロセッサ1501は、受信された複数のプリコーディング・フィードバック情報を包括的に考慮することによって、他の受信側に対して起こす干渉が最も軽微な1つのプリコーディング行列を、受信側との次のデータ送信に使用されるプリコーディング行列として決定する必要がある。
【０４０９】
本発明の本実施形態により提供される送信側は、受信側に対し、第1のプリコーディング行列を使用してプリコーディングされた第1のパイロット信号グループ、及びi個の第2のプリコーディング行列を使用してプリコーディングされたi個の第2のパイロット信号グループを送信し、受信側によって送信されるプリコーディング・フィードバック情報を受信する。このことにより、受信側によって送信され、送信側がデータを送信するためのプリコーディング行列を助言するのに使用されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【０４１０】
さらに、送信側は、受信されるプリコーディング・フィードバック情報に従って、次のデータ送信に使用されるプリコーディング行列を常に調整する。このことが、次のデータ送信に使用されるプリコーディング行列の誤差を徐々に減少させ、無線通信システムの性能をさらに改善することができる。
【０４１１】
本発明の別の実施形態は、受信側を提供する。受信側と送信側との間のデータ送信に使用されるM個のデータ・ストリームが存在し、Mは、1より大きい整数である。図13に示されるように、受信側は、受信機1601、プロセッサ1602、及び送信機1603を含んでもよい。
【０４１２】
受信機1601は、送信側により送信されるプリコーディングされた第1のパイロット信号グループを受信し、送信側により送信されるi個のプリコーディングされた第2のパイロット信号グループを受信するように構成され、iは、1以上の整数である。
【０４１３】
プロセッサ1602は、受信機1601により受信されるプリコーディングされた第1のパイロット信号グループを復調して、第1のパイロット信号グループを取得し、受信機1601により受信されるi個のプリコーディングされた第2のパイロット信号グループを復調して、それぞれ、i個の第2のパイロット信号グループを取得するように構成される。
【０４１４】
送信機1603は、プロセッサ1602によって取得される第1のパイロット信号グループ及びi個の第2のパイロット信号グループに従って、送信側にプリコーディング・フィードバック情報を送信するように構成される。
【０４１５】
本発明の本実施形態では、さらに、第1のパイロット信号グループは、M個の第1のパイロット信号を含み、i番目の第2のパイロット信号グループは、Ai個の第2のパイロット信号を含む。
【０４１６】
送信機1603は、特に、第1のパイロット信号グループの中のM個の第1のパイロット信号の信号品質を取得し、i個の第2のパイロット信号グループの中の
（外３８）
0006492180.tif 000039
個の第2のパイロット信号の信号品質を取得し、第1のパイロット信号の全ての信号品質及び第2のパイロット信号の全ての信号品質に従って、B個のパイロット信号を選択し、B個のパイロット信号に従って、送信側にプリコーディング・フィードバック情報を送信するように構成される。Bは、1以上かつ
（外３９）
0006492180.tif 000040
以下の整数である。
【０４１７】
本発明の本実施形態では、さらに、送信機1603は、特に、第1のパイロット信号グループの信号容量を取得し、i個の第2のパイロット信号グループの各々の信号容量を取得し、第1のパイロット信号グループの信号容量及びi個の第2のパイロット信号グループの各々の信号容量に従って、送信側にプリコーディング・フィードバック情報を送信するように構成される。
【０４１８】
送信機1603は、代替的には、第1のパイロット信号グループの干渉量及びi個の第2のパイロット信号グループの干渉量に従って、送信側にプリコーディング・フィードバック情報を送信してもよいことに留意すべきである。本発明の本実施形態において、送信機1603が第1のパイロット信号グループ及びi個の第2のパイロット信号グループに従って送信側にプリコーディング・フィードバック情報を送信する特定の実装に対して、本明細書ではいかなる限定も課されない。対応する選択は、実際の適用シナリオにより必要なものとして行われてもよい。
【０４１９】
本発明の本実施形態では、さらに、iが1に等しい場合に、
第1のパイロット信号グループの信号容量が、第2のパイロット信号グループの信号容量より小さいか又は等しい場合、プリコーディング・フィードバック情報は、現在のデータ送信に使用されるプリコーディング行列が、次に送信側がデータを送信するときに使用されないということを示すのに使用される、肯定応答指標である。
【０４２０】
本発明の本実施形態では、さらに、iが1より大きい場合に、
i個の第2のパイロット信号グループの中に、第1のパイロット信号グループの信号容量より大きい信号容量を有する、1つ又は複数の第2のパイロット信号グループが存在する場合、プリコーディング・フィードバック情報は、肯定応答指標、及び1つ又は複数の第2のパイロット信号グループに使用される第2のプリコーディング行列のためのインデックスであり、肯定応答指標は、現在のデータ送信に使用されるプリコーディング行列が、次に送信側がデータを送信するときに使用されないということを示すのに使用される。
【０４２１】
本発明の本実施形態では、さらに、iが1より大きく、かつi個の第2のパイロット信号グループが異なる場合に、
i個の第2のパイロット信号グループの中に、第1のパイロット信号グループの信号容量より大きい信号容量を有する、1つ又は複数の第2のパイロット信号グループが存在する場合、プリコーディング・フィードバック情報は、肯定応答指標、及び1つ又は複数の第2のパイロット信号グループのためのインデックスであり、肯定応答指標は、現在のデータ送信に使用されるプリコーディング行列が、次に送信側がデータを送信するときに使用されないということを示すのに使用される。
【０４２２】
本発明の本実施形態では、さらに、第1のパイロット信号グループの信号容量が、第2のパイロット信号グループの信号容量より大きいか又は等しい場合、プリコーディング・フィードバック情報は、現在のデータ送信に使用されるプリコーディング行列が、次に送信側がデータを送信するときに使用されるということを示すのに使用される否定応答指標である。
【０４２３】
本発明の本実施形態では、さらに、iが1より大きい場合に、
プリコーディング・フィードバック情報が、第1のパイロット信号グループに使用される第1のプリコーディング行列のためのインデックス及びi個の第2のパイロット信号グループに使用される第2のプリコーディング行列のためのインデックスのうちの1つ又は複数である。
【０４２４】
本発明の本実施形態では、さらに、iが1より大きく、かつi個の第2のパイロット信号グループが異なる場合に、
プリコーディング・フィードバック情報は、第1のパイロット信号グループ及びi個の第2のパイロット信号グループのためのインデックスのうちの1つ又は複数である。
【０４２５】
本発明の本実施形態では、さらに、プリコーディング・フィードバック情報は、M個の第1のパイロット信号に使用されるプリコーディング・ベクトル及び
（外４０）
0006492180.tif 000041
個の第2のパイロット信号に使用されるプリコーディング・ベクトルのうちの、B個のプリコーディング・ベクトルのためのインデックスである。
【０４２６】
本発明の本実施形態では、さらに、プリコーディング・フィードバック情報は、M個の第1のパイロット信号及び
（外４１）
0006492180.tif 000042
個の第2のパイロット信号のうちのB個のパイロット信号のためのインデックスである。
【０４２７】
送信側により送信された、プリコーディングされた第1のパイロット信号グループ及びi個のプリコーディングされた第2のパイロット信号グループを受信した後、本発明の本実施形態により提供される受信側は、プリコーディングされた第1のパイロット信号グループを復調して、第1のパイロット信号グループを取得し、i個のプリコーディングされた第2のパイロット信号グループを復調して、それぞれ、i個の第2のパイロット信号グループを取得し、送信側に対し、取得された第1のパイロット信号グループ及びi個の第2のパイロット信号グループに従って、送信側がデータを送信するためのプリコーディング行列を助言するのに使用されるプリコーディング・フィードバック情報を送信する。このことにより、受信側によって送信されるプリコーディング・フィードバック情報に従って、データ送信に使用されるプリコーディング行列を、送信側が適応的に調整することが可能となり、データ送信に使用されるプリコーディング行列が実際のデータ送信チャネルにさらに適合させられる。このようにして、無線通信システムの性能が改善される。
【０４２８】
実装についての前述の説明は、便宜的かつ簡潔な説明のために、前述の機能モジュールの分割が説明のための例として取られることを、当業者が理解することを可能にする。実際の適用では、前述の機能は、異なるモジュールに割り当てられ、要件に従って実装され得る。即ち、装置の内部構造は、異なる機能モジュールに分割されて、上述した機能の全て又はいくつかを実装する。前述の装置の詳細な動作プロセスについて、前述の方法の実施形態の対応するプロセスに対して参照が行われてもよく、詳細は、本明細書では説明されない。
【０４２９】
本出願において提供されるいくつかの実施形態では、開示された装置及び方法は、他のやり方で実装されてもよいと理解されるべきである。例えば、説明された装置の実施形態は、単に例示のためのものである。例えば、モジュール又はユニット分割は、単なる論理的機能の分割であり、実際の実装においては他の分割であってもよい。例えば、複数のユニット又はコンポーネントが、別の装置に結合され、又は統合されてもよく、又は、いくつかの特徴が、無視され、又は実行されなくともよい。さらに、表示され、又は論じられる相互連結又は直接連結又は通信接続は、いくつかのインターフェース、装置、又はユニットを用いた間接連結又は通信接続であってもよく、電子、機械、又は他の形態での接続であってもよい。
【０４３０】
別々の部分として説明されるユニットは、物理的に分離されていてもよく、分離されていなくともよい。ユニットとして表示される部分は、1つ又は複数の物理的なユニットであってもよい。即ち、それらは、1つの場所に位置してもよく、複数の場所に分散されてもよい。ユニットのうちのいくつか又は全ては、実施形態の解決手段の目的を達成するための実際の必要性に従って選択されてもよい。
【０４３１】
さらに、本発明の実施形態における機能ユニットが、1つの処理ユニットに統合されてもよく、又は、ユニットのそれぞれが、物理的に単独で存在してもよく、又は、2つ以上のユニットが、1つのユニットに統合されている。統合されたユニットが、ハードウェアの形態で実装されてもよく、又は、ソフトウェア機能ユニットの形態で実装されてもよい。
【０４３２】
統合されたユニットが、ソフトウェア機能ユニットの形態で実装され、独立製品として販売又は使用されるとき、統合されたユニットは、可読記憶媒体に記憶されてもよい。そのような理解に基づいて、本発明の技術的解決手段は本質的には、又は先行技術に寄与する部分は、又は技術的解決手段の全て又はいくつかは、ソフトウェア製品の形態で実装されてもよい。ソフトウェア製品は、記憶媒体に記憶され、デバイス(単一チップ・マイクロコンピュータ、チップなどであってもよい)又はプロセッサ(processor)に、本発明の実施形態において説明される方法のステップの全て又はいくつかを実行するように命令するための、いくつかの命令を含む。前述の記憶媒体は、USBフラッシュ・ドライブ、リムーバブル・ハード・ディスク、読み取り専用メモリ(英文正式名称:Read−Only  Memory、略してROM)、ランダム・アクセス・メモリ(英文正式名称:Random  Access  Memory、略してRAM)、磁気ディスク、又は光ディスクなどの、プログラムコードを記憶することができるいずれかの媒体を含む。
【０４３３】
前述の説明は、単なる本発明の特定の実施形態であるが、本発明の保護範囲を限定することを意図するものではない。本発明において開示される技術範囲内において当業者によって容易に理解されるいかなる変形物又は置換物も、本発明の保護範囲内に入るものとする。したがって、本発明の保護範囲は、請求項の保護範囲に従うものとする。
【図１】
0006492180.tif 000047
【図２】
0006492180.tif 000048
【図３】
0006492180.tif 000049
【図４】
0006492180.tif 000050
【図５】
0006492180.tif 000051
【図６】
0006492180.tif 000052
【図７】
0006492180.tif 000053
【図８】
0006492180.tif 000054
【図９】
0006492180.tif 000055
【図１０】
0006492180.tif 000056
【図１１】
0006492180.tif 000057
【図１２】
0006492180.tif 000058
【図１３】
0006492180.tif 000059